(57)【要約】【課題】出入りの業者など特定の訪問者と、その他の訪問者とを区別することができるドアホン装置を提供することを目的とする。【解決手段】管理会社に訪問を許可される業者として登録された業者に対しては、少なくとも業者識別情報を記憶すると共に、少なくとも当該業者識別情報を外部に送出する機能を備える業者情報通信装置が配布される。ドアホン装置は、少なくとも業者識別情報を記憶する業者情報記憶手段と、業者情報通信装置と通信を行なって、当該業者情報通信装置からの少なくとも業者識別情報を受信する機能を備える通信手段と、この通信手段を通じて取得した情報と、業者情報記憶手段に記憶されている情報とに基づいて、訪問を許可される業者と、その他とを区別するように呼出音の制御を行なう制御手段とを備える。【選択図】        図１８
2004172680.tif 000002
【特許請求の範囲】
【請求項１】
訪問を許可される業者として登録された業者の少なくとも業者識別情報を記憶する業者情報記憶手段と、
少なくとも前記業者識別情報が記憶され、少なくとも当該業者識別情報を外部に送出する機能を備える業者情報通信装置と通信を行なって、前記業者情報通信装置からの少なくとも前記業者識別情報を受信する機能を備える通信手段と、
前記通信手段を通じて取得した情報と、前記業者情報記憶手段に記憶されている情報とに基づいて、前記訪問を許可される業者と、その他とを区別するように呼出音の制御を行なう制御手段と、
を備えるドアホン装置。
【請求項２】
請求項１に記載のドアホン装置において、
ドアホン起動ボタンを備え、
前記制御手段は、前記通信手段を通じて取得した情報と、前記業者情報記憶手段に記憶されている情報と、前記ドアホン起動ボタンの操作情報とに基づいて、前記訪問を許可される業者と、その他とを区別するように呼出音の制御を行なう
ことを特徴とするドアホン装置。
【請求項３】
請求項２に記載のドアホン装置において、
前記ドアホン起動ボタンが操作されたときに、訪問者に対して、前記業者情報通信装置と前記通信手段との通信を行なうように促す手段を備える
ことを特徴とするドアホン装置。
【請求項４】
請求項１に記載のドアホン装置において、
前記業者情報記憶手段に記憶された情報には、訪問担当者の画像情報が含まれていると共に、
前記通信手段を通じて前記業者情報通信手段から、前記業者情報記憶手段に記憶されている業者の前記業者識別情報と等しい業者識別情報を受信したと判別したときに、前記業者情報記憶手段に記憶されている当該受信した業者の訪問担当者の画像情報を読み出して表示する手段を設けた
ことを特徴とするドアホン装置。
【請求項５】
請求項４に記載のドアホン装置において、
前記表示する訪問担当者の画像情報には、前記業者を識別するための情報を併せて表示する
ことを特徴とするドアホン装置。
【請求項６】
請求項１に記載のドアホン装置において、
前記業者情報記憶手段に記憶された情報には、担当者の画像情報が含まれていると共に、
訪問者を撮影するための撮像素子と、
前記通信手段で、前記業者情報通信手段からの情報を受信したときに、前記撮像素子からの訪問者の画像情報と、予め登録されている業者の画像情報とを対比して表示するようにする手段とを設けた
ことを特徴とするドアホン装置。
【請求項７】
請求項１に記載のドアホン装置において、
予め設定された条件のときに、前記通信手段を通じて前記業者情報通信装置からの前記訪問を許可される業者として登録された業者の情報を受信したときに、予め設定された通知先を呼び出し、前記訪問者と、前記通知先との間で通話を可能にする手段を備える
ことを特徴とするドアホン装置。
【請求項８】
請求項７に記載のドアホン装置において、
前記ドアホン装置は、セキュリティシステムと連動するように構成されており、
前記予め設定された条件は、セキュリティシステムがオンとされているときである
ことを特徴とするドアホン装置。
【請求項９】
請求項７に記載のドアホン装置において、
前記予め設定された条件は、予め前記通知先を呼び出すようにする業者が設定されており、前記通信手段を通じて受信した情報が前記設定された業者の情報に等しい場合である
ことを特徴とするドアホン装置。
【請求項１０】
請求項７に記載のドアホン装置において、
前記予め設定された条件は、予め前記通知先を呼び出さないようにする業者が設定されており、前記通信手段を通じて受信した業者が前記設定された業者の情報以外である場合である
ことを特徴とするドアホン装置。
【請求項１１】
請求項１に記載のドアホン装置において、
前記訪問を許可される業者として、前記業者情報記憶手段に記憶された業者のうち、訪問時に呼出音を鳴らす業者を設定する手段を備える
ことを特徴とするドアホン装置。
【請求項１２】
請求項１に記載のドアホン装置において、
前記訪問を許可される業者として、前記業者情報記憶手段に記憶された業者のうち、訪問時に呼出音を鳴らさない業者を設定する手段を備える
ことを特徴とするドアホン装置。
【請求項１３】
訪問を許可される業者として登録された業者の少なくとも業者識別情報と業種を示す情報とを含む業者情報を記憶する業者情報記憶手段と、
少なくとも前記業者識別情報が記憶され、少なくとも当該業者識別情報を外部に送出する機能を備える業者情報通信装置と通信を行なって、前記業者情報通信装置からの情報を受信する機能を備える通信手段と、
前記通信手段を通じて取得した情報と、前記業者情報記憶手段に記憶されている情報とに基づいて、前記訪問を許可されている業者の訪問であるか否かを判別すると共に、前記訪問を許可される業者の前記業種を示す情報に応じて呼出音の制御を行なう制御手段と、
を備えるドアホン装置。
【請求項１４】
請求項１３に記載のドアホン装置において、
前記制御手段は、前記業種を示す情報に応じて、呼出音を異ならせるように制御する
ことを特徴とするドアホン装置。
【請求項１５】
請求項１３に記載のドアホン装置において、
前記呼出音を出力しない業種を予め設定する手段を備える
ことを特徴とするドアホン装置。
【請求項１６】
契約者宅への訪問を許可される業者の業者情報を管理する管理装置と、
前記管理装置と通信ネットワークを通じて接続される前記契約者宅のドアホン装置とからなる通信システムであって、
前記管理装置は、
訪問を許可される業者の登録を受け付け、当該登録された業者の少なくとも業者識別情報を記憶部に保存する業者情報登録手段と、
前記ドアホン装置と前記通信ネットワークを通じて通信を行なうための第１の通信手段と、
前記登録された業者の前記少なくとも業者情報を前記ドアホン装置に前記通信手段を通じて送信するようにする第１の制御手段と、
前記ドアホン装置は、
前記管理装置と前記通信ネットワークを通じて通信を行なうための第２の通信手段と、
前記第２の通信手段を通じて受信した前記登録された業者の少なくとも前記業者識別情報を記憶する業者情報記憶手段と、
少なくとも前記業者識別情報が記憶されており、少なくとも当該業者識別情報を外部に送出する機能を備える業者情報通信装置と通信を行なって、前記業者情報通信装置からの情報を受信する機能を備える第３の通信手段と、
前記第３の通信手段を通じて取得した情報と、前記業者情報記憶手段に記憶されている情報とに基づいて、前記訪問を許可される業者と、その他とを区別するように呼出音の制御を行なう第２の制御手段と、
を備えることを特徴とする通信システム。
【請求項１７】
請求項１６に記載の通信システムにおいて、
前記管理装置は、前記業者情報登録手段の前記記憶部に記憶されている前記業者識別情報を前記業者情報通信装置に少なくとも記憶させるために、前記業者情報通信手段に供給するようにする手段を備える
ことを特徴とする通信システム。
【発明の詳細な説明】
【０００１】
【発明の属する技術分野】
この発明は、住戸の玄関に設けられるドアホン装置およびこのドアホン装置を含む通信システムに関する。
【０００２】
【従来の技術】
従来の一般的なドアホン装置は、屋外に設置され、マイクロホン、スピーカおよびドアホンボタンを備える屋外ユニットと、屋内に設置され、呼出音発生手段と、マイクロホンおよびスピーカを備える屋内ユニットとからなる。そして、例えば、屋外ユニットのドアホンボタンを訪問者が押すと、屋内ユニットの呼出音発生手段が、「ピンポーン」などの呼出音を送出する。
【０００３】
この呼出音の送出により在宅者は訪問者を知る。そして、屋内ユニットのマイクロホンとスピーカおよび屋外ユニットのマイクロホンとスピーカとが用いられて、訪問者と在宅者との間で会話が行なわれ、在宅者は、玄関を開けることなく、訪問者による訪問目的を知ることができる。
【０００４】
最近のドアホン装置は、屋外ユニットに撮像素子が設けられ、当該撮像素子からの訪問者の画像を屋内ユニットに設けられるディスプレイ画面に表示して、訪問者がどのような人であるかを知ることができるようにしている（例えば特許文献１（特開２０００−０９２２２１号公報参照））。これにより、呼出音に応答して訪問者と会話をする前に、訪問者がどのような人であるかをしることができ、場合によっては、居留守を使うことも可能である。
【０００５】
【特許文献１】
特開２０００−０９２２２１号公報。
【０００６】
【発明が解決しようとする課題】
上述した従来のドアホン装置では、すべての訪問者に対して同一の呼出音を送出するようにしており、ユーザは、いつもの出入りの業者か、そうではない訪問者であるかを識別することができなかった。このため、従来のドアホン装置では、ユーザは、すべての訪問者に対して、同様の応答をしなければならず、非常に不便であった。
【０００７】
この発明は、上述の点にかんがみ、出入りの業者など特定の訪問者と、その他の訪問者とを区別することができるドアホン装置を提供することを目的とする。
【０００８】
【課題を解決するための手段】
上記課題を解決するために、請求項１の発明によるドアホン装置は、
訪問を許可される業者として登録された業者の少なくとも業者識別情報を記憶する業者情報記憶手段と、
少なくとも前記業者識別情報が記憶され、少なくとも当該業者識別情報を外部に送出する機能を備える業者情報通信装置と通信を行なって、前記業者情報通信装置からの少なくとも前記業者識別情報を受信する機能を備える通信手段と、
前記通信手段を通じて取得した情報と、前記業者情報記憶手段に記憶されている情報とに基づいて、前記訪問を許可される業者と、その他とを区別するように呼出音の制御を行なう制御手段と、
を備えることを特徴とする。
【０００９】
この発明によるドアホン装置においては、業者情報記憶手段には、予め訪問を許可される業者の少なくとも業者識別情報が記憶されている。そして、ドアホン装置は、同様の業者識別情報を少なくとも記憶する例えばＩＣカードなどの業者情報通信装置と、通信手段により通信を行ない、この通信手段を通じて取得した業者識別情報と、業者情報記憶手段に記憶されている業者識別情報とに基づいて、訪問者が登録された業者であるか、その他であるかが判別される。そして、この判別結果に基づいて、呼出音の制御が行なわれる。
【００１０】
呼出音の制御としては、例えば、登録された業者の場合と、その他の場合とで、呼出音を異ならせる、あるいは、登録された業者のみ呼出音を鳴らし、その他の場合には、呼出音を送出しない、などが可能となる。
【００１１】
したがって、ドアホン装置の使用者は、この呼出音の制御により、訪問者が予め訪問が許可された登録業者であるか、その他であるかを知ることができ、訪問者に応答するかどうかなどの対応を適切に決めることができ、非常に便利である。
【００１２】
【発明の実施の形態】
以下、この発明によるドアホン装置の実施形態およびこの実施形態のドアホン装置を含む通信システムを、図を参照しながら説明する。
【００１３】
以下に説明する通信システムの実施形態では、家の玄関ドアの近傍に、ドアホン装置を設ける。この実施形態のドアホン装置は、後述するように、訪問が許可された業者の情報が予め登録されたメモリを備えると共に、訪問が許可された業者の情報が記憶されている業者情報通信装置と通信を行なう通信手段を備える。
【００１４】
そして、ドアホン装置においては、当該通信手段において訪問者が所有する業者情報通信装置と通信を行なって業者識別情報を受信したときに、メモリに記憶されている業者識別情報と受信した業者識別情報とを比較することにより、訪問者が登録された業者であるか否かを判定し、登録された業者のときと、その他の訪問者のときとで、ドアホンの呼出音を制御する。
【００１５】
呼出音の制御の方法としては、登録された業者と、その他の訪問者とで、呼出音の送出を制御（鳴らすか、鳴らさないか）や呼出音を異ならせる方法などがある。また、呼出音を異ならせる方法としては、音色を変える、リズムを変える、メロディを変える、など種々の方法がある。
【００１６】
また、この実施形態のドアホン装置は、前記通信手段により、電子鍵装置と電子鍵情報の通信を行なって、玄関ドアの施錠、開錠を制御するドアロック制御機構を制御するようにする機能も備えている。
【００１７】
また、この例では、家の中には、窓や玄関ドアからの賊の侵入、火災の発生、ガス漏れを検知して、それぞれの異常事態に対応する措置を取るセキュリティ監視システムを設け、このセキュリティ監視システムとドアホン装置とを、通信可能に接続して連動させて動作させるようにしている。
【００１８】
そして、さらに、この例では、セキュリティ監視システムは、通信ネットワークを通じて管理サーバ装置に接続して、全体として、通信システムを構成している。ドアホン装置は、セキュリティ監視システムと接続されているので、ドアホン装置も前記管理サーバ装置に接続されていることになる。
【００１９】
そして、この例においては、ドアホン装置の屋内ユニットの一部が、セキュリティ監視システムを構成する後述の監視制御装置に包含される構成とされることにより、この実施形態の通信装置を構成している。換言すれば、以下に説明する実施形態における監視制御装置の一部は、ドアホン装置の屋内ユニットの一部を構成するものである。
【００２０】
また、この実施形態においては、業者情報通信装置と電子鍵装置とは、同一の構成を有し、制御用ＩＣ（Ｉｎｔｅｇｒａｔｅｄ  Ｃｉｒｃｕｉｔ）と、通信手段とを備えるもので、種々の形態のものが構成可能である。この例では、業者情報通信装置と電子鍵装置との具体例としては、ＩＣカードの他、携帯電話端末、ＰＤＡ（Ｐｅｒｓｏｎａｌ  Ｄｉｇｉｔａｌ  Ａｓｓｉｓｔａｎｔｓ）端末などを用いることもできる。
【００２１】
業者情報通信装置と電子鍵装置に搭載される制御用ＩＣは、業者情報用メモリあるいは電子鍵情報用メモリを備え、そのメモリには、少なくとも業者識別情報を含む業者情報あるいは少なくとも電子鍵情報を含む個人情報が格納されている。
【００２２】
業者識別情報または電子鍵情報としては、この例では、同一のものが存在しないように一元管理された識別情報が記憶される。この例では、この識別情報としては、ＩＣチップ製造番号が用いられる。なお、業者識別情報は、業者単位で付与することもできるが、この実施形態では、業者識別情報は、業者単位で付与されるのではなく、業者の担当者単位で付与されるものである。
【００２３】
例えば、図２に示すように、１社あるいは複数社のＩＣチップの製造会社１００１において、製造した制御用ＩＣチップ１００２に対して、一元管理された重複のないＩＣチップ製造番号を付与するようにする。ＩＣチップの製造会社１００１が複数社の場合には、例えば、それぞれのＩＣチップ製造会社１００１に、予め、制御用ＩＣチップ１００２に付与する製造番号を割り当てておくようにすることにより、一元管理される。したがって、製造された制御用ＩＣチップ１００２のメモリには、互いに異なるＩＣチップ製造番号が識別情報として記憶される。
【００２４】
この制御用ＩＣチップ１００２は、ＩＣカード製造工場（あるいは製造会社）１００３、携帯電話端末製造工場（あるいは製造会社）１００４、ＰＤＡ端末製造工場（あるいは製造会社）１００５などに供給されて、それらの制御用ＩＣチップと通信手段とが搭載されたＩＣカード、携帯電話端末、ＰＤＡ端末などが製造される。
【００２５】
図３は、この実施形態で用いられるＩＣチップ製造番号の一例を説明するための図である。
【００２６】
この例のＩＣチップ製造番号は、３桁のメーカー番号と、３桁のカテゴリーコードと、４桁のシリアル番号とからなる、合計１０桁の番号（記号を含む）で構成される。
【００２７】
なお、識別情報は、ＩＣチップ製造番号に限定されるものではなく、同一のものが存在しないように一元管理された情報であれば、どのようなものも使用可能である。また、識別情報として、ＩＣチップ製造番号とは異なるものを使用するときは、当該識別情報は、ＩＣチップ製造番号とは別個にＩＣのメモリに記憶するようにしてもよい。
【００２８】
業者情報通信装置および電子鍵装置の通信手段、また、ドアホン装置の前記通信手段としては、例えば、電磁誘導や電波、光や超音波などを用いた非接触による通信手段が用いられる。この実施形態においては、この通信手段は、例えば数ミリメートル〜数十センチメートルの範囲で通信ができるものであればよく、小パワーのもので十分である。
【００２９】
次に、この実施形態における通信システムにおいては、玄関ドアには、電子鍵装置によりドアの施錠、開錠を行なえるようにするためのドアロック制御機構が取り付けられる。この例では、電子鍵装置とドアホン装置との間で電子鍵情報の通信を行ない、ドアホン装置は、その通信に基づいてドアロック制御機構を制御して玄関ドアの施錠、開錠を制御するようにする。
【００３０】
以下に説明する例では、業者情報通信装置および電子鍵装置とドアホン装置との間の通信は、電磁誘導を用いた非接触による通信とされており、後述するように、ドアホン装置に設けられるリード／ライト部を介して、通信が行われる。
【００３１】
この実施形態では、ドアの施錠、開錠を制御するための電子鍵情報としては、前述したＩＣチップ製造番号からなる識別情報が用いられる。この実施形態では、当該家における電子鍵情報として、前述のようにして一元管理された識別情報が内蔵メモリに書き込まれた電子鍵装置の前記識別情報を電子鍵情報として管理サーバ装置に登録することにより、家族構成員のそれぞれが、自分用の電子鍵装置を所有して使用するようにする。
【００３２】
この実施の形態では、管理サーバ装置は、登録された家族構成員のそれぞれについての電子鍵情報をドアホン装置の電子鍵情報の記憶部に転送して、電子鍵情報をドアホン装置に登録させるようにする。ドアホン装置は、登録された電子鍵情報と、通信装置としての電子鍵装置から受信した電子鍵情報とを比較し認証して、その結果に応じてドアの施錠、開錠を制御する。
【００３３】
後述するように、この実施形態では、家族構成員のそれぞれは、自分用の電子鍵情報として、本鍵情報と、バックアップ鍵情報とを管理サーバ装置に登録することができる。電子鍵情報は、前述したように、電子鍵装置ごとに異なるので、本鍵情報とバックアップ鍵情報との登録は、本鍵装置と、バックアップ鍵装置との登録に等しい。
【００３４】
以下に説明する例においては、各人に与えられる本鍵装置としては、ドアホン装置を含むシステムの提供会社が提供するＩＣカードとされる。そして、この本鍵装置であるＩＣカードの識別情報が、ドアホン装置が当該家に取り付けられる前に、予め管理サーバ装置に、当該ＩＣカードの所有者の電子鍵情報として登録される。
【００３５】
この場合に、この実施形態では、家族構成員の数分だけ、ＩＣカードが前記提供会社から提供され、それらの複数のＩＣカードの全ての識別情報が、設置されるドアロック制御用の電子鍵情報として管理サーバ装置に登録される。
【００３６】
さらに、この実施形態では、管理サーバ装置には、ドアホン装置が設置される家の家族構成員のそれぞれについての個人情報が収集され、その個人情報に対応して、それぞれの家族構成員が持つＩＣカード（電子鍵装置）の識別情報が電子鍵情報として登録される。そして、家族構成員の個人情報は、管理サーバ装置からドアホン装置にダウンロードされ、ドアホン装置のメモリに格納される。
【００３７】
したがって、ドアホン装置は、電子鍵装置と通信を行なって取得した電子鍵情報を検索子としてメモリに記憶されている個人情報を検索することにより、それが誰の電子鍵情報であるかを判別することができる。つまり、この例の通信システムにおいては、電子鍵情報を、家族構成員の個人識別情報として用いることが可能である。
【００３８】
そして、管理サーバ装置に登録された各家族構成員の本鍵情報は、ドアロック制御システムが、当該家に設置された後、システムの設置事業者や、ユーザが管理サーバ装置に対して初期登録要求をすることにより、ドアロック装置の記憶部に登録され、電子鍵情報の認証用として使用されることになる。
【００３９】
さらに、前述したように、この実施形態においては、電子鍵情報として用いる識別情報は、個人識別情報としても用いることができることを利用して、各家族構成員個々の玄関ドアからの入退出を管理することができるようにする。
【００４０】
このように電子鍵情報を個人識別情報としても用いることにより、当該家に住む家族構成員それぞれの玄関ドアからの入退出の管理をすることがことができ、その入退出の情報を、セキュリティシステムに反映させることができ、より高機能のセキュリティシステムを構築することができる。
【００４１】
また、この実施形態では、業者情報に含まれる担当者毎の業者識別情報として、前述したＩＣチップ製造番号からなる識別情報が用いられる。この業者識別情報は、管理サーバ装置を運用する管理会社が、次のようにして発行する。
【００４２】
すなわち、先ず、この実施形態では、住戸を訪問して営業活動を行ないたい業者は、管理サーバ装置を運用する管理会社に対して、訪問許可業者の登録許可申請を行なう。この登録許可申請を受け取った管理会社は、当該登録許可申請をしてきた業者について、訪問許可についての適格性の審査を行なう。そして、管理会社は、訪問許可についての審査をパスした業者について、業者識別情報を付与し、その業者識別情報とともに、商店名や会社名などの業者名、担当者名、担当者の顔写真情報等を含む業者情報を管理サーバ装置のメモリに格納して、管理サーバ装置に登録する。
【００４３】
そして、管理会社は、訪問許可についての審査をパスして登録された業者（以下、登録業者という）には、業者識別情報を含む業者情報をメモリに格納した業者情報通信装置を担当者単位で発行する。この実施形態の場合には、前述したように、業者情報通信装置としては、電子鍵装置と同様のＩＣカードが用いられ、業者識別情報としては、前述したように一元管理されたＩＣチップ製造番号が用いられる。この場合において、この実施形態では、申請を許可した業者に複数の担当者が存在する場合には、それぞれの担当者毎に業者識別情報が付与される。
したがって、各担当者毎にＩＣカードが発行される。
【００４４】
そして、管理サーバ装置に登録された業者情報は、管理サーバ装置からドアホン装置にダウンロードされ、ドアホン装置のメモリに格納され、ドアホン装置に登録される。
【００４５】
登録業者の担当者は、前記管理会社と契約している住戸を訪問した場合には、当該住戸に設置されているドアホン装置の通信手段と、業者情報通信装置の例としての前記ＩＣカードとで通信を行なわて、ＩＣカードに格納されている業者識別情報を含む業者情報をドアホン装置に受信させるようにする。すると、ドアホン装置は、受信した業者情報中の業者識別情報と、メモリに格納されている業者情報中の業者識別情報とを比較することにより、訪問してきた業者担当者が登録業者の登録された担当者であるかを認識し、ドアホンの呼出音を制御して、住戸の家人に登録業者の訪問であるか、その他の者の訪問であるかを認識させるようにする。
【００４６】
以下に、この実施形態のドアホン装置を含む通信システムの詳細な構成および動作を説明することにする。
【００４７】
［実施形態のドアホン装置を含むセキュリティシステムの概要］
図１は、ドアホン装置およびセキュリティシステムを含む、この実施形態の通信システムの概要を説明するための図である。
【００４８】
家の玄関ドア１の近傍の外壁には、業者情報通信装置または電子鍵装置の例としてのＩＣカードと通信を行なう通信手段を備えるドアホン装置の屋外ユニット２Ａが取り付けられている。
【００４９】
家の室内には、ドアホン装置の屋内ユニットの一部の機能を備えていると共に、セキュリティシステムを構成する監視制御装置３が設けられ、ドアホン装置の屋外ユニット２Ａと接続されている。ドアホン装置の屋外ユニット２Ａと監視制御装置３とは、この例では接続線により接続されるが、無線により接続するようにしてもよい。
【００５０】
また、図１では、図示を省略したが、玄関ドア１の施錠および開錠を電子的に制御するドアロック制御機構が玄関ドア１には設けられている。そして、図１では図示しなかったが、玄関ドア１の近傍の屋内側の壁には、家の内側から電子鍵装置を用いて玄関ドアの施錠、開錠を行なうための電子鍵装置との通信手段を備えるドアホン制御ユニットが設けられる。
【００５１】
このドアホン制御ユニットは、屋外ユニット２Ａに接続されると共に、監視制御装置３にも接続される。そして、屋外および屋内の通信手段において、電子鍵装置と通信を行なって受信する電子鍵情報の認証を行ない、その結果に基づき前記ドアロック制御機構を制御して、玄関ドアの施錠、開錠を制御するようにする。
【００５２】
また、ドアホン制御ユニットは、この実施形態では、屋外ユニットの通信手段を通じて受信する業者情報通信装置からの業者情報（業者識別情報）について認証を行ない、その認証結果を、ドアホン装置の屋内ユニットの一部を構成する監視制御装置３に送信する機能も備えている。
【００５３】
監視制御装置３は、ドアホン装置からの、少なくとも電子鍵情報あるいは業者識別情報を受け取って、前述した電子鍵情報や業者識別情報の認証を行なう装置、つまり認証装置となることもできる。しかし、この例では、電子鍵情報や登録された業者識別情報の認証は、ドアホン制御ユニットで行ない、業者識別情報の認証結果に基づく呼出音制御などを監視制御装置３が行なうようにされている。
【００５４】
そして、この例では、セキュリティ監視のため、室内には、火災発生を検知する火災センサ４と、ガス漏れを検知するガスセンサ５と、窓の戸締りを検知する窓センサ６ａ，６ｂと、テレビ７が設けられ、それぞれ監視制御装置３に接続されている。監視制御装置３とそれらとの接続も、接続線により接続されているが、無線により接続してもよい。
【００５５】
また、図１では省略したが、火災センサ４で火災発生を検知したときに、その発生現場近傍を撮影できるような位置や、窓センサ６ａ，６ｂで賊の侵入を検知したときに、その賊を撮影できるような位置には、監視カメラを設けるようにすることができる。その場合には、それら監視カメラは監視制御装置３に接続され、監視カメラの撮影画像が監視制御装置３に供給されるようにされる。
【００５６】
監視制御装置３は、また、電話回線８を通じ、通信ネットワーク９を通じてセキュリティシステムの管理会社が運営する管理サーバ装置１０に接続される。ドアホン装置が設置される住戸の所有者は、この管理会社とセキュリティ契約や訪問業者委託契約をするものである。なお、この管理会社の管理サーバ装置１０も、ドアホン装置からの電子鍵情報や業者識別情報を、監視制御装置３を介して受け取ることにより、電子鍵情報や業者識別情報の認証を行なう装置となることもできる。
【００５７】
通信ネットワーク９は、携帯電話網をも含み、後述するように、監視制御装置３は、異常状態の発生時に、予め登録された携帯電話端末１１ａ，１１ｂに、当該異常状態の発生を知らせることが可能とされている。
【００５８】
また、監視制御装置３は、例えばセキュリティモードがオンの場合のように在宅者が存在しないときに、登録業者の担当者が訪問してきた場合に、外出先のユーザに当該登録業者の担当者の訪問を通知することが可能に構成されている。また、この例の監視制御装置３には、外出先の家人に通知する特定の業者担当者を設定することが可能とされており、当該設定された業者担当者が訪問してきたときにも、設定された外出中の家人に、当該訪問者の通知を行なうことが可能とされている。
【００５９】
さらに、通信ネットワーク９は、インターネットを含み、パーソナルコンピュータ１２は、管理サーバ装置１０に対して当該インターネットを通じてアクセスすることが可能とされている。また、携帯電話端末１１ａ，１１ｂからも、管理サーバ装置１０にアクセスすることが可能とされている。
【００６０】
次に、ドアホン装置の具体的構成例およびその動作、また、監視制御装置３の具体的構成例およびその動作について、詳細に説明する。なお、以下に説明する例では、前述したように、電子鍵情報や業者識別情報の認証は、ドアホン装置のドアホン制御ユニット２Ｂに設けられる制御装置部が行なうものとする。
【００６１】
［電子鍵装置や業者情報通信手段の例としてのＩＣカードの構成例］
前述したように、電子鍵装置や業者情報通信装置としては、ＩＣカードの他、携帯電話端末やＰＤＡ端末なども用いることができる。しかし、電子鍵装置および業者情報通信装置は、制御用ＩＣチップと、通信手段とを備える点では共通している。電子鍵装置および業者情報通信装置がＩＣカードである場合の構成例を次に示す。
【００６２】
図４（Ａ）は、この例のＩＣカード４０の表面を示し、この表面には、所有者の氏名と、ＩＤ番号が表示されていると共に、所有者の顔写真４０Ｐが貼付されている。所有者は、電子鍵装置としてのＩＣカードの場合には家族構成員であり、業者情報通信装置の場合には管理サーバ装置１０に登録された業者の担当者である。
【００６３】
また、図４（Ｂ）は、ＩＣカード４０の内部構成例を示しており、ＩＣカード４０内には、後述するドアホン装置のリード／ライト部と通信を行なうための電磁誘導アンテナ４１と、制御用ＩＣ４２とが内蔵されている。
【００６４】
図５は、この例の場合のＩＣカード４０の内部ブロック構成を示すものである。ＣＰＵ（Ｃｅｎｔｒａｌ  Ｐｒｏｃｅｓｓｉｎｇ  Ｕｎｉｔ）４０１に対してシステムバス４０２を介してプログラムやデータが記録されているＲＯＭ（Ｒｅａｄ  Ｏｎｌｙ  Ｍｅｍｏｒｙ）４０３と、ワークエリア用ＲＡＭ（Ｒａｎｄｏｍ  Ａｃｃｅｓｓ  Ｍｅｍｏｒｙ）４０４と、電子鍵情報となる識別情報を含む個人情報あるいは業者識別情報を含む業者情報が記憶されている識別情報等メモリ４０５と、通信履歴メモリ４０６と、送受信インターフェース４０７とが接続されている。
【００６５】
なお、識別情報等メモリ４０５には、当該ＩＣカードが、電子鍵情報を提供する電子鍵装置と、業者情報を提供する業者情報通信装置とのいずれであるかを示すカード種別情報も記憶されている。ドアホン装置のリード／ライト部は、ＩＣカードから受信した情報に含まれるこのカード種別情報により、通信を行なったＩＣカードが電子鍵装置、業者情報通信装置のいずれであるかを認識するようにする。
【００６６】
識別情報等メモリ４０５には、前述したＩＣ製造番号からなる個人識別情報を含む個人情報あるいは同様にＩＣ製造番号からなる担当者毎の業者識別情報を含む業者識別情報が記憶されている。
【００６７】
通信履歴メモリ４０６には、各所有者がこのＩＣカード４０とドアホン装置の後述するリード／ライト部との通信を行なった時刻や履歴（内側と外側のどちらのリード／ライト部と通信したか情報を含む）や、各所有者の外出、帰宅の履歴などを書き込むことが可能とされている。なお、これらの履歴情報は、後述するように、ドアホン装置のメモリや監視制御装置３のメモリにおける家族構成員の各人に対応するエリアにも記憶されるものである。
【００６８】
送受信インターフェース４０７には、電磁誘導アンテナ４１に接続されている情報送受信回路部４０８が接続されている。
【００６９】
また、ＣＰＵ４０１は、電磁誘導アンテナ４１にて受信した情報を、情報送受信回路部４０８および送受信インターフェース４０７を通じて取り込み、通信履歴メモリ４０６に書き込んだりする処理も行なう。
【００７０】
［ドアホン装置の構成］
この実施形態のドアホン装置は、前述したように、図１に示した屋外ユニット２Ａと、ドアホン制御ユニットと、ドアロック制御機構と、屋内ユニットの一部を構成する監視制御装置３の一部とを含んで構成されるものである。
【００７１】
屋外ユニット２Ａは、図６（Ａ）に示すように、玄関ドア１の外側の横の壁に取り付けられる。図７は、この屋外ユニット２Ａの外観を示しており、電子鍵装置あるいは業者情報通信装置の例としてのＩＣカード４０と通信を行なう外側リード／ライト部２１ｅｘと、電子鍵情報や業者識別情報の認証結果や玄関ドア１の施錠または開錠を視覚的に知らせるための表示素子の例としての外側ＬＥＤ（Ｌｉｇｈｔ  Ｅｍｉｔｔｉｎｇ  Ｄｉｏｄｅ；発光ダイオード）２２ｅｘと、電子鍵情報や業者識別情報の認証結果や玄関ドア１の施錠または開錠を音声により知らせるための外側スピーカ２３ｅｘと、マイクロホン２４ｅｘと、ドアホンボタン２５と、訪問者を撮影するためのカメラ２６が設けられている。カメラ２６の撮像素子としては、例えばＣＣＤ（Ｃｈａｒｇｅｄ  Ｃｏｕｐｌｅｄ  Ｄｅｖｉｃｅ）が用いられる。
【００７２】
ドアホン制御ユニット２Ｂは、図６（Ｂ）に示すように、玄関ドア１の室内側の横の壁に取り付けられる。図８は、このドアホン制御ユニット２Ｂの外観を示しており、電子鍵装置の例としてのＩＣカード４０と通信を行なうための内側リーダ／ライタ部２１ｉｎと、電子鍵情報の認証結果や玄関ドア１の施錠または開錠を視覚的に知らせるための表示素子の例としての内側ＬＥＤ２２ｉｎと、電子鍵情報の認証結果や玄関ドア１の施錠または開錠を音声により知らせるための内側スピーカ２３ｉｎとが設けられている。そして、その内部には、マイクロコンピュータを搭載する後述する制御装置部１００が設けられている。内側リード／ライト部２１ｉｎは、この例では、業者情報通信装置の例としてのＩＣカード４０とは通信を行なうことはない。
【００７３】
また、ドアロック制御機構は、玄関ドア１に取り付けられており、図９に示すように構成されている。すなわち、図９（Ａ）および図９（Ｂ）は、ドアロック制御機構の構成例を説明するための図である。図９（Ａ）は、家の外側から玄関ドア１のドア制御機構の取り付け部分近傍を見た図である。また、図９（Ｂ）は、玄関ドア１のドアロック制御機構の取り付け部分近傍を、玄関ドア１の端面側から見た図である。
【００７４】
この例のドアロック制御機構においては、玄関ドア１には、玄関ドア係止片２７と、ロック片２８と、ドア開閉センサ２９が設けられている。さらに、玄関ドア１の内側には、ドアホン装置のドアホン制御ユニット２Ｂに設けられる電子ロック機構駆動部により駆動制御される電子ロック機構１３０が設けられている。
【００７５】
玄関ドア係止片２７は、外側ドアノブ１ｅｘあるいは内側ドアノブ１ｉｎの操作に応じて、玄関ドア１の端面１ａに垂直な方向に摺動移動する部材である。これは、後述するオートロックモードでない場合において、玄関ドア１が施錠されていないときにも、玄関ドア１の端面１ａと対向する壁の端面側に設けられる凹部に勘合して、玄関ドア１を、係止するためのものである。
【００７６】
ロック片２８は、ドアロック制御機構の一部を構成する部材であり、図９では図示を省略した電子ロック機構駆動部により電子ロック機構１３０が駆動されることにより、玄関ドアの端面１ａに垂直な方向に摺動移動して、玄関ドア１を施錠するときには、図９のように、玄関ドア１の端面１ａから突出する状態に固定され、玄関ドア１を開錠するときには、玄関ドア１の端面１ａから突出しない状態に固定される。
【００７７】
なお、図示は省略したが、玄関ドア１の端面１ａと対向する壁の端面には、このロック片２８が突出した状態のときに嵌合される凹部が形成されており、ロック片２８が当該凹部に嵌合される状態が玄関ドアの施錠状態となる。そして、ロック片２８が玄関ドア１側に引っ込んで、当該凹部に嵌合していないときには、施錠状態が解除されて、開錠状態になる。
【００７８】
玄関ドア開閉センサ２９は、例えば光学式センサが用いられ、玄関ドア１が開けられたときは外部光を検知することにより、それを検知し、玄関ドア１が閉じられたときには、玄関ドア１の端面１ａが、壁の端面と衝合することにより外部光が遮断されることを検知することにより、それを検知して、玄関ドア１の開閉を検知する。
【００７９】
［ドアホン装置の屋内制御ユニット２Ｂの内部構成の説明］
ドアホン制御ユニット２Ｂには、この実施形態のドアホン装置における電子鍵情報、業者識別情報の認証制御や、ドアロック制御を行なうための制御装置部１００が内蔵されている。このドアホン装置の制御装置部１００の構成例を図１０に示す。なお、以下の説明においては、電子鍵装置や業者情報通信装置としては、ＩＣカード４０を用いるものとする。
【００８０】
すなわち、ドアホン制御ユニット２Ｂに内蔵の制御装置部１００は、マイクロコンピュータの構成を備えており、ＣＰＵ（Ｃｅｎｔｒａｌ  Ｐｒｏｃｅｓｓｉｎｇ  Ｕｎｉｔ）１０１に対してシステムバス１０２を介してプログラムやデータが記録されているＲＯＭ（Ｒｅａｄ  Ｏｎｌｙ  Ｍｅｍｏｒｙ）１０３と、ワークエリア用ＲＡＭ（Ｒａｎｄｏｍ  Ａｃｃｅｓｓ  Ｍｅｍｏｒｙ）１０４と、家族構成員の個々についての電子鍵情報となる識別情報（この例では、ＩＣ製造番号）を含む個人情報が記憶されている家族情報メモリ１０５と、登録された業者についての業者情報が記憶される業者情報メモリ１０６と、種々の音声メッセージが記憶されている音声メッセージメモリ１０７と、監視制御装置３と通信を行なうための通信インターフェース１０８とが接続されている。
【００８１】
家族情報メモリ１０５および業者情報メモリ１０６は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）で構成される。
【００８２】
家族情報メモリ１０５には、後述するように、管理サーバ装置１０に登録された本鍵情報やバックアップ鍵情報が、家族構成員のそれぞれについて、電子鍵情報として登録されて格納されている。また、各家族構成員を識別するための情報、例えば、氏名、年齢、性別、続き柄、その他の個人情報も、併せて家族情報メモリ１０５に格納するようにしてもよい。この家族情報メモリ１０５への電子鍵情報の登録に関しては、後述する。
【００８３】
また、業者情報メモリ１０６には、後述するように、管理サーバ装置１０に登録された業者の担当者毎の業者識別情報と、当該登録された業者の社名、担当者名、業種、その他の業者に関する情報が格納されている。この業者情報メモリ１０６への業者情報の登録に関しては、後述する。
【００８４】
また、システムバス１０２には、インターフェース１０９および１１０を介して内側リード／ライト部２１ｉｎおよび外側リード／ライト部２１ｅｘが接続され、また、内側ＬＥＤ駆動部１１１を介して内側ＬＥＤ２２ｉｎが接続され、外側ＬＥＤ駆動部１１２を介して外側ＬＥＤ２２ｅｘが接続され、さらに、音声出力インターフェース１１３を介して内側スピーカ２３ｉｎが接続され、音声出力インターフェース１１４を介して外側スピーカ２３ｅｘが接続される。
【００８５】
また、システムバス１０２には、画像入力インターフェース１１５を介してカメラ２６が接続されると共に、ボタンインターフェース１１６を介してボタン操作部２５が接続される。
【００８６】
さらに、システムバス１０２には、インターフェース１１７を介してドア開閉センサ２９が接続されると共に、電子ロック機構駆動部１１８を介して、ロック片２８を摺動駆動させる電子ロック機構１３０が接続される。さらに、システムバス１０２には、時刻情報およびカレンダー情報を提供する時計回路１１９が接続されている。
【００８７】
外側リード／ライト部２１ｅｘおよび内側リード／ライト部２１ｉｎは、ＩＣカード４０と通信を行なう通信部を構成する。外側リード／ライト部２１ｅｘおよび内側リード／ライト部２１ｉｎは、この例では、電磁誘導アンテナおよび情報送受信回路部を含む。
【００８８】
この例のドアホン装置は、ドアロック制御機構に関するドアロック制御モードとして、オートロックモードと、逐次ロックモードとの２通りの制御モードを備えている。
【００８９】
オートロックモードは、リード／ライト部２１ｅｘ，２１ｉｎを介して電子鍵装置としてのＩＣカード４０と通信することに基づき、電子ロック機構がドアホン制御ユニットより制御されて、玄関ドア１が一旦開錠された後、所定時間後に自動的に玄関ドアが施錠状態にされるモードである。オートロックモードにおいては、常に、外側、内側リード／ライト部２１ｅｘ，２１ｉｎの両方を用いるものとなる。
【００９０】
また、逐次ロックモードは、少なくとも玄関ドア１の外側のリード／ライト部２１ｅｘを通じてＩＣカード４０Ｆと通信することに基づき、電子ロック機構がドアホン制御ユニットより制御されて、玄関ドアの施錠、開錠の状態が、そのときの状態とは逆の状態に反転されるモードである。この逐次ロックモードにおいても、外側、内側リード／ライト部２１ｅｘ，２１ｉｎの両方を用いることができるが、内側は、別途のマニュアルの施錠手段により施錠するようにした場合には、外側リード／ライト部２１ｅｘを通じたＩＣカード４０との通信のみにより、玄関ドアの施錠、開錠動作を行なわせるようにすることができる。この逐次ロックモードは、従来からの一般的な鍵による施錠、開錠の方法に合わせたモードである。
【００９１】
ドアロック制御モードをオートロックモードとするか、逐次ロックモードとするかの選択設定は、この例では、例えば、ドアホン装置を取り付ける際に、後述するように、作業者により監視制御装置３を通じて行なわれる。
【００９２】
いずれのドアロック制御モードに設定されているかの情報は、ドアホン制御ユニットの制御装置部１００内の、図示を省略した不揮発性メモリに格納されており、ドアホン制御ユニットの制御装置部１００は、当該不揮発性メモリの記憶情報を参照することにより、自装置のドアロック制御モードが、オートロックモードか、逐次ロックモードかを認識するものである。監視制御装置３を通じたドアロック制御モードの設定動作に関しては、後述する。
【００９３】
なお、ドアホン装置におけるドアロック制御モードをオートロックモードとするか、逐次ロックモードとするかの選択設定は、監視制御装置３を通じて行なうのではなく、ドアホン装置において直接的に行なうようにすることもできる。例えば、予め、ドアホン装置の出荷時に、いずれのドアロック制御モードにするかの設定をドアホン装置に行なっておくようにしても良い。また、ドアホン装置に、ドアホン装置の設置作業者が操作可能な入力操作手段、例えばディップスイッチ等をドアホン制御ユニット２Ｂに設けておき、当該入力操作手段を通じて、ドアロック制御モードの設定を行なうようにしてもよい。
【００９４】
［監視制御装置３の外観の説明］
図１１は、室内に設けられる監視制御装置３の構成を説明するための外観図であり、この監視制御装置３は、この実施形態では、例えば赤外線や電波を用いたリモートコマンダ５０によりリモコン制御可能の構成とされている。
【００９５】
監視制御装置３の筐体３０には、ビデオカメラ３１が組み込まれている。このビデオカメラ３１は、この例では、実線位置の横置き状態と、点線位置の縦置き状態とのいずれの状態をも取れる機構により、筐体３０に対して取り付けられている。このビデオカメラ３１は、セキュリティモードがオンとされたときに、監視制御装置３からの指示により撮影を開始するようにされている。
【００９６】
また、ビデオカメラ３１による撮影方向は、ビデオカメラが首振り方向に調整可能な構造とされているので、その調整により変えられるようにされている。したがって、使用者は、セキュリティモードオンに先立ち、ビデオカメラ３１による撮影方向の調整を行なっておくことができる。
【００９７】
そして、筐体３０には、ビデオカメラ３１による撮影対象部を明るく照明するための撮影用ランプ３２が設けられている。また、筐体３０には、例えば遠赤外線を検知することにより人を検知する人感センサ３３が設けられている。監視制御装置３は、後述するように、セキュリティモードオンのときに人感センサ３３で人を検知したときには、賊の侵入であるとして検知し、撮影用ランプ３２をオンにすると共に、所定の通報先に撮影画像を送るようにする。
【００９８】
筐体３０には、また、マイクロホン３４とスピーカ３５とが設けられている。
マイクロホン３４は、賊の声や賊侵入時の室内の臨場音を収音するためのものである。スピーカ３５は、侵入してきた賊を威嚇する音声を放音するためなどに用いられる。
【００９９】
筐体３０には、また、電子鍵装置としてのＩＣカード４０と通信を行なうリード／ライト部３６が設けられる。このリード／ライト部３６は、この例では、伝言の記録、再生の際に用いられる。すなわち、この例においては、監視制御装置３は、伝言装置の役割もできるように構成されており、リード／ライト部３６により、電子鍵装置としてのＩＣカード４０を読み取らせた後、リモートコマンダ５０の伝言記録ボタンを押すと、設定した相手（家族の誰か）に伝言が残すことができ、また、リモートコマンダ５０の伝言再生ボタンを押すと、自分宛ての伝言を再生することができるようになっている。
【０１００】
この伝言が記録されているかどうかなどを知らせるため等の用途として、筐体３０には、複数個のＬＥＤ３７が設けられている。また、筐体３０には、さらに、リモートコマンダ５０からのリモコン信号の受信部３８が設けられる。
【０１０１】
また、図１１では図示を省略したが、監視制御装置３の背面パネルには、テレビ受像機７のビデオ入力端子に接続される映像出力端子が設けられている。そして、監視制御装置３には、テレビ受像機７の電源のオン・オフなどを制御するためのリモコン送信部３９が設けられている。
【０１０２】
さらに、監視制御装置３は、火災センサ４、ガスセンサ５、窓センサ６ａ，６ｂ、さらには、監視カメラを接続するためのセンサハブを備えている。また、図１で説明したように、監視制御装置３は、電話回線を通じて、管理会社が運営する管理サーバ装置１０にアクセスできるように構成されている。
【０１０３】
［監視制御装置３の構成例］
監視制御装置３の内部構成および監視制御装置３と周辺機器との接続状態の構成例を図１２に示す。
【０１０４】
監視制御装置３は、マイクロコンピュータの構成を備えており、ＣＰＵ２０１に対して、システムバス２０２を介して、プログラムやデータが記録されているＲＯＭ２０３と、ワークエリア用ＲＡＭ２０４と、ドアホン装置の制御装置部１００の家族情報メモリ１０５と同様に、電子鍵装置としてのＩＣカード４０を所有する家族全員の電子鍵情報となる識別情報が記憶されている家族情報メモリ２０５と、ドアホン装置の制御装置部１００の業者情報メモリ１０６と同様に、業者情報が記憶されている業者情報メモリ２１３と、ドアホン装置の制御装置部１００と通信を行なうためのドアホン装置通信インターフェース２０６と、センサハブ２０７と、ビデオカメラ３１の撮影画像およびマイクロホン３４で収音した音声を記憶するための画像・音声メモリ２０８と、電話回線を通じて管理サーバ装置１０等と通信を行なうための通信インターフェース２０９とが接続されている。
【０１０５】
また、システムバス２０２には、カメラインターフェース２１０を介してビデオカメラ３１が、インターフェース２１１を介して撮影用ランプ３２の照明機構３２０が、インターフェース２１２を介して人感センサ３３が、インターフェース２１４を介してリード／ライト部３６が、インターフェース２１５を介してリモコン受信部３８が、インターフェース２１６を介してリモコン送信部３９が、音声入力インターフェース２１８を介してマイクロホン３４が、インターフェース２１９を介してＬＥＤ３７が、音声出力インターフェース２２０を介してスピーカ３５が、それぞれ接続されている。
【０１０６】
さらに、システムバス２０２は、ビデオ信号出力端子からなるテレビインターフェース２１７を介してテレビ受像機７に接続されている。また、システムバス２０２には、時計回路２２１と、通知連絡設定メモリ２２２とが接続されている。
【０１０７】
家族情報メモリ２０５および業者情報メモリ２１３は、例えばＥＥＰＲＯＭで構成される。家族情報メモリ２０５には、ドアホン装置の制御装置部１００の家族情報メモリ１０５と同様に、家族構成員のそれぞれについての識別情報と、個人情報とが格納されている。この明細書では、識別情報と個人情報とからなる情報を、個人プロファイル情報と呼ぶことにする。
【０１０８】
また、業者情報メモリ２１３には、ドアホン装置の制御装置部１００の業者情報メモリ１０６と同様の業者情報が格納されている。
【０１０９】
後述するように、この例では、家族構成員すべての個人プロファイル情報は、ドアホン装置および監視制御装置３が設置されたときに、設置管理者が管理サーバ装置１０に初期登録依頼をすることにより、管理サーバ装置１０から送られてきて、監視制御装置３に自動的に登録される。そして、監視制御装置３は、個人プロファイル情報のうちの少なくとも個人識別情報を電子鍵情報として、ドアホン装置の制御装置部１００に転送する。この例においては、個人プロファイル情報のすべてを転送するようにしている。制御装置部１００は、その電子鍵情報等を家族情報メモリ１０５に登録する。
【０１１０】
初期登録時には、また、それまでに管理サーバ装置１０に登録されている業者情報が、管理サーバ装置１０から監視制御装置３に送られてきて、監視制御装置３に自動的に登録される。そして、監視制御装置３は、登録した業者情報のうちの少なくとも業者識別情報を、ドアホン装置の制御装置部１００に転送する。この例においては、業者識別情報を含む業者情報のすべてを転送するようにしている。制御装置部１００は、その業者情報を業者情報メモリ１０６に登録する。
【０１１１】
図１３に、電子鍵装置としてのＩＣカード４０および家族情報メモリ１０５，２０５に記憶される一人分の個人プロファイル情報の例を示す。図１３に示すように、個人プロファイル情報は、個人識別情報と個人情報とが対応付けられて記憶された情報である。この実施形態では、個人識別情報は、前述したように、ＩＣチップ製造番号が用いられる。個人識別情報は個人情報と対応させることで、具体的に誰の識別情報であるかが判明する。この識別情報は、電子鍵情報の役割を有することは前述した通りであり、図１３に示すように、電子鍵情報としては、本鍵情報とバックアップ鍵情報とが登録可能である。バックアップ鍵情報は、複数個、登録可能としてもよい。
【０１１２】
図１３の例においては、個人情報としては、パスワード情報、氏名、住所、生年月日、年齢、続柄、登録日、銀行口座番号、電話番号（携帯電話の電話番号等、連絡先の電話番号である）、電子メールアドレス、ＩＰアドレス、趣味／嗜好情報、家の玄関からの入退出履歴情報、電子鍵登録・紛失履歴情報などが家族情報メモリ１０５、２０５に記憶される。
【０１１３】
この例の入退出履歴情報には、外出時刻、帰宅時刻が記憶されるほか、外出中であるか、在宅であるかの在／不在フラグが含まれる。この入退出履歴情報は、監視制御装置３が玄関ドア７を通じての家族の入退出を管理するために用いられる。
【０１１４】
また、電子鍵登録・紛失履歴情報は、管理サーバ装置１０から電子鍵情報のバックアップ登録要求や抹消要求が到来して、バックアップ登録や抹消処理をしたときに、その日付、時刻とともに、バックアップ鍵情報や抹消した電子鍵情報を、バックアップ登録および抹消の区別をして記録しておくものである。管理サーバ装置１０は、電子鍵装置の所有者によって、電子鍵情報のバックアップ登録がなされたときや、電子鍵情報の抹消登録要求がなされたときに、監視制御装置３に対して、バックアップ登録要求や抹消要求を送る。
【０１１５】
なお、この図１３の個人プロファイル情報が記憶されるＩＣカード４０には、前述したように、カード種別情報として、電子鍵装置であることを示す情報（図１３では、点線で囲んで示した）が格納される。
【０１１６】
業者情報は、図１４に示すようなものとされる。図１４に示すように、業者情報は、業者識別情報と業者詳細情報とが対応付けられて記憶された情報である。
この実施形態では、業者識別情報は、前述したように、ＩＣチップ製造番号が用いられる。業者識別情報は業者詳細情報と対応させることで、具体的にどの業者のどの担当者の識別情報であるかが判明する。この業者情報は、業者情報通信装置としてのＩＣカード４０や、業者情報メモリ１０６、２１３に記憶される。
【０１１７】
図１４の例においては、業者情報としては、パスワード情報、業種、会社名（商店名）、住所、担当者情報、登録日、銀行口座番号、電話番号、電子メールアドレス、訪問履歴情報などからなる。業種は、例えば宅配、郵便、クリーニング、保険などである。
【０１１８】
担当者情報として、氏名、性別、年齢、顔写真情報などが登録される。顔写真情報は、ＩＣカード４０への業者情報の記憶の際には、省略してもよい。この例の訪問履歴情報には、訪問先および訪問時刻が記憶される。
【０１１９】
なお、この図１４の業者情報が記憶されるＩＣカード４０には、前述したように、カード種別情報として、業者情報通信装置であることを示す情報（図１４では、点線で囲んで示した）が格納される。
【０１２０】
さらに、この例では、監視制御装置３の家族情報メモリ２０５には、セキュリティモード用の情報も格納されている。すなわち、この例では、監視制御装置３では、家族構成員の在宅状況に応じて、セキュリティレベルを変更することが可能なように構成されている。図１５は、セキュリティレベルと家族構成員の在宅状況との関係を示すテーブルである。また、図１６は、セキュリティレベルとセキュリティ内容との対応を示すテーブルである。
【０１２１】
図１６に示すように、この例においては、セキュリティレベルは、セキュリティレベルが高い方から順に、レベルＡ、レベルＢ、レベルＣ、レベルＤまであり、レベルＡにおいては、窓および玄関ドアの監視、火災やガス漏れの監視、ビデオカメラ３１による監視の全てを行ない、レベルＢでは、ビデオカメラ３１による監視は行なわずに、窓および玄関ドアの監視および火災やガス漏れの監視を行ない、レベルＣでは、火災やガス漏れの監視のみを行ない、レベルＤでは、監視を行なわない、という内容である。
【０１２２】
そして、図１５に示すように、家族構成員の在宅状況のそれぞれに対して各セキュリティレベルが割り付けられる。すなわち、この例では、父親が在宅の状況では、監視を行なわないレベルＤとされる。また、父親が不在であるが母親が在宅の状況では、火災やガス漏れの監視のみを行なうレベルＣとされる。また、子供のみが在宅の状況では、窓および玄関ドアの監視および火災やガス漏れの監視を行なうレベルＢとされる。そして、全員が不在である状況では、全ての監視を行なうレベルＡとされる。
【０１２３】
監視制御装置３では、セキュリティモードをオンにするとき、また、セキュリティレベルを変更するとき、これら図１５、図１６のテーブルを参照し、在宅状況に応じてセキュリティレベルを決定するようにする。
【０１２４】
図１５のセキュリティレベルと、家族構成員の在宅状況との関係は、予め設定しておくこともできるし、使用者が、例えばリモートコマンダ５０を用いて監視制御装置３に入力設定することにより、設定を変更することできるように構成されている。
【０１２５】
なお、これら図１５、図１６のテーブル情報は、家族情報メモリ２０５ではなく、別のメモリに格納するようにしても良いことは言うまでもない。
【０１２６】
ドアホン装置通信インターフェース２０６は、ドアホン装置の制御装置部１００に接続されている。センサハブ２０７には、火災センサ４、ガスセンサ５、窓センサ６ａ，６ｂおよび１個あるいは複数個の監視カメラ１３が接続される。
【０１２７】
画像・音声メモリ２０８は、少なくとも、セキュリティモードがオンであるときに、ビデオカメラ３１で撮影した画像情報と、マイクロホン３４で収音した音声情報とをバッファリングする監視情報領域と、伝言として記録されている画像情報および音声情報を記憶する伝言情報領域とを備えている。また、監視情報領域には、監視カメラ１３用の画像記憶領域も設けられている。
【０１２８】
監視情報領域は、この例では、所定時間、例えば３０秒分の画像情報および音声情報を、いわゆるリングバッファ形式で記憶する。なお、監視情報領域と伝言情報領域とは、別々のメモリの構成とすることも勿論できる。
【０１２９】
通信インターフェース２０９は、この例では、ルータ６１に接続されている。
ルータ６１は、ＡＤＳＬモデム６２、スプリッタ６３を通じて電話回線６５に接続されている。スプリッタ６３には、また、電話端末６４が接続される。
【０１３０】
時計回路２２１は、現在時刻の情報をシステムバス２０２に送出する。現在時刻の情報には、年、月、日、曜日などのいわゆるカレンダー情報も含む。
【０１３１】
通知連絡設定メモリ２２２は、後述するように、使用者によりリモートコマンダ５０が用いられて設定された外部通知連絡先などの設定情報を記憶する。ＣＰＵ２０１は、この設定情報に基づいて、設定された通知連絡先とドアホン装置との間で通信路（通話路）を形成し、訪問者と、通知連絡先の者との間で通話を可能にする。設定動作や通信路形成動作等に関しては、後述する。
【０１３２】
［リモートコマンダ５０の説明］
監視制御装置３用のリモートコマンダ５０は、図１１に示すように、セキュリティボタン５１と、オフボタン５２と、伝言記録ボタン５３と、伝言再生ボタン５４と、メニューボタン５５と、上下左右の選択を行なう４個のキーとその中央の決定キーとからなるカーソルボタン５６とを備えて構成されている。
【０１３３】
メニュー項目としては、この例では、訪問に対する外部通知の設定、訪問者に対する呼出音の設定、ドアホン装置におけるドアロック制御モードの設定、その他が、用意されており、それぞれのメニュー項目に対応する処理を実行するアプリケーションプログラムは、監視制御装置３のＲＯＭ２０３に格納されている。
【０１３４】
［管理サーバ装置１０の構成］
次に、管理サーバ装置１０の構成例を図１７に示す。管理サーバ装置１０は、コンピュータの構成を備えており、ＣＰＵ３０１に対して、システムバス３０２を介して、プログラムやデータが記録されているＲＯＭ３０３と、ワークエリア用ＲＡＭ３０４と、管理データベース３０５と、電子鍵登録・紛失履歴メモリ３０６と、インターネットなどの通信ネットワークを通じて通信を行なうための通信インターフェース３０７とが接続されている。また、システムバス３０２には、さらに、ホームページ用メモリ３０８と、画像・音声メモリ３０９とが接続されている。
【０１３５】
管理データベース３０５には、個人情報メモリ部３０５Ａと、業者情報メモリ部３０５Ｂとが設けられる。個人情報メモリ部３０５Ａには、ドアホン装置あるいは監視制御装置３のシリアル番号、ドアホン装置および監視制御装置３が設置された契約者宅の住所、電話番号、ＩＰアドレス、ドアホン装置の利用者の氏名、登録された電子鍵情報の個人プロファイル情報など、この実施形態のドアホン装置によるドアロック管理およびセキュリティ管理に必要な事項が格納されている。電話番号、ＩＰアドレスは、ドアホン装置および監視制御装置３の通信ネットワーク９上のアドレス情報である。
【０１３６】
また、業者情報メモリ部３０５Ｂには、管理会社に対して後述のようにして登録要求してきた業者のうちの審査に合格して登録された業者についての業者情報が格納されている。
【０１３７】
電子鍵登録・紛失履歴メモリ３０６には、各ドアホン装置ごとに、電子鍵情報の登録と電子鍵装置の紛失の履歴が記憶される。業者情報通信装置の登録と、紛失の履歴も、このメモリ３０６に記憶される。
【０１３８】
ホームページ用メモリ３０８には、ホームページの各ページの表示情報が格納されており、ＣＰＵ３０１の指示に従い、必要なページの表示情報が、このメモリ３０８から読み出されて、通信インターフェース３０７を通じて通信ネットワークに送出される。
【０１３９】
画像・音声メモリ３０９は、セキュリティ監視システムから送られてくる画像・音声情報を格納する。管理サーバ装置１０では、セキュリティ監視システムからの画像・音声をチェックして、警備会社に通知したり、ユーザの求めに応じて、画像・音声情報をホームページを通じて提供したりするようにする。
【０１４０】
次に、以上のような構成の通信システムにおける種々の動作について、以下に説明する。
【０１４１】
［電子鍵情報および業者情報の登録］
図１８は、電子鍵情報および業者情報の管理サーバ装置１０への登録を説明するための図である。先ず、電子鍵情報の登録について説明する。
【０１４２】
［電子鍵情報の登録］
この実施形態のドアホン装置の購入者は、その維持管理を行なう管理会社と契約を行なう。そして、管理会社が運用する管理サーバ装置１０に電子鍵情報が登録（記憶）されて、管理される。
【０１４３】
この電子鍵情報としての識別情報の登録が簡単にできることはセキュリティの点で好ましくないので、この例では、この電子鍵情報としての識別情報の登録は、次のようにセキュリティを重視した方法により、例えばドアホン装置の販売業者あるいは設置業者もしくはドアホン装置の使用者により行なわれる。
【０１４４】
先ず、本鍵情報の登録について説明する。この実施形態においては、前述したように、初期的な本鍵情報となる識別情報を記憶する電子鍵装置は、ＩＣカードとしており、ドアホン装置の販売業者あるいは設置業者から、ドアホン装置が設置される契約者宅１４０への設置に際して、使用者に渡される。
【０１４５】
この実施形態の場合、ドアホン装置の各契約者宅１４０への設置前に、当該ドアホン装置を設置する住戸の家族構成員の各人についての個人情報が収集され、管理サーバ装置１０に記憶される。個人情報の収集方法としては、アンケート形式の文書による収集方法の他、パーソナルコンピュータ１４１を用いて契約者が管理サーバ装置１０の個人情報収集ホームページにアクセスして、個人情報を提供する方法などがある。
【０１４６】
契約者宅１４０の家族構成員の個人情報を収集し、管理サーバ装置１０に当該個人情報を格納した管理会社は、当該家族構成員の各人に対して、収集した個人情報と本鍵情報となる識別情報とを記憶するＩＣカード４０を発行する。それぞれのＩＣカード４０に記憶される本鍵情報としての識別情報と、前記収集された個人情報とから個人プロファイル情報が構成される。
【０１４７】
そして、設置されるドアホン装置のシリアル番号等からなる製品番号、設置される住戸の住所、電話番号、ドアホン装置を利用する家族構成員の氏名などのユーザ情報と、各家族構成員の前記個人プロファイル情報が、予め管理サーバ装置１０の管理データベース３０５の個人情報メモリ部３０５Ａに記憶される。すなわち、家族構成員それぞれの本鍵情報は、各家族構成員の個人プロファイル情報に含められて予め管理サーバ装置１０に登録されている。
【０１４８】
そして、各家族構成員に対して発行されるＩＣカード４０のメモリには、管理サーバ装置１０に格納された個人情報の一部または全部が書き込まれることになる。
【０１４９】
この際に、管理サーバ装置１０の管理データベース３０５においては、家族構成員の個人プロファイル情報は、監視制御装置３の通信ネットワーク上のアドレス情報に対応して記憶される。当該アドレス情報としては、前述したように、この例では、電話番号やＩＰアドレスが用いられる。
【０１５０】
管理サーバ装置１０に登録された本鍵情報および各家族構成員の個人プロファイル情報は、ドアホン装置の設置業者や販売業者が、ドアホン装置の設置を完了したときに、管理会社の管理サーバ装置１０に初期登録要求を行なうことにより、管理サーバ装置１０から監視制御装置３に転送され、監視制御装置３の家族情報メモリ２０５に書き込まれて登録される。また、監視制御装置３に登録された情報のうち、少なくとも本鍵情報は、ドアホン装置の制御装置部１００に転送されることにより、その家族情報メモリ１０５に登録されて記憶される。
【０１５１】
［管理会社への業者情報の登録］
図１８に示すように、管理会社が契約している契約者宅への訪問を希望する業者１５０は、管理会社に対して業者登録申請を行なう。この業者登録申請は、管理会社へ出向いて行なうこともできるが、業者１５０が所有するパーソナルコンピュータ１５１から、インターネットを含む通信ネットワーク９を通じて管理サーバ装置１０の業者登録申請のホームページにアクセスすることにより行なうことができる。
【０１５２】
管理会社は、業者登録申請があると、申請してきた業者を訪問業者として許可してよいかどうかの適格性についての審査を行なう。そして、管理会社は、審査に合格した業者からは、前述したような業者詳細情報を収集し、収集した業者詳細情報と、前述した業者識別情報とからなる業者情報を、管理サーバ装置１０の管理データベース３０５の業者情報メモリ３０５Ｂに格納する。そして、管理会社は、当該登録した業者に対して、業者識別情報を含む業者情報を記憶する業者情報通信装置、つまり、この例の場合には、業者用のＩＣカード４０を発行する。
【０１５３】
そして、業者識別情報を含む業者情報は、ドアホン装置の設置業者や販売業者が、ドアホン装置の設置を完了したときに、管理会社の管理サーバ装置１０に初期登録要求を行なうことにより、管理サーバ装置１０から監視制御装置３に転送され、監視制御装置３の業者情報メモリ２１３に書き込まれて登録される。また、監視制御装置３に登録された業者情報は、さらに、ドアホン装置の制御装置部１００に転送されることにより、その業者情報メモリ１０６に登録されて記憶される。
【０１５４】
なお、管理会社は、業者登録申請を随時受け付けている。そして、追加された業者情報は、その管理サーバ装置１０へ登録されるたびに、契約者宅の監視制御装置３およびドアホン装置の制御装置部１００に転送されて、追加登録されるようにされている。
【０１５５】
また、管理会社は、登録されている業者の担当者の変更要求も随時受け付けている。登録されている業者の担当者が変更登録されたときには、その変更情報が、契約者宅の監視制御装置３およびドアホン装置の制御装置部１００に転送されて、変更登録されるようにされている。
【０１５６】
図１９は、このときの業者登録の手順を説明するための図である。この図１９において、二重線で囲んだ部分は、管理サーバ装置１０側で実行する手順、その他は、業者側で行なう手順である。
【０１５７】
先ず、管理会社が契約している契約者宅への訪問を希望する業者は、管理会社に対して業者登録申請を行なう（手順Ｓ１）。この業者登録申請を受けた管理会社は、申請してきた業者を訪問業者として許可してよいかどうかの適格性についての審査を行なう（手順Ｓ２）。そして、その審査の結果として、登録を承認してよいかどうかを判断する（手順Ｓ３）。
【０１５８】
そして、適格性に欠けており、登録承認ができないと判断したときには、管理会社はその旨を登録申請してきた業者に伝え、登録申請を却下する（手順Ｓ４）。また、適格性を備えており、登録承認できると判断したときには、管理会社は、登録申請してきた業者に対して、認証用情報としてパスワードを発行する（手順Ｓ５）。
【０１５９】
このパスワードを受け取った業者は、パーソナルコンピュータ１５１を用いて、管理会社の管理サーバ装置１０の業者登録のホームページに、アクセスする。
この際に、受け取ったパスワードを入力することで、業者は、業者登録のホームページにアクセスすることが可能となる（手順Ｓ６）。
【０１６０】
業者登録のホームページにおいては、新規登録と、担当者変更（追加を含む）とが可能である。そこで、当該ホームページにアクセスした業者は、ホームページ上において、新規登録であるのか、担当者変更登録であるかを選択する（手順Ｓ７）。
【０１６１】
新規登録を選択したときには、業者は、自分について情報、つまり、会社名（商店名）、業種などを管理サーバ装置１０に転送し（手順Ｓ８）、続いて、登録する担当者の氏名、性別などや、顔写真の画像情報を管理サーバ装置１０に転送する（手順Ｓ９）。
【０１６２】
これらの情報の転送を受信した管理サーバ装置１０は、次の手順で発行する業者用のＩＣカード４０のＩＣチップ番号を業者識別情報として、この業者識別情報と受信した業者詳細情報とを対応させた業者情報を、管理データベース３０５の業者情報メモリ３０５Ｂに格納する（手順Ｓ１０）。
【０１６３】
次に、格納した業者情報を、管理サーバ装置１０は、各契約者宅の監視制御装置３に転送して、登録させる（手順Ｓ１１）。監視制御装置３は、この管理サーバ装置１０からの登録要求を受けると、後述のようにして、業者情報メモリ２１３に業者情報を追加登録し、登録が終わると、ドアホン装置の制御装置部１００にも当該業者情報を転送して、その業者情報メモリ１０６に追加登録させる。
【０１６４】
次に、管理会社は、登録した業者に、管理データベースに書き込んだ業者識別情報を業者情報中に含んで記憶する業者用のＩＣカード４０を、登録した業者に発行する（手順Ｓ１２）。この業者用のＩＣカード４０は、前述したように、担当者毎に発行される。
【０１６５】
手順Ｓ７で選択されたのが担当者変更登録であったときには、業者は、変更前と後の担当者の情報と、変更後の担当者の顔写真の画像情報とを管理サーバ装置１０に送る（手順Ｓ１３）。管理サーバ装置１０では、この担当者の変更情報を受信して、管理データベース３０５の業者情報メモリ部３０５Ｂに登録されている当該業者の担当者の変更を登録する（手順Ｓ１４）。この担当者変更のときには、後の手順においてＩＣカード４０も再発行されるが、そのＩＣカードのチップ番号を新たな業者識別情報として変更された業者情報が業者情報メモリ部３０５Ｂに登録される。
【０１６６】
次に、格納した業者の担当者の変更情報を、管理サーバ装置１０は、各契約者宅の監視制御装置３に転送して、担当者の変更を登録させる（手順Ｓ１５）。監視制御装置３は、この管理サーバ装置１０からの担当者変更登録要求を受け取ると、後述のようにして、業者情報メモリ２１３に記憶されている対応する業者情報のうちの担当者情報を変更登録する。この変更登録は、前の担当者を抹消し、新たな担当者を登録するものである。監視制御装置３は、担当者変更登録が終わると、ドアホン装置の制御装置部１００にも当該担当者変更情報を転送して、業者情報メモリ１０６に格納されている対応する業者情報の担当者変更登録を実行させる。
【０１６７】
次に、管理会社は、変更登録した業者の担当者に、管理データベースに書き込んだ業者識別情報を業者情報中に含んで記憶する業者用のＩＣカード４０を、変更登録した業者の担当者に発行する（手順Ｓ１２）。
【０１６８】
図２０は、図１９に示したような手順で行なわれる業者登録の場合における管理サーバ装置１０における処理動作を説明するためのフローチャートである。このフローチャートの各ステップは、管理サーバ装置１０のＣＰＵ３０１がＲＯＭ３０３に格納されているプログラムに基づいて実行するものである。
【０１６９】
この場合、業者は、パーソナルコンピュータ１５１からインターネットを通じて管理サーバ装置１０の業者登録ホームページにアクセスする。
【０１７０】
管理サーバ装置１０では、この業者登録ホームページへのアクセスの有無を監視しており（ステップＳ２１）、アクセスがないときには、その他の処理を行なう（ステップＳ２２）。そして、業者登録ホームページへのアクセスを受信したときには、ＣＰＵ３０１は、業者登録ホームページの表示情報を送信する（ステップＳ２３）。
【０１７１】
この業者登録ホームページは、パーソナルコンピュータ１５１の画面に表示される。この画面には、登録者の認証確認用情報の入力を促すメッセージと、入力欄が表示されているので、予め定められたパスワードやドアホン装置が設置された住所、電話番号、業者登録を要求している業者の会社名などの必要な認証確認用情報を入力した後、当該認証確認用情報を管理サーバ装置１０に送る。
【０１７２】
管理サーバ装置１０では、この認証確認用情報を受信したか否か判別し（ステップＳ２４）、受信したら認証がＯＫであるか否か判別する（ステップＳ２５）。認証が取れなかったとき（認証ＮＧのとき）には、認証ＮＧを報知する画面をパーソナルコンピュータ１５１に送る（ステップＳ２６）。
【０１７３】
この認証ＮＧを報知する画面では、認証確認用情報の再入力をすることができると共に、アクセスを中断することもできる。業者登録者は、いずれかの操作をすることになる。
【０１７４】
そこで、管理サーバ装置１０のＣＰＵ３０１は、認証確認用の情報を再受信したか否か判別し（ステップＳ２７）、再受信しなかったときには、アクセスが中断されたかどうか判別し（ステップＳ２８）、アクセス中断と判別されなかったときには、ステップＳ２７に戻る。そして、ステップＳ２７で、認証確認用の情報を再受信したと判別したときには、ＣＰＵ３０１は、ステップＳ２５に戻って、認証が取れるかどうか判別する。ステップＳ２８で中断であると判別したときには、アクセス切断処理を行なう（ステップＳ２９）。
【０１７５】
ステップＳ２５において、認証がＯＫであると判別したときには、ＣＰＵ３０１は、業者登録用画面を送信する（図２１のステップＳ３１）。この業者登録用画面には、新規登録ボタンと、担当者変更登録ボタンと、アクセス中断ボタンがある。登録者は、いずれかのボタンを操作することになる。新規業者登録を行なうときには、登録者は、新規業者登録ボタンを押下操作し、担当者変更登録をするときには、担当者変更登録ボタンを押下操作する。
【０１７６】
そして、新規業者登録ボタンが押されたときには、前述したように、パーソナルコンピュータ１５１からは、新規登録したい業者の業者詳細情報が管理サーバ装置１０に送られてくる。また、担当者変更登録ボタンが押されたときには、前述したように、パーソナルコンピュータ１５１からは、担当者変更登録情報が管理サーバ装置１０に送られてくる。
【０１７７】
なお、アクセスを中断するときには、アクセス中断ボタンが押されて、業者登録が中断される。
【０１７８】
そこで、管理サーバ装置１０のＣＰＵ３０１は、登録情報を受信したか否か判別し（ステップＳ３２）、受信しなかったときには、アクセスが中断されたかどうか判別し（ステップＳ３３）、アクセス中断と判別されなかったときには、ステップＳ３１２に戻る。
【０１７９】
そして、ステップＳ３３で中断であると判別したときには、アクセス切断処理を行なって（ステップＳ３４）、業者登録ホームページを閉じる。また、ステップＳ３２で、登録情報を受信したと判別したときには、ＣＰＵ３０１は、新規登録であるのか、担当者変更登録であるのかを判別し（ステップＳ３５）、新規登録であると判別したときには、管理データベース３０５の業者情報メモリ部３０５Ｂに、登録要求者の業者情報として、受信した業者詳細情報と、後で発行するＩＣカードのチップ製造番号からなる業者識別情報とを、業者情報として登録する（ステップＳ３６）。この業者情報には、前述したように、担当者の顔写真の画像情報も含まれる。
【０１８０】
そして、アクセス切断を行なった後（ステップＳ３７）、契約者宅のドアホン装置が接続されている監視制御装置３に、業者情報の追加登録要求の発信を行なう（ステップＳ３８）。監視制御装置３では、この業者情報の追加登録要求の発信の着信を受けると、その着信に自動応答するので、ＣＰＵ３０１は、当該監視制御装置３との間に通信路を形成する（ステップＳ３９）。
【０１８１】
次に、ＣＰＵ３０１は、追加登録する業者情報を監視制御装置３に送信する（ステップＳ４０）。次に、ＣＰＵ３０１は、監視制御装置３に送信すべき情報が全部終了し終わり、監視制御装置３から登録完了通知が到来するのを待ち（ステップＳ４６）、登録完了通知を受け取ったと判別したときには、監視制御装置３との通信路を切断する（ステップＳ４７）。
【０１８２】
そして、すべての契約者宅の監視制御装置３への業者情報の転送登録が終了したかどうか判別し（ステップＳ４８）、未だ、業者情報の転送登録が終了していない契約者宅の監視制御装置３が有ると判別したときには、ステップＳ３８に戻り、当該契約者宅に転送登録のための発呼を行ない、上述の動作を繰り返す。ステップＳ４８で、すべての契約者宅への業者情報の転送登録が終了したと判別したときには、この業者登録の処理ルーチンを終了する。
【０１８３】
また、ステップＳ３５で、担当者変更登録であると判別したときには、ＣＰＵ３０１は、前述したようにして、対応する登録済み業者の担当者の変更を登録する（ステップＳ４１）。
【０１８４】
そして、アクセス切断を行なった後（ステップＳ４２）、契約者宅のドアホン装置が接続されている監視制御装置３に、業者情報の担当者変更登録要求の発信を行なう（ステップＳ４３）。監視制御装置３では、この業者情報の担当者変更登録要求の発信の着信を受けると、その着信に自動応答するので、ＣＰＵ３０１は、当該監視制御装置３との間に通信路を形成する（ステップＳ４４）。
【０１８５】
次に、ＣＰＵ３０１は、前述したように、変更の前後の担当者情報からなる担当者変更登録情報を監視制御装置３に送信する（ステップＳ４５）。次に、ＣＰＵ３０１は、監視制御装置３に送信すべき情報が全部終了し終わり、監視制御装置３から登録完了通知が到来するのを待ち（ステップＳ４６）、登録完了通知を受け取ったと判別したときには、監視制御装置３との通信路を切断する（ステップＳ４７）。
【０１８６】
そして、すべての契約者宅の監視制御装置３への業者情報の担当者変更登録が終了したかどうか判別し（ステップＳ４８）、未だ、業者情報の担当者変更登録が終了していない契約者宅の監視制御装置３が有ると判別したときには、ステップＳ３８に戻り、当該契約者宅に担当者変更登録のための発呼を行ない、上述の動作を繰り返す。ステップＳ４８で、すべての契約者宅への業者情報の担当者変更登録が終了したと判別したときには、この業者登録の処理ルーチンを終了する。
【０１８７】
なお、図１９に示した手順および図２０および図２１に示した処理のフローチャートは、既契約者宅への追加された業者情報の登録の場合であるが、新規に管理会社と契約した契約者宅のドアホン装置の制御装置部１００には、当該新規設置時に、それまでに管理サーバ装置１０の管理データベース３０５の業者情報メモリ部３０５Ｂに登録されている業者情報がすべて新規登録されるものであるのは、前述した通りである。
【０１８８】
図２２は、その初期登録の際における管理サーバ装置１０における処理のフローチャートである。図２２の各ステップの動作は、主としてＣＰＵ３０１が主体となって行なうものである。この初期登録は、例えばドアホン装置の設置担当業者などが、ドアホン装置の住戸への設置完了後、管理サーバ装置１０に初期登録要求を送ることにより開始される。
【０１８９】
初期登録要求は、ドアホン装置の設置担当業者などが、ドアホン装置の住戸への設置完了後、ドアホン装置のシリアル番号等の装置識別情報を伴って、例えばパーソナルコンピュータなどから通信ネットワークを通じて管理サーバ装置１０に送られることによりなされる。
【０１９０】
また、ドアホン装置の設置担当業者などが、ドアホン装置の住戸への設置完了後、電話等で初期登録要求を管理会社に連絡し、当該初期登録要求を受けたオペレータが初期登録のための実行するようにすることもできる。
【０１９１】
そして、その初期登録要求を受け取った場合、管理サーバ装置は、管理データベースから初期登録要求してきたドアホン装置および監視制御装置３のアドレス（あるいは電話番号）を検索して、当該ドアホン装置および監視制御装置３にアクセスし、以下に示すような初期登録動作を行なうものである。
【０１９２】
先ず、管理サーバ装置１０のＣＰＵ３０１は、初期登録要求を受け付けたか否か判別する（ステップＳ５１）。ＣＰＵ３０１は、この初期登録要求を受け取ると、装置識別情報を検索子として、管理データベースを検索し、予め登録されている電話番号を読み出して、初期登録要求を含む発呼をする。つまり、初期登録要求されたドアホン装置が接続されている監視制御装置３に対して初期登録要求の発呼を行なう（ステップＳ５２）。
【０１９３】
このとき、監視制御装置３は、自動応答を行なうので、ＣＰＵ３０１は、当該監視制御装置３からの応答を確認して、当該監視制御装置３との間に通信路を形成する（ステップＳ５３）。
【０１９４】
次に、ＣＰＵ３０１は、ドアホン装置に関連して上述のように管理サーバ装置１０の管理データベース３０５の個人情報メモリ部３０５Ａに記憶している、ドアホン装置が設置された家の家族構成員全員についての本鍵情報を含む個人プロファイル情報を監視制御装置３に送信する（ステップＳ５４）。
【０１９５】
次に、ＣＰＵ３０１は、監視制御装置３に送信すべき情報が全部終了し終わり、監視制御装置３から登録完了通知が到来するのを待ち（ステップＳ５５）、登録完了通知を受け取ったと判別したときには、管理サーバ装置１０の管理データベース３０５の業者情報メモリ部３０５Ｂに記憶している、そのときまでに登録が行なわれている業者の業者情報を監視制御装置３に送信する（ステップＳ５６）。
【０１９６】
次に、ＣＰＵ３０１は、監視制御装置３に送信すべき情報が全部終了し終わり、監視制御装置３から登録完了通知が到来するのを待ち（ステップＳ５７）、登録完了通知を受け取ったと判別したときには、監視制御装置３との通信路を切断して（ステップＳ５８）、この初期登録の処理ルーチンを終了する。
【０１９７】
なお、初期登録要求は、例えば、監視制御装置３のリモコン装置５０で、通常は行なわない操作として割り当てられた操作をすることにより、通信ネットワーク９を通じて監視制御装置３から管理サーバ装置１０に自動的に送られるようにすることもできる。その場合には、監視制御装置３側から通信ネットワーク９を通じた通信路が形成されて、ドアホン装置のシリアル番号等の装置識別情報を伴って初期登録要求が送られ、これに対応して管理サーバ装置１０は、図２２のステップＳ５４以降の処理を実行するようになる。
【０１９８】
次に、管理サーバ装置１０から、初期登録要求、業者追加登録要求、あるいは業者の担当者変更要求を受け取ったときの監視制御装置３の動作を、図２３および図２４のフローチャートを参照して説明する。
【０１９９】
監視制御装置３のＣＰＵ２０１は、管理サーバ装置１０からの着信を受信したか否か判別し（ステップＳ６１）、管理サーバ装置１０からの着信の受信でなかったと判別したときには、その他の処理を行なう（ステップＳ６２）。
【０２００】
管理サーバ装置１０からの着信を受信したと判別したときには、ＣＰＵ２０１は、その着信に自動応答して管理サーバ装置１０との間に通信路を形成する（ステップＳ６３）。そして、受信した着信は初期登録要求であるか否か判別する（ステップＳ６４）。初期登録要求であると判別すると、ＣＰＵ２０１は、管理サーバ装置１０からの家族全員の個人情報についての登録情報を待ち、当該登録情報を受信したら（ステップＳ６５）、受信した登録情報を、家族情報メモリ２０５に書き込む（ステップＳ６６）。
【０２０１】
そして、家族全員についての登録情報の書き込みが完了したら、管理サーバ装置１０に登録完了通知を返送する（ステップＳ６７）。そして、次に送られてくる業者情報の登録情報を待ち（ステップＳ６８）、当該業者情報の登録情報を受信したら、受信した登録情報を、業者情報メモリ２１３に書き込む（ステップＳ６９）。
【０２０２】
そして、業者情報の登録情報の書き込みが完了したら、管理サーバ装置１０に登録完了通知を返送し（ステップＳ７０）、その後、管理サーバ装置１０との通信路を切断する（ステップＳ７１）。
【０２０３】
次に、ＣＰＵ２０１は、家族情報メモリ２０５に登録した個人プロファイル情報のうち、少なくとも、家族構成員のそれぞれについての本鍵情報である識別情報をドアホン装置の制御装置部１００に転送する。ドアホン装置の制御装置部１００は、この情報を受けて、家族情報メモリ１０５に、受信した本鍵情報を登録する。本鍵情報としての識別情報のほかに、家族構成員についての個人情報の必要なものをも、ドアホン装置の制御装置部１００に転送するようにしてもよいことは言うまでもない。
【０２０４】
なお、ドアホン装置の制御装置部１００の家族情報メモリ１０５への登録動作は、上述の監視制御装置３での家族情報メモリ２０５への登録動作と同様であり、登録を完了すると制御装置部１００は、登録完了通知を監視制御装置３に送る。
【０２０５】
そこで、監視制御装置３のＣＰＵ２０１は、制御装置部１００からの登録完了通知を待ち（ステップＳ７３）、登録完了通知を受信すると、業者情報メモリ２１３に登録した業者情報をドアホン装置の制御装置部１００に転送する（ステップＳ７４）。
【０２０６】
ドアホン装置の制御装置部１００は、業者情報メモリ１０６に受信した業者情報を登録する。そして、業者情報の登録が完了すると、登録完了通知を監視制御装置３に返送する。そこで、監視制御装置３のＣＰＵ２０１は、制御装置部１００からの登録完了通知を待ち（ステップＳ７５）、登録完了通知を受信すると、この初期登録の処理ルーチンを終了する。
【０２０７】
ステップＳ６４で、初期登録ではないと判別したときには、ＣＰＵ２０１は、業者追加登録要求であるか否か判別し（図２４のステップＳ８１）、業者追加登録要求であると判別したときには、追加登録する業者情報を待ち（ステップＳ８２）、追加する登録業者情報を受信すると、業者情報メモリ２１３に、受信した業者情報を追加登録する（ステップＳ８３）。
【０２０８】
そして、追加登録業者情報の業者情報メモリ２１３への書き込みが完了したら、管理サーバ装置１０に登録完了通知を返送し（ステップＳ８４）、その後、管理サーバ装置１０との通信路を切断する（ステップＳ８５）。次に、ＣＰＵ２０１は、追加業者情報をドアホン装置の制御装置部１００に転送し、登録業者の追加要求をする（ステップＳ８６）。
【０２０９】
ドアホン装置の制御装置部１００は、業者情報メモリ１０６に受信した業者情報を追加登録する。そして、業者情報の追加登録が完了すると、登録完了通知を監視制御装置３に返送する。そこで、監視制御装置３のＣＰＵ２０１は、制御装置部１００からの登録完了通知を待ち（ステップＳ８７）、登録完了通知を受信すると、この登録の処理ルーチンを終了する。
【０２１０】
また、ステップＳ８１において、業者追加登録要求ではないと判別したときには、登録済み業者の担当者変更要求であるか否か判別する（ステップＳ８８）。
そして、登録済み業者の担当者変更要求ではないと判別したときには、バックアップ鍵登録、鍵抹消登録などのその他の処理を行なう（ステップＳ９４）。
【０２１１】
また、ステップＳ８８で、担当者変更要求であると判別したときには、管理サーバ装置１０からの担当者変更情報を待ち（ステップＳ８９）、担当者変更情報を受信したときには、対応する業者情報中の担当者の変更処理を行なう。つまり、業者情報メモリ２１３の格納情報中の、対応する業者の変更する前の担当者の情報を抹消すると共に、その代わりに新担当者の情報を書き込みようにする（ステップＳ９０）。
【０２１２】
そして、担当者の変更登録が完了すると、ＣＰＵ２０１は、登録完了通知を管理サーバ装置１０に返送する（ステップＳ９１）。そして、管理サーバ装置１０との通信路を切断し（ステップＳ９２）、担当者変更情報をドアホン装置の制御装置部１００に転送し、担当者変更要求をする（ステップＳ９３）。
【０２１３】
ドアホン装置の制御装置部１００は、受信した担当者変更情報を用いて、前述した監視制御装置３での業者情報メモリ２１３における担当者変更登録と同様にして、業者情報メモリ１０６における担当者変更登録を実行する。そして、担当者変更登録が完了すると、登録完了通知を監視制御装置３に返送する。そこで、監視制御装置３のＣＰＵ２０１は、制御装置部１００からの登録完了通知を待ち（ステップＳ８７）、登録完了通知を受信すると、この登録の処理ルーチンを終了する。
【０２１４】
［ドアホン装置におけるドアロック制御モードの選択設定；図２５、図２６］前述したように、この実施形態では、監視制御装置３を通じてドアロック制御モードの設定ができるようにされているので、その設定動作を、図２５のフローチャートを参照しながら説明する。
【０２１５】
先ず、監視制御装置３のＣＰＵ２０１は、リモコン受信部３８の受信信号を監視して、ドアロック制御モードの設定を含む設定メニューのための特定のボタン操作がなされたか否か判別する（ステップＳ１０１）。この例では、この特定のボタン操作としては、通常の使用者が行なわない操作とされており、例えばセキュリティボタン５１とメニューボタン５５との同時操作などとされている。このような特定のボタン操作は、ドアホン装置の設置業者等が設定作業を行なうために定義されている。簡単に、ドアロック制御モードの設定変更ができないようにするためである。
【０２１６】
ステップＳ１０１で、前記の特定のボタン操作はされないと判別されたときには、通常の単独のボタン操作等に応じた処理などの、その他の処理を行なう（ステップＳ１０２）。また、ステップＳ１０１で、前記の特定のボタン操作がされたと判別されたときには、設定メニューの一覧をテレビ受像機７の画面に表示するようにする（ステップＳ１０３）。
【０２１７】
この設定メニューの一覧表示に対しては、操作者は、行ないたい設定メニュー項目の選択をリモートコマンダ５０のカーソルキーを用いて行なう。ＣＰＵ２０１は、リモコン受信部３８の受信信号を監視してメニュー項目の選択操作がなされたか否か判別し（ステップＳ１０４）、メニュー項目の選択操作がなされたと判別したときには、例えば反転表示して示す選択中項目を、選択操作に応じて変更する（ステップＳ１０５）。そして、設定項目の決定操作がなされたか否か判別する（ステップＳ１０６）。また、ステップＳ１０４で、メニュー項目の選択操作がなされないと判別したときには、即座にステップＳ１０６に進んで設定項目の決定操作がなされたか否か判別する。
【０２１８】
ステップＳ１０６で、設定項目の決定操作がなされないと判別したときには、ステップＳ１０４に戻る。また、ステップＳ１０６で、設定項目の決定操作がなされたと判別したときには、選択された設定項目はドアロック制御モードの設定であるか否か判別し（ステップＳ１０７）、そうではなかったときには選択された他の設定項目についての処理ルーチンを実行する（ステップＳ１０８）。
【０２１９】
ステップＳ１０７で、選択された設定項目はドアロック制御モードの設定であると判別したときには、ＣＰＵ２０１は、テレビ受像機７の画面にオートロックモードと、逐次ロックモードとの選択画面を表示する（ステップＳ１０９）。操作者は、この選択画面において、いずれかの選択入力をカーソルキー５６を用いて行なう。
【０２２０】
そこで、ＣＰＵ２０１は、リモコン受信部３８を監視して、オートロックモードが選択されたか否か判別し（ステップＳ１１０）、オートロックモードが選択されたと判別したときには、ドアホン装置におけるドアロック制御モードをオートロックモードに設定する設定動作を行なう（ステップＳ１１１）。
【０２２１】
すなわち、ＣＰＵ２０１は、監視制御装置３に内蔵の不揮発性メモリ部のドアロック制御モードの記憶領域に、オートロックモードであることを示す情報を記憶すると共に、オートロックモードにする旨の指示をドアホン装置に対して、ドアホン装置通信インターフェース２０６を通じて送る。
【０２２２】
また、ステップＳ１１０で、オートロックモードではないと判別したときには、ＣＰＵ２０１は、逐次ロックモードが選択されたと判別して、ドアホン装置におけるドアロック制御モードを逐次ロックモードにする設定動作を行なう（ステップＳ１１２）。
【０２２３】
すなわち、ＣＰＵ２０１は、監視制御装置３に内蔵の不揮発性メモリ部のドアロック制御モードの記憶領域に、逐次ロックモードであることを示す情報を記憶すると共に、逐次ロックモードにする旨の指示をドアホン装置に対して、ドアホン装置通信インターフェース２０６を通じて送る。
【０２２４】
以上で、監視制御装置３におけるロック制御モードの設定時の動作は終了となる。
【０２２５】
次に、ドアホン装置通信インターフェース２０６を通じて送られてきたドアロック制御モードの指示情報を受信したドアホン装置の制御装置部１００の動作について、図２６のフローチャートを参照して説明する。
【０２２６】
先ず、ドアホン装置の制御装置部１００のＣＰＵ１０１は、ドアロック制御モードの設定指示情報を監視制御装置３から受け取ったか否か判別し（ステップＳ１２１）、受け取らないときには、その他の処理を行なう（ステップＳ１２２）。
【０２２７】
ステップＳ１２１で、ドアロック制御モードの設定指示情報を監視制御装置３から受け取ったと判別したときには、ＣＰＵ１０１は、選択指示されたドアロック制御モードは、オートロックモードと逐次ロックモードのいずれであるか判別する（ステップＳ１２３）。
【０２２８】
ステップＳ１２３で、選択指示されたドアロック制御モードはオートロックモードであると判別したときには、ＣＰＵ１０１は、ドアホン装置のドアロック制御モードをオートロックモードに設定する処理を行なう（ステップＳ１２４）。
【０２２９】
すなわち、ステップＳ１２４においては、ドアホン装置の制御装置部１００のＣＰＵ１０１は、オートロックモードの設定指示に基づき、ドアホン装置の内側リード／ライト部２１ｉｎと、外側リード／ライト部２１ｅｘとの両方をアクティブにし、かつ、プログラムＲＯＭ１０３のドアロック制御のアプリケーションを、オートロックモード用のものとするようにする。そして、ＣＰＵ１０１は、ドアホン装置の制御装置部１００が備える不揮発性メモリ部のドアロック制御モードの記憶領域に、オートロックモードであることを示す情報を記憶する。
【０２３０】
また、ステップＳ１２３で、選択指示されたドアロック制御モードは逐次ロックモードであると判別したときには、ＣＰＵ１０１は、ドアホン装置のドアロック制御モードを逐次ロックモードに設定する処理を行なう（ステップＳ１２５）。
【０２３１】
すなわち、ステップＳ１２５においては、ドアホン装置の制御装置部１００のＣＰＵ１０１は、逐次ロックモードの設定指示に基づき、この例では、ドアホン装置の内側リード／ライト部２１ｉｎと、外側リード／ライト部２１ｅｘとの両方をアクティブにし、かつ、プログラムＲＯＭ１０３のドアロック制御のアプリケーションを、逐次ロックモード用のものとするようにする。そして、ＣＰＵ１０１は、ドアホン装置の制御装置部１００が備える不揮発性メモリ部のドアロック制御モードの記憶領域に、逐次ロックモードであることを示す情報を記憶する。
【０２３２】
なお、この例では、逐次ロックモードにおいても、内側リード／ライト部２１ｉｎと、外側リード／ライト部２１ｅｘとの両方を用いるようにしたが、この逐次ロックモードにおいては、外側リード／ライト部ｅｘのみをアクティブにして、内側リード／ライト部２１ｉｎを用いないようにすることもできる。その場合には、家の内側からの施錠が問題になるが、例えば、内側からの玄関ドアの施錠を、電子鍵装置を用いずにマニュアル操作で行なえる構成とすればよい。
【０２３３】
次に、オートロックモードと、逐次ロックモードのそれぞれの場合のドアホン装置の制御装置部１００の動作について説明する。以下に説明するフローチャートにおける各ステップＳの動作は、ドアホン装置の制御装置部１００のＣＰＵ１０１が主として実行する処理動作である。
【０２３４】
［オートロックモード；図２７〜図３４］
オートロックモードのときの動作を、図２７〜図３４のフローチャートを参照しながら説明する。このオートロックモードのときには、玄関ドア１は、定常状態では、施錠状態とされる。そして、電子鍵装置の例としてのＩＣカード４０が、内側リード／ライト部２１ｉｎまたは外側リード／ライト部２１ｅｘにかざされて通信が両者の間で行なわれ、電子鍵情報についての認証がとれたときには、所定時間のみ玄関ドアを開錠し、所定時間後に、自動的に玄関ドア１は施錠状態に戻るように、制御装置部１００により制御されるものである。
【０２３５】
ＣＰＵ１０１は、インターフェース１０９，１１０を介して、内側リード／ライト部２１ｉｎおよび外側リード／ライト部２１ｅｘを監視し、ＩＣカード４０がかざされて、ＩＣカード４０と内側リード／ライト部２１ｉｎまたは外側リード／ライト部２１ｅｘとの間で通信が行われるのを待つ（ステップＳ１３１）。
【０２３６】
そして、ステップＳ１３１において、ＩＣカード４０がかざされず、リード／ライト部２１ｉｎまたは２１ｅｘと通信が行なわれなかったと判別したときには、ＣＰＵ１０１は、ドアホンボタン２５が押されたか否か判別し（ステップＳ１３２）、ドアホンボタン２５も押されないときには、ステップＳ１３１に戻る。
【０２３７】
［ドアホンボタン押下；図２８］
ステップＳ１３２で、ドアホンボタン２５が押下されたと判別したときには、ＣＰＵ１０１は、ドアホン機能を立ち上げ（図２８のステップＳ１５１）、ＩＣカード４０をドアホン装置の屋外ユニット２Ａにかざすように促すメッセージを、スピーカ２３ｅｘから送出する（ステップＳ１５２）。
【０２３８】
このメッセージを聴取した訪問者が、業者用のＩＣカードを所持する登録業者の担当者であるときには、当該ＩＣカードを外側リード／ライト部２１ｅｘにかざして通信を行なうようにする。
【０２３９】
そこで、ＣＰＵ１０１は、このメッセージに促されて、訪問者がＩＣカードをかざして外側リード／ライト部２１ｅｘと通信を行なったか否か判別する（ステップＳ１５３）。
【０２４０】
外側リード／ライト部２１ｅｘと通信が行なわれないと判別したときには、ＣＰＵ１０１は、メッセージ送出から予め定められた所定時間経過したか否かを時計回路１１９の時刻情報に基づいて判別し（ステップＳ１５８）、予め定められた所定時間経過したと判別したときには、訪問者は、登録業者以外の非登録業者あるいはその他の訪問者であると認識して、その旨を示す情報と、訪問時刻（この例ではドアホンボタン２５が押下された時刻）を監視制御装置３に通信インターフェース１０８を通じて送信して通知する（ステップＳ１６０）。
【０２４１】
そして、ＣＰＵ１０１は、屋外ユニット２Ａのカメラ２６で撮影して得た訪問者の画像情報を、監視制御装置３に送る（ステップＳ１６１）と共に、屋外ユニット２Ａと監視制御装置３との間で音声通信（通話）が可能な状態にする（ステップＳ１６２）。すなわち、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする。
【０２４２】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ１６３）。
このステップＳ１６３において、訪問者と在宅者との間での音声通話が終了したと判別したときには、ドアホン機能を終了させ（ステップＳ１６４）、ステップＳ１３１に戻る。
【０２４３】
また、ステップＳ１５３において、前記メッセージの送出に対応して、外側リード／ライト部２１ｅｘにＩＣカードがかざされて通信が行われたと判別したときには、ＣＰＵ１０１は、識別情報（業者識別情報）をＩＣカード４０から受信し、例えばＲＡＭ１０４などに一時的に格納する（ステップＳ１５４）。このとき、制御装置部１００が備える時計回路１１９の時刻情報も、通信があった時刻として、前記識別情報（業者識別情報）と共にＲＡＭ１０４に格納されると共に、当該時刻情報が、ＩＣカード４０に与えられ、その制御用ＩＣ内４２のメモリに書き込まれる。
【０２４４】
次に、ＣＰＵ１０１は、業者情報メモリ１０６に記憶されている業者識別情報と、ＩＣカード４０から受信した業者識別情報とを比較して、業者情報メモリ１０６に記憶されている業者情報に含まれる業者識別情報の中に、ＩＣカード４０から受信した業者識別情報と一致するものがあるかどうかにより、当該ＩＣカード４０が登録業者のＩＣカード４０であるか否かを判別して、訪問者が管理会社に登録された業者の担当者であるか否かの判別を行なう（ステップＳ１５５）。
【０２４５】
そして、訪問者が管理会社に登録された業者の担当者ではないと判別したときには、ＣＰＵ１０１は、外側ＬＥＤ駆動部１１２を駆動して、外側ＬＥＤ２２ｅｘを赤色で点滅させると共に、外側スピーカ２３ｅｘから警告音を放音して、ＩＣカード４０の使用者に報知する（ステップＳ１５９）。
【０２４６】
そして、ＣＰＵ１０１は、訪問者は、登録業者以外の非登録業者あるいはその他の訪問者であると認識して、その旨を示す情報と、訪問時刻情報（例えばドアホンボタン２５が押下された時刻あるいはＩＣカードと通信を行なった時刻の情報）とを監視制御装置３に通信インターフェース１０８を通じて送信して通知する（ステップＳ１６０）。なお、登録業者以外の訪問があったことと、前記訪問時刻情報とを、制御装置部に訪問履歴として記憶しておくようにしてもよい。
【０２４７】
そして、ＣＰＵ１０１は、屋外ユニット２Ａのカメラ２６で撮影して得た訪問者の画像情報を、監視制御装置３に送る（ステップＳ１６１）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする（ステップＳ１６２）。
【０２４８】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ１６３）。
このステップＳ１６３において、訪問者と在宅者との間での音声通話が終了したと判別したときには、ドアホン機能を終了させ（ステップＳ１６４）、ステップＳ１３１に戻る。
【０２４９】
また、ステップＳ１５５において、訪問者が管理会社に登録された業者の担当者であると判別したときには、ＣＰＵ１０１は、外側ＬＥＤ駆動部１１２を駆動して、外側ＬＥＤ２２ｅｘを緑色で１秒間点灯させ、認証ＯＫであることをＩＣカード４０の使用者に報知する（ステップＳ１５６）。このとき、ＣＰＵ１０１により、併せて外側スピーカ２３ｅｘから「認証がとれました」というメッセージを放音させるようにしても良い。
【０２５０】
そして、ＣＰＵ１０１は、訪問者は、登録業者の担当者であると認識して、その旨を示す情報と、その業者識別情報と、訪問時刻情報（この例では、ドアホンボタン２５が押下された時刻あるいはＩＣカード４０と通信を行なった時刻の情報）とを、監視制御装置３に通信インターフェース１０８を通じて送信して通知する（ステップＳ１５７）。なお、このときの業者識別情報と訪問時刻情報とは訪問履歴として、業者情報メモリ１０６または他のメモリに記憶させるようにしてもよい。
【０２５１】
そして、ＣＰＵ１０１は、屋外ユニット２Ａのカメラ２６で撮影して得た訪問者の画像情報を、監視制御装置３に送る（ステップＳ１６１）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、通話を行なわせるようにする（ステップＳ１６２）。
【０２５２】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ１６３）。
このステップＳ１６３において、訪問者と在宅者との間での音声通話が終了したと判別したときには、ドアホン機能を終了させ（ステップＳ１６４）、ステップＳ１３１に戻る。
【０２５３】
次に、図２７のステップＳ１３１において、ＩＣカード４０がかざされて、リード／ライト部２１ｉｎまたは２１ｅｘと通信が行なわれたと判別したときには、ＣＰＵ１０１は、識別情報をＩＣカード４０から受信し、例えばＲＡＭ１０４などに一時的に格納する（ステップＳ１３３）。このとき、制御装置部１００が備える時計回路１１９の時刻情報も、通信があった時刻として、前記識別情報と共にＲＡＭ１０４に格納されると共に、当該時刻情報が、ＩＣカード４０に与えられ、その制御用ＩＣ内４２のメモリに書き込まれる。
【０２５４】
また、ＩＣカード４０においては、内側リード／ライト部２１ｉｎまたは外側リード／ライト部２１ｅｘのどちらと通信をしたかの情報として、通信相手のＩＤ等が制御用ＩＣ４２のメモリに書き込まれる。
【０２５５】
次に、ＣＰＵ１０１は、内側リード／ライト部２１ｉｎまたは外側リード／ライト部２１ｅｘのどちらでＩＣカード４０と通信が行われたかを判別する（ステップＳ１３４）。その判別結果と、前記の通信の時刻情報と、ＩＣカードから取得した識別情報は、制御装置部１００の図示を省略した通信履歴メモリに格納される。また、これらの識別情報、通信時刻、内側リード／ライト部２１ｉｎまたは外側リード／ライト部２１ｅｘのどちらでＩＣカード４０と通信が行われたかの判別結果は、監視制御装置３にも、図示を省略したその通信履歴メモリに記憶させるために転送される。
【０２５６】
［内側リード／ライト部２１ｉｎでの通信の場合；図２７、図２９〜図３０］ステップＳ１３４で、ＩＣカード４０と通信が行われたのが内側リード／ライト部２１ｉｎであると判別したときには、ＣＰＵ１０１は、ＩＣカードは、電子鍵装置であり、在宅者が外出する場合であるとして、以下のような処理を行なう。
【０２５７】
なお、この例では、在宅者が玄関ドア１を開錠して、玄関ドア１を開けたときには、それまでにセキュリティモードがオンになっていても、一旦、セキュリティモードは、オフとされるものとしている。
【０２５８】
ＣＰＵ１０１は、先ず、家族情報メモリ１０５に記憶されている識別情報と、ＩＣカード４０から受信した識別情報とを比較して、家族情報メモリ１０５に記憶されている電子鍵情報としての識別情報の中に、ＩＣカード４０から受信した識別情報と一致するものがあるかどうかにより、当該ＩＣカード４０がドアホン装置に登録された電子鍵装置であるか否かを判別して、当該ＩＣカード４０についての認証を行なう（ステップＳ１３５）。
【０２５９】
そして、その認証結果を判別し（ステップＳ１３６）、家族情報メモリ１０５に記憶されている識別情報の中に、ＩＣカード４０から受信した識別情報と一致するものがなくて、認証が取れなかったとき（認証ＮＧ）であると判別したときには、ＣＰＵ１０１は、内側ＬＥＤ駆動部１１１を駆動して、内側ＬＥＤ２２ｉｎを赤色で点滅させると共に、内側スピーカ２３ｉｎから警告音を放音して、認証ＮＧであることをＩＣカード４０の使用者に報知する（ステップＳ１３７）。
そして、電子ロック機構１３０は施錠状態のままとして、ステップＳ１３１に戻る。
【０２６０】
また、ステップＳ１３６で、家族情報メモリ１０５に記憶されている識別情報の中に、ＩＣカード４０から受信した識別情報と一致するものがあって、認証がＯＫであると判別したときには、ＣＰＵ１０１は、内側ＬＥＤ駆動部１１１を駆動して、内側ＬＥＤ２２ｉｎを緑色で１秒間点灯させ、認証ＯＫであることをＩＣカード４０の使用者に報知する（ステップＳ１３８）。このとき、ＣＰＵ１０１により、併せて内側スピーカ２３ｉｎから「認証がとれました」というメッセージを放音させるようにしても良い。
【０２６１】
そして、このように認証がＯＫであるときには、家族情報メモリ１０５の、前記識別情報に対応する家人の記録エリアにも、通信履歴情報として、通信時刻情報と、外側と内側のどちらのリード／ライト部と通信をしたかが書き込まれる。
また、これらの識別情報および通信時刻情報、内側リード／ライト部２１ｉｎまたは外側リード／ライト部２１ｅｘのどちらでＩＣカード４０と通信が行われたかの判別結果の情報は、監視制御装置３にも、その家族情報メモリ２０５に記憶させるために転送される。
【０２６２】
そして、このとき、認証がＯＫであることから、ＣＰＵ１０１は、電子ロック機構駆動部１１８を駆動制御して、電子ロック機構１３０により玄関ドア１を開錠状態にし（ステップＳ１３９）、内側スピーカ２３ｉｎから、「ドアロックを解除しました」というメッセージを放音させる（ステップＳ１４０）。このとき、内側ＬＥＤ２２ｉｎを、例えば緑色で点滅させ、ドアロックの解除状態をＩＣカード４０の使用者に報知するようにしてもよい。
【０２６３】
このとき、ＣＰＵ１０１は、ＩＣカード４０により内側から玄関ドア１が開錠されたことを認識していることに基づき、当該ＩＣカード４０の使用者（在宅者）が外出しようとしていると認識する。そして、監視制御装置３に対して窓の開閉状態についての問い合わせを送る（図２９のステップＳ１７１）。
【０２６４】
これに対して、監視制御装置３では、窓センサ６ａ，６ｂのセンサ出力をセンサハブ２０７を通じて取得して、窓の開閉を確認する。つまり、戸締りを確認する。そして、窓の開閉状態についての確認結果をドアホン装置インターフェース２０６を通じてドアホン装置の制御装置部１００に返信するようにする。
【０２６５】
制御装置部１００では、この窓の開閉状態についての確認結果を、通信インターフェース１０８を通じて受信する（ステップＳ１７２）。そして、ＣＰＵ１０１は、受信した当該確認結果を解析して、窓が開放されているか否か判別する（ステップＳ１７３）。
【０２６６】
そして、窓が開いていると判別したときには、ＣＰＵ１０１は、窓が開いていることを内側スピーカ２３ｉｎからの放音音声により警告する（ステップＳ１７４）。また、窓が閉じていると判別したときには、ＣＰＵ１０１は、戸締りがＯＫであることを内側スピーカ２３ｉｎからの放音音声により報知する（ステップＳ１７５）。
【０２６７】
次に、ＣＰＵ１０１は、ドア開閉センサ２９のセンサ出力をインターフェース１１７を通じて取り込み、玄関ドア１が開けられた否か監視する（ステップＳ１７６）。そして、ＣＰＵ１０１は、玄関ドア１が開けられずに所定時間、例えば１０秒経過したかどうかを判別し（ステップＳ１７７）、１０秒経過したと判別したときには、玄関ドア１を自動的に施錠状態に戻すようにする（ステップＳ１７８）。そして、ＣＰＵ１０１は、内側ＬＥＤ２２ｉｎを緑色で点滅して、玄関ドア１が施錠状態に戻ったことを報知する（ステップＳ１７９）。
【０２６８】
また、ステップＳ１７６で、ステップＳ１３９での開錠後、１０秒以内に玄関ドア１が開かれたと判別したときには、ＣＰＵ１０１は、ステップＳ１３３で取り込んだ識別情報で示される在宅者が外出をしたと認識して、当該識別情報、時刻情報を含む個人情報を、外出者情報として監視制御装置３に転送する（ステップＳ１８０）。なお、このとき監視制御装置３に転送する情報には時刻情報を含めず、監視制御装置３がこれらの情報を受信した時刻を、時計回路２２１の時刻から認識するようにすることもできる。
【０２６９】
その後、ＣＰＵ１０１は、ドア開閉センサ２９のセンサ出力を参照して、玄関ドア１が閉じられたことを確認し（ステップＳ１８１）、玄関ドア１が閉じられた後、所定時間、例えば３秒経過したことを確認したら（ステップＳ１８２）、電子ロック機構駆動部１１８を駆動制御して、電子ロック機構１３０により玄関ドア１を施錠状態に復帰させるようにする（図３０のステップＳ１９１）。そして、ＣＰＵ１０１は、外側ＬＥＤ２２ｅｘを緑色で点滅して、玄関ドア１が施錠状態に戻ったことをＩＣカード４０の使用者に報知する（ステップＳ１９２）。
この外側ＬＥＤ２２ｅｘの緑色点滅は、所定時間、例えば１０秒間続けられる。
【０２７０】
その後、ＣＰＵ１０１は、前記所定時間、例えば１０秒経過したか否か判別し（ステップＳ１９３）、所定時間経過していないと判別したときには、ステップＳ１３１で通信が行われたと判別されたＩＣカード４０が、再度、外側リード／ライト部２１ｅｘと通信したか否か判別する（ステップＳ１９４）、通信がなされないと判別したときにはステップＳ１９３に戻る。
【０２７１】
そして、ステップＳ１９３で、ＩＣカード４０と外側リード／ライト部２１ｅｘとで通信が行われずに、前記所定時間経過したと判別したときには、ＣＰＵ１０１は、内側リード／ライト部２１ｉｎに対してＩＣカード４０がかざされたことにより開始された玄関ドアのロック制御動作が一段落したとして、図２７のステップＳ１３１に戻る。
【０２７２】
また、ステップＳ１９４で、玄関ドア施錠復帰後、外側ＬＥＤ２２ｅｘの緑色点滅が終了する所定時間経過する前に、ステップＳ１３１において通信が行われたと判別されたＩＣカード４０と外側リード／ライト部２１ｅｘとで通信が行われたと判別すると、ステップＳ１７１〜Ｓ１７３で確認された戸締りを再確認する（ステップＳ１９５）。
【０２７３】
ステップＳ１９５で、戸締りがＯＫであると判別したときには、ＣＰＵ１０１は、通信インターフェース１２１を通じてセキュリティモードをオンにする要求を監視制御装置３に送信する（ステップＳ１９６）。
【０２７４】
この要求に対しては、監視制御装置３は、そのときの在宅状況をチェックして、セキュリティレベルが図１５に示したいずれのレベルとなるかを判定する。そして、監視制御装置３は、その判定の結果、セキュリティレベルがレベルＤであるときには、セキュリティモードはオンにできないので、その旨を制御装置部１００に返し、セキュリティレベルがレベルＤ以外であるときには、セキュリティモードをオンにできるので、その旨を制御装置部１００に返す。
【０２７５】
制御装置部１００のＣＰＵ１０１は、監視制御装置３からのセキュリティモードオンの要求に対する返答を解析して、セキュリティモードをオンにできるか否か判別する（ステップＳ１９７）。そして、セキュリティモードがオンにできる旨の返答を監視制御装置３から受けたと判別したときには、ＣＰＵ１０１は、外側スピーカ２３ｅｘから、「セキュリティモードをオンにします」というメッセージを放音させる（ステップＳ１９８）。
【０２７６】
また、ステップＳ１９７で、セキュリティモードがオンにできない旨の返答を監視制御装置３から受けたと判別したときには、ＣＰＵ１０１は、外側スピーカ２３ｅｘから、「在宅者が存在するため、セキュリティモードをオンにはできません」というメッセージを放音させる（ステップＳ１９９）。その後、ステップＳ１３１に戻る。
【０２７７】
また、ステップＳ１９５で、窓が開いていて戸締りが完了していないと判別したときには、ＣＰＵ１０１は、「窓が開いているため、セキュリティモードをオンにすることはできません」という警告メッセージを放音する（ステップＳ２００）。そして、その後、ステップＳ１３１に戻る。
【０２７８】
［外側リード／ライト部２１ｅｘでの通信の場合；図３１〜図３９］
ステップＳ１３４で、ＩＣカード４０と通信が行われたのが外側リード／ライト部２１ｅｘであると判別したときには、ＣＰＵ１０１は、家人が帰宅した場合の入室要求あるいは訪問者の到来であるとして、以下のような処理を行なう。
【０２７９】
ＣＰＵ１０１は、まず、ＩＣカード４０から、カード種別の情報を取得して、ＩＣカード４０が電子鍵装置であるか業者情報通信装置であるかの判別をする（ステップＳ２１１）。ここで、前述の説明において、ＩＣカード４０と通信が行われたのが内側リード／ライト部２１ｉｎであるとステップＳ１３４で判別したときには、カード種別の情報を判別しなかったが、それは、内側リード／ライト部２１ｉｎと通信が行なわれるのは、家族が所有する電子鍵装置としてのＩＣカードのみであるから、カード種別の判別を省略したものである。
【０２８０】
ステップＳ２１１で、ＩＣカード４０が電子鍵装置であると判別したときには、ＣＰＵ１０１は、ステップＳ１３３で取り込んだＩＣカード４０から受信した識別情報と、家族情報メモリ１０５に記憶されている識別情報とを比較して、家族情報メモリ１０５に記憶されている識別情報の中に、ＩＣカード４０から受信した識別情報と一致するものがあるかどうかにより、当該ＩＣカード４０がドアホン装置に登録されたＩＣカード４０であるか否かを判別して、当該ＩＣカード４０についての認証を行なう（ステップＳ２１２）。
【０２８１】
そして、その認証結果を判別し（ステップＳ２１３）、家族情報メモリ１０５に記憶されている識別情報の中に、ＩＣカード４０から受信した識別情報と一致するものがなくて、認証が取れなかったとき（認証ＮＧ）であると判別したときには、ＣＰＵ１０１は、外側ＬＥＤ駆動部１１２を駆動して、外側ＬＥＤ２２ｅｘを赤色で点滅させると共に、外側スピーカ２３ｅｘから警告音を放音して、認証ＮＧであることをＩＣカード４０の使用者に報知する（ステップＳ２１４）。
そして、電子ロック機構１３０は施錠状態のままとして、ステップＳ１３１に戻る。
【０２８２】
また、ステップＳ２１３で、家族情報メモリ１０５に記憶されている識別情報の中に、ＩＣカード４０から受信した識別情報と一致するものがあって、認証がＯＫであると判別したときには、ＣＰＵ１０１は、外側ＬＥＤ駆動部１１２を駆動して、外側ＬＥＤ２２ｅｘを緑色で１秒間点灯させ、認証ＯＫであることをＩＣカード４０の使用者に報知する（ステップＳ２１５）。このとき、ＣＰＵ１０１により、合わせて外側スピーカ２３ｅｘから「認証がとれました」というメッセージを放音させるようにしても良い。
【０２８３】
そして、このとき、認証がＯＫであることから、ＣＰＵ１０１は、電子ロック機構駆動部１１８を駆動制御して、電子ロック機構１３０により玄関ドア１を開錠状態にし（ステップＳ２１６）、外側スピーカ２３ｅｘから、「ドアロックを解除しました」というメッセージを放音させる（ステップＳ２１７）。このとき、外側ＬＥＤ２２ｅｘを、例えば緑色で点滅させ、ドアロックの解除状態をＩＣカード４０の使用者に報知するようにしてもよい。
【０２８４】
次に、ＣＰＵ１０１は、ドア開閉センサ２９のセンサ出力をインターフェース１１７を通じて取り込み、玄関ドア１が開けられた否か監視する（ステップＳ２１８）。そして、ＣＰＵ１０１は、玄関ドア１が開けられずに所定時間、例えば１０秒経過したかどうかを判別し（ステップＳ２１９）、１０秒経過したと判別したときには、玄関ドア１を自動的に施錠状態に戻すようにする（ステップＳ２２０）。そして、ＣＰＵ１０１は、外側ＬＥＤ２２ｅｘを緑色で点滅して、玄関ドア１が施錠状態に戻ったことを報知する（ステップＳ２２１）。
【０２８５】
その後、ＣＰＵ１０１は、所定時間、例えば１０秒経過したか否か判別し（図３２のステップＳ２３１）、所定時間経過していないと判別したときには、ステップＳ１３１で通信が行われたと判別されたＩＣカード４０が外側リード／ライト部２１ｅｘと通信したか否か判別し（ステップＳ２３２）、所定時間経過しても通信がなされないと判別したときにはステップＳ２３１に戻る。
【０２８６】
また、ステップＳ２３２において、玄関ドア施錠復帰後、所定時間経過する前に、ステップＳ２３１において通信が行われたと判別されたＩＣカード４０と、外側リード／ライト部２１ｅｘとで通信が行われたと判別すると、戸締りを確認する（ステップＳ２３３）。
【０２８７】
このステップＳ２３３での戸締りの確認は、前述のステップＳ１７１〜Ｓ１７３において説明した処理と同様に行なう。つまり、制御装置部１００は、監視制御装置３に対して窓の開閉状態についての問い合わせを行ない、問い合わせ結果を監視制御装置３から取得する。そして、その問い合わせ結果から、戸締りがＯＫかどうかを判別する。
【０２８８】
ステップＳ２３３で、戸締りがＯＫであると判別したときには、ＣＰＵ１０１は、通信インターフェース１０８を通じてセキュリティモードをオンにする要求を監視制御装置３に送信する（ステップＳ２３４）。
【０２８９】
この要求に対しては、監視制御装置３は、そのときの在宅状況をチェックして、セキュリティレベルが図１５に示したいずれのレベルとなるかを判定する。そして、監視制御装置３は、その判定の結果、セキュリティレベルがレベルＤであるときには、セキュリティモードはオンにできないので、その旨を制御装置部１００に返し、セキュリティレベルがレベルＤ以外であるときには、セキュリティモードをオンにできるので、その旨を制御装置部１００に返す。
【０２９０】
制御装置部１００のＣＰＵ１０１は、監視制御装置３からのセキュリティモードオンの要求に対する返答を解析して、セキュリティモードをオンにできるか否か判別する（ステップＳ２３５）。そして、セキュリティモードがオンにできる旨の返答を監視制御装置３から受けたと判別したときには、ＣＰＵ１０１は、外側スピーカ２３ｅｘから、「セキュリティモードをオンにします」というメッセージを放音させる（ステップＳ２３６）。
【０２９１】
また、ステップＳ２３５で、セキュリティモードがオンにできない旨の返答を監視制御装置３から受けたと判別したときには、ＣＰＵ１０１は、外側スピーカ２３ｅｘから、「在宅者が存在するため、セキュリティモードをオンにはできません」というメッセージを放音させる（ステップＳ２３７）。その後、ステップＳ１３１に戻る。
【０２９２】
また、ステップＳ２３３で、窓が開いていて戸締りが完了していないと判別したときには、ＣＰＵ１０１は、「窓が開いているため、セキュリティモードをオンにすることはできません」という警告メッセージを放音する（ステップＳ２３８）。そして、その後、ステップＳ１３１に戻る。
【０２９３】
ステップＳ２３１〜ステップＳ２３８の処理は、一旦、玄関ドア１を内側から開錠した後、所定時間以内に、外側リード／ライト部２１ｅｘに電子鍵装置をかざして、セキュリティモードをオンにするのを忘れた者が、もう一度、室内に戻って、内側リード／ライト部２１ｉｎに対して電子鍵装置をかざすところからやり直す手間を防止するための処理である。
【０２９４】
すなわち、一旦、玄関ドア１を内側から開錠した後、所定時間以内に、外側リード／ライト部２１ｅｘに電子鍵装置をかざして、セキュリティモードをオンにするのを忘れた、あるいは失敗した場合に、外側リード／ライト部２１ｅｘに電子鍵装置をかざして、玄関ドア１を一旦開錠させ、その後、１０秒待って再施錠になった後、１０秒以内に、再び、外側リード／ライト部２１ｅｘに電子鍵装置をかざすことにより、セキュリティモードをオンにすることができるものである。このようにすれば、セキュリティモードをオンに設定するために、開錠してから室内に入り、内側リード／ライト部２１ｉｎに電子鍵装置をかざすところからやり直す必要がなく、便利である。
【０２９５】
次に、ステップＳ２１８で、ステップＳ２１６での開錠後、１０秒以内に玄関ドア１が開かれたと判別したときには、そして、ステップＳ２３１で、ＩＣカード４０と外側リード／ライト部２１ｅｘとで通信が行われずに、所定時間経過したと判別したときには、ＣＰＵ１０１は、ステップＳ１３２で取り込んだ識別情報で示される外出者が帰宅したと認識して、当該識別情報、ＩＣカード４０と通信が行なわれた時刻情報を含む個人情報を、帰宅者情報として監視制御装置３に転送する（図３３のステップＳ２４１）。なお、このとき監視制御装置３に転送する情報には時刻情報を含めず、監視制御装置３がこれらの情報を受信した時刻を、時計回路２２１の時刻から認識するようにすることもできる。
【０２９６】
その後、ＣＰＵ１０１は、ドア開閉センサ２９のセンサ出力を参照して、玄関ドア１が閉じられたことを確認し（ステップＳ２４２）、玄関ドア１が閉じられた後、所定時間、例えば３秒経過したことを確認したら（ステップＳ２４３）、電子ロック機構駆動部１１８を駆動制御して、電子ロック機構１３０により玄関ドア１を施錠状態に復帰させるようにする（ステップＳ２４４）。そして、ＣＰＵ１０１は、内側ＬＥＤ２２ｉｎを緑色で点滅して、玄関ドア１が施錠状態に戻ったことを報知する（ステップＳ２４５）。
【０２９７】
その後、ＣＰＵ１０１は、帰宅者があったことから在宅状況が変更することに基づき、セキュリティレベルの変更指示を監視制御装置３に送る（ステップＳ２４６）。
【０２９８】
このセキュリティレベルの変更指示を受け取った監視制御装置３では、ステップＳ２４１での帰宅者情報による在宅状況の変化を認識し、図１５に示した在宅状況とセキュリティレベルとの対応テーブルを参照して、セキュリティレベルの変更の必要があるか否か判別し、必要があるときには、セキュリティレベルを変更する。そして、監視制御装置３は、セキュリティレベルを変更したかどうかを、制御装置部１００に通知する。
【０２９９】
制御装置部１００のＣＰＵ１０１は、監視制御装置３からのセキュリティレベルの変更に関する通知を受け取って（ステップＳ２４７）、セキュリティレベルが変更されたか否かを判別する（ステップＳ２４８）。
【０３００】
そして、ステップＳ２４８で、セキュリティモードが変更されたと判別したときには、ＣＰＵ１０１は、内側スピーカ２３ｉｎから、「セキュリティレベルを変更しました」というメッセージを放音する（ステップＳ２４９）。そして、図２７のステップＳ１３１に戻る。
【０３０１】
なお、以上の説明では、帰宅者があったときには、制御装置部１００から、ステップＳ２４６において、監視制御装置３にセキュリティレベルの変更指示を送るようにしたが、監視制御装置３では、ステップＳ２４１での帰宅者情報の転送を受けるので、制御装置部１００からのセキュリティレベルの変更指示を受けなくても、自動的にセキュリティレベルの変更が必要かどうかを判断して、必要である場合には、セキュリティレベルを自動的に変更するようにしても良い。その場合には、セキュリティレベルを変更したときには、その旨を制御装置部１００に転送するようにする。
【０３０２】
［外側リード／ライト部２１ｅｘとの通信相手が業者情報通信装置の場合］
次に、図３１のステップＳ２１１でのカード種別の判別の結果、外側リード／ライト部２１ｅｘと通信が行なわれたＩＣカード４０が、業者情報通信装置であると判別した場合には、ＣＰＵ１０１は、ドアホンボタン２５を押下するように促すメッセージを外側スピーカ２３ｅｘから放音する（図３４のステップＳ２５１）。
【０３０３】
そして、ＣＰＵ１０１は、このメッセージに促されて、訪問者がドアホンボタン２５を押下するのを待つ（ステップＳ２５２）。ドアホンボタン２５が押下されたことを判別すると、ＣＰＵ１０１は、ドアホン機能を立ち上げ（ステップＳ２５３）、業者情報メモリ１０６に記憶されている業者識別情報と、ＩＣカード４０から受信した業者識別情報とを比較して、業者情報メモリ１０６に記憶されている業者情報に含まれる業者識別情報の中に、ＩＣカード４０から受信した識別情報と一致するものがあるかどうかにより、当該ＩＣカード４０が登録業者のＩＣカード４０であるか否かを判別して、訪問者が管理会社に登録された業者の担当者であるか否かの判別を行なう（ステップＳ２５４）。
【０３０４】
そして、訪問者が管理会社に登録された業者の担当者ではないと判別したときには、ＣＰＵ１０１は、外側ＬＥＤ駆動部１１２を駆動して、外側ＬＥＤ２２ｅｘを赤色で点滅させると共に、外側スピーカ２３ｅｘから警告音を放音して、ＩＣカード４０の使用者に報知する（ステップＳ２５５）。
【０３０５】
そして、ＣＰＵ１０１は、訪問者は、登録業者以外の非登録業者あるいはその他の訪問者であると認識して、その旨を示す情報と、訪問時刻情報（例えばドアホンボタン２５が押下された時刻あるいはＩＣカードと通信を行なった時刻の情報）とを監視制御装置３に通信インターフェース１０８を通じて送信して通知する（ステップＳ２５６）。なお、登録業者以外の訪問があったことと、前記訪問時刻情報とを、制御装置部に訪問履歴として記憶しておくようにしてもよい。
【０３０６】
そして、ＣＰＵ１０１は、屋外ユニット２Ａのカメラ２６で撮影して得た訪問者の画像情報を、監視制御装置３に送る（ステップＳ２５９）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする（ステップＳ２６０）。
【０３０７】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ２６１）。
このステップＳ２６１において、訪問者と在宅者との間での音声通話が終了したと判別したときには、ドアホン機能を終了させ（ステップＳ２６２）、ステップＳ１３１に戻る。
【０３０８】
また、ステップＳ２５４において、訪問者が管理会社に登録された業者の担当者であると判別したときには、ＣＰＵ１０１は、外側ＬＥＤ駆動部１１２を駆動して、外側ＬＥＤ２２ｅｘを緑色で１秒間点灯させ、認証ＯＫであることをＩＣカード４０の使用者に報知する（ステップＳ２５７）。このとき、ＣＰＵ１０１により、併せて外側スピーカ２３ｅｘから「認証がとれました」というメッセージを放音させるようにしても良い。
【０３０９】
そして、ＣＰＵ１０１は、訪問者は、登録業者の担当者であると認識して、その旨を示す情報と、その業者識別情報と、訪問時刻情報（この例では、ドアホンボタン２５が押下された時刻あるいはＩＣカード４０と通信を行なった時刻の情報）とを、監視制御装置３に通信インターフェース１０８を通じて送信して通知する（ステップＳ２５８）。なお、このときの業者識別情報と訪問時刻情報とは訪問履歴として、業者情報メモリ１０６または他のメモリに記憶させるようにしてもよい。
【０３１０】
そして、ＣＰＵ１０１は、屋外ユニット２Ａのカメラ２６で撮影して得た訪問者の画像情報を、監視制御装置３に送る（ステップＳ２５９）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする（ステップＳ２６０）。
【０３１１】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ２６１）。
このステップＳ２６１において、訪問者と在宅者との間での音声通話が終了したと判別したときには、ドアホン機能を終了させ（ステップＳ２６２）、図２７のステップＳ１３１に戻る。
【０３１２】
［逐次ロックモードの説明；図３５〜図３９］
次に、逐次ロックモードのときの動作を、図３５〜図３９のフローチャートを参照しながら説明する。この逐次ロックモードのときには、ＩＣカード４０が、内側リード／ライト部２１ｉｎまたは外側リード／ライト部２１ｅｘにかざされて通信が両者の間で行なわれ、電子鍵情報としての識別情報についての認証がとれたときには、そのときの玄関ドア１の開錠あるいは施錠の状態とは逆の状態になるように、電子ロック機構１３０は、制御装置部１００により制御されるものである。
【０３１３】
ＣＰＵ１０１は、インターフェース１０９，１１０を介して、内側リード／ライト部２１ｉｎおよび外側リード／ライト部２１ｅｘを監視し、ＩＣカード４０がかざされて、ＩＣカード４０と内側リード／ライト部２１ｉｎまたは外側リード／ライト部２１ｅｘとの間で通信が行われるのを待つ（ステップＳ２７１）。
【０３１４】
そして、ステップＳ２７１において、ＩＣカード４０がかざされず、リード／ライト部２１ｉｎまたは２１ｅｘと通信が行なわれなかったと判別したときには、ＣＰＵ１０１は、ドアホンボタン２５が押されたか否か判別し（ステップＳ２７２）、ドアホンボタン２５も押されないときには、ステップＳ２７１に戻る。
【０３１５】
［ドアホンボタン押下；図３６］
ステップＳ２７２で、ドアホンボタン２５が押下されたと判別したときには、ＣＰＵ１０１は、ドアホン機能を立ち上げ（図３６のステップＳ２９１）、ＩＣカード４０をドアホン装置の屋外ユニット２Ａにかざすように促すメッセージを、外側スピーカ２３ｅｘから送出する（ステップＳ２９２）。
【０３１６】
このメッセージを聴取した訪問者が、業者用のＩＣカード４０を所持する登録業者の担当者であるときには、当該ＩＣカード４０を外側リード／ライト部２１ｅｘにかざして通信を行なうようにする。
【０３１７】
そこで、ＣＰＵ１０１は、このメッセージに促されて、訪問者がＩＣカード４０をかざして外側リード／ライト部２１ｅｘと通信を行なったか否か判別する（ステップＳ２９３）。
【０３１８】
外側リード／ライト部２１ｅｘと通信が行なわれないと判別したときには、ＣＰＵ１０１は、メッセージ送出から予め定められた所定時間経過したか否かを時計回路１１９の時刻情報に基づいて判別し（ステップＳ３００）、予め定められた所定時間経過したと判別したときには、訪問者は、登録業者以外の非登録業者あるいはその他の訪問者であると認識して、その旨を示す情報と、訪問時刻（この例ではドアホンボタン２５が押下された時刻）を監視制御装置３に通信インターフェース１０８を通じて送信して通知する（ステップＳ２９９）。
【０３１９】
そして、ＣＰＵ１０１は、屋外ユニット２Ａのカメラ２６で撮影して得た訪問者の画像情報を、監視制御装置３に送る（ステップＳ３０１）と共に、屋外ユニット２Ａと監視制御装置３との間で音声通信（通話）が可能な状態にする（ステップＳ３０２）。すなわち、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、通話を行なわせるようにする。
【０３２０】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ３０３）。
このステップＳ３０３において、訪問者と在宅者との間での音声通話が終了したと判別したときには、ドアホン機能を終了させ（ステップＳ３０４）、ステップＳ２７１に戻る。
【０３２１】
また、ステップＳ２９３において、前記メッセージの送出に対応して、外側リード／ライト部２１ｅｘにＩＣカードがかざされて通信が行われたと判別したときには、ＣＰＵ１０１は、識別情報（業者識別情報）をＩＣカード４０から受信し、例えばＲＡＭ１０４などに一時的に格納する（ステップＳ２９４）。このとき、制御装置部１００が備える時計回路１１９の時刻情報も、通信があった時刻として、前記識別情報（業者識別情報）と共にＲＡＭ１０４に格納されると共に、当該時刻情報が、ＩＣカード４０に与えられ、その制御用ＩＣ内４２のメモリに書き込まれる。
【０３２２】
次に、ＣＰＵ１０１は、業者情報メモリ１０６に記憶されている業者識別情報と、ＩＣカード４０から受信した業者識別情報とを比較して、業者情報メモリ１０６に記憶されている業者情報に含まれる業者識別情報の中に、ＩＣカード４０から受信した識別情報と一致するものがあるかどうかにより、当該ＩＣカード４０が登録業者のＩＣカード４０であるか否かを判別して、訪問者が管理会社に登録された業者の担当者であるか否かの判別を行なう（ステップＳ２９５）。
【０３２３】
そして、訪問者が管理会社に登録された業者の担当者ではないと判別したときには、ＣＰＵ１０１は、外側ＬＥＤ駆動部１１２を駆動して、外側ＬＥＤ２２ｅｘを赤色で点滅させると共に、外側スピーカ２３ｅｘから警告音を放音して、ＩＣカード４０の使用者に報知する（ステップＳ２９８）。
【０３２４】
そして、ＣＰＵ１０１は、訪問者は、登録業者以外の非登録業者あるいはその他の訪問者であると認識して、その旨を示す情報と、訪問時刻情報（例えばドアホンボタン２５が押下された時刻あるいはＩＣカードと通信を行なった時刻の情報）とを監視制御装置３に通信インターフェース１０８を通じて送信して通知する（ステップＳ２９９）。なお、登録業者以外の訪問があったこと、前記訪問時刻情報とを、制御装置部に訪問履歴として記憶しておくようにしてもよい。
【０３２５】
そして、ＣＰＵ１０１は、屋外ユニット２Ａのカメラ２６で撮影して得た訪問者の画像情報を、監視制御装置３に送る（ステップＳ３０１）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする（ステップＳ３０２）。
【０３２６】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ３０３）。
このステップＳ３０３において、訪問者と在宅者との間での音声通話が終了したと判別したときには、ドアホン機能を終了させ（ステップＳ３０４）、ステップＳ２７１に戻る。
【０３２７】
また、ステップＳ２９５において、訪問者が管理会社に登録された業者の担当者であると判別したときには、ＣＰＵ１０１は、外側ＬＥＤ駆動部１１２を駆動して、外側ＬＥＤ２２ｅｘを緑色で１秒間点灯させ、認証ＯＫであることをＩＣカード４０の使用者に報知する（ステップＳ２９６）。このとき、ＣＰＵ１０１により、併せて外側スピーカ２３ｅｘから「認証がとれました」というメッセージを放音させるようにしても良い。
【０３２８】
そして、ＣＰＵ１０１は、訪問者は、登録業者の担当者であると認識して、その旨を示す情報と、その業者識別情報と、訪問時刻情報（この例では、ドアホンボタン２５が押下された時刻あるいはＩＣカード４０と通信を行なった時刻の情報）とを、監視制御装置３に通信インターフェース１０８を通じて送信して通知する（ステップＳ２９７）。なお、このときの業者識別情報と訪問時刻情報とは訪問履歴として、業者情報メモリ１０６または他のメモリに記憶させるようにしてもよい。
【０３２９】
そして、ＣＰＵ１０１は、屋外ユニット２Ａのカメラ２６で撮影して得た訪問者の画像情報を、監視制御装置３に送る（ステップＳ３０１）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする（ステップＳ３０２）。
【０３３０】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ３０３）。
このステップＳ３０３において、訪問者と在宅者との間での音声通話が終了したと判別したときには、ドアホン機能を終了させ（ステップＳ３０４）、ステップＳ２７１に戻る。
【０３３１】
次に、図３５のステップＳ２７１において、ＩＣカード４０がかざされて、リード／ライト部２１ｉｎまたは２１ｅｘと通信が行なわれたと判別したときには、ＣＰＵ１０１は、識別情報をＩＣカード４０から受信し、例えばＲＡＭ１０４などに一時的に格納する（ステップＳ２７３）。このとき、制御装置部１００が備える時計回路１１９の時刻情報も、通信があった時刻として、前記識別情報と共にＲＡＭ１０４に格納されると共に、当該時刻情報が、ＩＣカード４０に与えられ、その制御用ＩＣ内４２のメモリに書き込まれる。
【０３３２】
また、ＩＣカード４０においては、内側リード／ライト部２１ｉｎまたは外側リード／ライト部２１ｅｘのどちらと通信をしたかの情報として、通信相手のＩＤ等が制御用ＩＣ４２のメモリに書き込まれる。
【０３３３】
次に、ＣＰＵ１０１は、内側リード／ライト部２１ｉｎまたは外側リード／ライト部２１ｅｘのどちらでＩＣカード４０と通信が行われたかを判別する（ステップＳ２７４）。その判別結果と、前記の通信の時刻情報と、ＩＣカードから取得した識別情報は、制御装置部１００の図示を省略した通信履歴メモリに格納される。また、これらの識別情報、通信時刻、内側リード／ライト部２１ｉｎまたは外側リード／ライト部２１ｅｘのどちらでＩＣカード４０と通信が行われたかの判別結果は、監視制御装置３にも、図示を省略したその通信履歴メモリに記憶させるために転送される。
【０３３４】
［内側リード／ライト部２１ｉｎでの通信の場合；図３５］
ステップＳ２７４で、ＩＣカード４０と通信が行われたのが内側リード／ライト部２１ｉｎであると判別したときには、ＣＰＵ１０１は、在宅者が外出する場合あるいは玄関ドア１をセキュリティのために施錠する場合であるとして、以下のような処理を行なう。
【０３３５】
ＣＰＵ１０１は、先ず、家族情報メモリ１０５に記憶されている識別情報と、ＩＣカード４０から受信した識別情報とを比較して、家族情報メモリ１０５に記憶されている識別情報の中に、ＩＣカード４０から受信した識別情報と一致するものがあるかどうかにより、当該ＩＣカード４０がドアホン装置に登録された電子鍵装置であるか否かを判別して、当該ＩＣカード４０についての認証を行なう（ステップＳ２７５）。
【０３３６】
そして、その認証結果を判別し（ステップＳ２７６）、家族情報メモリ１０５に記憶されている識別情報の中に、ＩＣカード４０から受信した識別情報と一致するものがなくて、認証が取れなかったとき（認証ＮＧ）であると判別したときには、ＣＰＵ１０１は、内側ＬＥＤ駆動部１１１を駆動して、内側ＬＥＤ２２ｉｎを赤色で点滅させると共に、内側スピーカ２３ｉｎから警告音を放音して、認証ＮＧであることをＩＣカード４０の使用者に報知する（ステップＳ２７７）。
そして、電子ロック機構１３０は、その前の状態のままとして、ステップＳ２７１に戻る。
【０３３７】
また、ステップＳ２７６で、家族情報メモリ１０５に記憶されている識別情報の中に、ＩＣカード４０から受信した識別情報と一致するものがあって、認証がＯＫであると判別したときには、ＣＰＵ１０１は、内側ＬＥＤ駆動部１１１を駆動して、内側ＬＥＤ２２ｉｎを緑色で１秒間点灯させ、認証ＯＫであることをＩＣカード４０Ｆの使用者に報知する（ステップＳ２７８）。このとき、ＣＰＵ１０１により、併せて内側スピーカ２３ｉｎから「認証がとれました」というメッセージを放音させるようにしても良い。
【０３３８】
そして、ＣＰＵ１０１は、現在の電子ロック機構１３０による玄関ドア１のロック状態は、施錠状態になっているか否か判別する（ステップＳ２７９）。このステップＳ２７９で、電子ロック機構１３０による玄関ドア１のロック状態が、開錠状態であると判別したときには、その逆の状態である施錠状態にするように、電子ロック機構駆動部１１８を駆動制御する（ステップＳ２８０）。
【０３３９】
そして、ＣＰＵ１０１は、内側ＬＥＤ２２ｉｎを、例えば緑色で点滅させると共に、内側スピーカ２３ｉｎから、「玄関ドアを施錠しました」というメッセージを放音させ、施錠状態にしたことをＩＣカード４０の使用者に報知するようにする（ステップＳ２８１）。
【０３４０】
そして、ＣＰＵ１０１は、ステップＳ２７３で取り込んだ識別情報で示される者が、セキュリティのために施錠をしたと認識して、当該識別情報を含む個人情報を、在宅者情報として監視制御装置３に転送する（ステップＳ２８２）。その後、ステップＳ２７１に戻る。
【０３４１】
また、ステップＳ２７９で、現在のドアロック機構２８のロック状態は、施錠状態であると判別したときには、ＣＰＵ１０１は、電子ロック機構駆動部１１８を駆動制御して、電子ロック機構１３０を開錠状態にし（ステップＳ２８３）、内側ＬＥＤ２２ｉｎを、例えば緑色で点滅させると共に、内側スピーカ２３ｉｎから、「ドアロックを解除しました」というメッセージを放音させる（ステップＳ２８４）。
【０３４２】
そして、このときには、ＣＰＵ１０１は、ステップＳ２７３で取り込んだ識別情報で示される者が、開錠をして外出をしたと認識して、当該識別情報を含む個人情報を、外出者情報として監視制御装置３に転送する（ステップＳ２８５）。
その後、ステップＳ２７１に戻る。
【０３４３】
［外側電子鍵リード／ライト部２１ｅｘでの通信の場合；図３７〜図３９］
ステップＳ２７４で、ＩＣカード４０と通信が行われたのが外側リード／ライト部２１ｅｘであると判別したときには、ＣＰＵ１０１は、家人が帰宅して開錠する場合または家人が外出のため施錠する場合あるいは訪問者の到来であるとして、以下のような処理を行なう。
【０３４４】
ＣＰＵ１０１は、まず、ＩＣカード４０から、カード種別の情報を取得して、ＩＣカード４０が電子鍵装置であるか業者情報通信装置であるかの判別をする（ステップＳ３１１）。ここで、前述の説明において、ＩＣカード４０と通信が行われたのが内側リード／ライト部２１ｉｎであるとステップＳ２７４で判別したときには、カード種別の情報を判別しなかったが、それは、内側リード／ライト部２１ｉｎと通信が行なわれるのは、家族が所有する電子鍵装置としてのＩＣカードのみであるから、カード種別の判別を省略したものである。
【０３４５】
ステップＳ３１１で、ＩＣカード４０が電子鍵装置であると判別したときには、ＣＰＵ１０１は、ステップＳ１３３で取り込んだＩＣカード４０から受信した識別情報と、家族情報メモリ１０５に記憶されている識別情報とを比較して、家族情報メモリ１０５に記憶されている識別情報の中に、ＩＣカード４０から受信した識別情報と一致するものがあるかどうかにより、当該ＩＣカード４０がドアホン装置に登録されたＩＣカード４０であるか否かを判別して、当該ＩＣカード４０についての認証を行なう（ステップＳ３１２）。
【０３４６】
そして、その認証結果を判別し（ステップＳ３１３）、家族情報メモリ１０５に記憶されている識別情報の中に、ＩＣカード４０から受信した識別情報と一致するものがなくて、認証が取れなかったとき（認証ＮＧ）であると判別したときには、ＣＰＵ１０１は、外側ＬＥＤ駆動部１１２を駆動して、外側ＬＥＤ２２ｅｘを赤色で点滅させると共に、外側スピーカ２３ｅｘから警告音を放音して、認証ＮＧであることをＩＣカード４０の使用者に報知する（ステップＳ３１４）。
そして、電子ロック機構１３０は施錠状態のままとして、ステップＳ２７１に戻る。
【０３４７】
また、ステップＳ３１３で、家族情報メモリ１０５に記憶されている識別情報の中に、ＩＣカード４０から受信した識別情報と一致するものがあって、認証がＯＫであると判別したときには、ＣＰＵ１０１は、外側ＬＥＤ駆動部１１２を駆動して、外側ＬＥＤ２２ｅｘを緑色で１秒間点灯させ、認証ＯＫであることをＩＣカード４０の使用者に報知する（ステップＳ３１５）。このとき、ＣＰＵ１０１により、合わせて外側スピーカ２３ｅｘから「認証がとれました」というメッセージを放音させるようにしても良い。
【０３４８】
そして、ＣＰＵ１０１は、現在の電子ロック機構１３０のロック状態は、施錠状態になっているか否か判別する（ステップＳ３１６）。このステップＳ３１６で、現在の電子ロック機構１３０による玄関ドア１のロック状態は、施錠状態であると判別したときには、ＣＰＵ１０１は、ドアロック機構駆動部１１８を駆動制御して、電子ロック機構１３０により玄関ドア１を開錠状態にし（ステップＳ３１７）、内側ＬＥＤ２２ｉｎを、例えば緑色で点滅させると共に、内側スピーカ２３ｉｎから、「ドアロックを解除しました」というメッセージを放音させる（ステップＳ３１８）。
【０３４９】
そして、ＣＰＵ１０１は、ステップＳ２７３で取り込んだ識別情報で示される者が、帰宅のため開錠をしたと認識して、当該識別情報および帰宅時刻情報（電子鍵装置と通信が行なわれた時刻）を含む個人情報を、帰宅者情報として監視制御装置３に転送する（ステップＳ３１９）。この場合にも、前述と同様にして、監視制御装置３がこれらの情報を受信した時刻を、時計回路２２１の時刻から認識して、その時刻を帰宅時刻とするようにしてもよい。そして、ステップＳ２７１に戻る。
【０３５０】
また、ステップＳ３１６で、現在の玄関ドア１のロック状態が開錠状態であると判別したときには、その逆の状態である施錠状態にするように、電子ロック機構駆動部１１８を駆動制御して、電子ロック機構１３０により玄関ドア１を施錠状態にする（ステップＳ３２０）。
【０３５１】
そして、ＣＰＵ１０１は、内側ＬＥＤ２２ｉｎを、例えば緑色で点滅させると共に、内側スピーカ２３ｉｎから、「玄関ドアを施錠しました」というメッセージを放音させ、施錠状態にしたことをＩＣカード４０の使用者に報知するようにする（ステップＳ３２１）。
【０３５２】
そして、ＣＰＵ１０１は、ステップＳ２７３で取り込んだ識別情報で示される者が、外出のために施錠をしたと認識して、当該識別情報を含む個人情報を、外出者情報として監視制御装置３に転送する（ステップＳ３２２）。
【０３５３】
そして、施錠後、ＣＰＵ１０１は、所定時間、例えば１０秒経過したか否か判別し（図３８のステップＳ３３１）、所定時間経過していないと判別したときには、ステップＳ２７１で通信が行われたと判別されたＩＣカード４０が、再度、外側リード／ライト部２１ｅｘと通信したか否か判別し（ステップＳ３３２）、所定時間経過しても通信がなされないと判別したときにはステップＳ３３１に戻る。
【０３５４】
また、ステップＳ３３２で、玄関ドア施錠後、所定時間経過する前に、ステップＳ１３１において通信が行われたと判別された電子鍵装置と外側リード／ライト部２１ｅｘとで通信が行われたと判別すると、戸締りを確認する（ステップＳ３３３）。
【０３５５】
このステップＳ３３３での戸締りの確認は、前述のステップＳ１７１〜Ｓ１７３において説明した処理と同様に行なう。つまり、制御装置部１００は、監視制御装置３に対して窓の開閉状態についての問い合わせを行ない、問い合わせ結果を監視制御装置３から取得する。そして、その問い合わせ結果から、戸締りがＯＫかどうかを判別する。
【０３５６】
ステップＳ３３３で、戸締りがＯＫであると判別したときには、ＣＰＵ１０１は、通信インターフェース１０８を通じてセキュリティモードをオンにする要求を監視制御装置３に送信する（ステップＳ３３４）。
【０３５７】
この要求に対しては、監視制御装置３は、そのときの在宅状況をチェックして、セキュリティレベルが図１５に示したいずれのレベルとなるかを判定する。そして、監視制御装置３は、その判定の結果、セキュリティレベルがレベルＤであるときには、セキュリティモードはオンにできないので、その旨を制御装置部１００に返し、セキュリティレベルがレベルＤ以外であるときには、セキュリティモードをオンにできるので、その旨を制御装置部１００に返す。
【０３５８】
制御装置部１００のＣＰＵ１０１は、監視制御装置３からのセキュリティモードオンの要求に対する返答を解析して、セキュリティモードをオンにできるか否か判別する（ステップＳ３３５）。そして、セキュリティモードがオンにできる旨の返答を監視制御装置３から受けたと判別したときには、ＣＰＵ１０１は、外側スピーカ２３ｅｘから、「セキュリティモードをオンにします」というメッセージを放音させる（ステップＳ３３６）。そして、ステップＳ２７１に戻る。
【０３５９】
また、ステップＳ３３５で、セキュリティモードがオンにできない旨の返答を監視制御装置３から受けたと判別したときには、ＣＰＵ１０１は、外側スピーカ２３ｅｘから、「在宅者が存在するため、セキュリティモードをオンにはできません」というメッセージを放音させる（ステップＳ３３７）。その後、ステップＳ２７１に戻る。
【０３６０】
また、ステップＳ３３３で、窓が開いていて戸締りが完了していないと判別したときには、ＣＰＵ１０１は、「窓が開いているため、セキュリティモードをオンにすることはできません」という警告メッセージを放音する（ステップＳ３３８）。そして、その後、ステップＳ２７１に戻る。
【０３６１】
［外側リード／ライト部２１ｅｘとの通信相手が業者情報通信装置の場合］
次に、図３７のステップＳ３１１でのカード種別の判別の結果、外側リード／ライト部２１ｅｘと通信が行なわれたＩＣカード４０が、業者情報通信装置であると判別した場合には、ＣＰＵ１０１は、ドアホンボタン２５を押下するように促すメッセージを外側スピーカ２３ｅｘから放音する（ステップＳ３４１）。
【０３６２】
そして、ＣＰＵ１０１は、このメッセージに促されて、訪問者がドアホンボタン２５を押下するのを待つ（ステップＳ３４２）。ドアホンボタン２５が押下されたことを判別すると、ＣＰＵ１０１は、ドアホン機能を立ち上げ（ステップＳ３４３）、業者情報メモリ１０６に記憶されている業者識別情報と、ＩＣカード４０から受信した業者識別情報とを比較して、業者情報メモリ１０６に記憶されている業者情報に含まれる業者識別情報の中に、ＩＣカード４０から受信した識別情報と一致するものがあるかどうかにより、当該ＩＣカード４０が登録業者のＩＣカード４０であるか否かを判別して、訪問者が管理会社に登録された業者の担当者であるか否かの判別を行なう（ステップＳ３４４）。
【０３６３】
そして、訪問者が管理会社に登録された業者の担当者ではないと判別したときには、ＣＰＵ１０１は、外側ＬＥＤ駆動部１１２を駆動して、外側ＬＥＤ２２ｅｘを赤色で点滅させると共に、外側スピーカ２３ｅｘから警告音を放音して、ＩＣカード４０の使用者に報知する（ステップＳ３４５）。
【０３６４】
そして、ＣＰＵ１０１は、訪問者は、登録業者以外の非登録業者あるいはその他の訪問者であると認識して、その旨を示す情報と、訪問時刻情報（例えばドアホンボタン２５が押下された時刻あるいはＩＣカードと通信を行なった時刻の情報）とを監視制御装置３に通信インターフェース１０８を通じて送信して通知する（ステップＳ３４６）。なお、登録業者以外の訪問があったことと、前記訪問時刻情報とを、制御装置部に訪問履歴として記憶しておくようにしてもよい。
【０３６５】
そして、ＣＰＵ１０１は、屋外ユニット２Ａのカメラ２６で撮影して得た訪問者の画像情報を、監視制御装置３に送る（ステップＳ３４９）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする（ステップＳ３５０）。
【０３６６】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ３５１）。このステップＳ２６１において、訪問者と在宅者との間での音声通話が終了したと判別したときには、ドアホン機能を終了させ（ステップＳ３５２）、図３５のステップＳ２７１に戻る。
【０３６７】
また、ステップＳ３４４において、訪問者が管理会社に登録された業者の担当者であると判別したときには、ＣＰＵ１０１は、外側ＬＥＤ駆動部１１２を駆動して、外側ＬＥＤ２２ｅｘを緑色で１秒間点灯させ、認証ＯＫであることをＩＣカード４０の使用者に報知する（ステップＳ３４７）。このとき、ＣＰＵ１０１により、併せて外側スピーカ２３ｅｘから「認証がとれました」というメッセージを放音させるようにしても良い。
【０３６８】
そして、ＣＰＵ１０１は、訪問者は、登録業者の担当者であると認識して、その旨を示す情報と、その業者識別情報と、訪問時刻情報（この例では、ドアホンボタン２５が押下された時刻あるいはＩＣカード４０と通信を行なった時刻の情報）とを、監視制御装置３に通信インターフェース１０８を通じて送信して通知する（ステップＳ３４８）。なお、このときの業者識別情報と訪問時刻情報とは訪問履歴として、業者情報メモリ１０６または他のメモリに記憶させるようにしてもよい。
【０３６９】
そして、ＣＰＵ１０１は、屋外ユニット２Ａのカメラ２６で撮影して得た訪問者の画像情報を、監視制御装置３に送る（ステップＳ３４９）。そして、ＣＰＵ１０１は、屋外ユニット２Ａのマイクロホン２４ｅｘで収音した訪問者の音声は、通信インターフェース１０８を通じて監視制御装置３に送って、そのスピーカ３５で放音させるようにすると共に、監視制御装置３のマイクロホン３４で収音された在宅者の音声は、通信インターフェース１０８を通じて受け取って、スピーカ２３ｅｘで放音させるようにして、訪問者と在宅者との間で通話を行なわせるようにする（ステップＳ３５０）。
【０３７０】
次に、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ３５１）。
このステップＳ３５１において、訪問者と在宅者との間での音声通話が終了したと判別したときには、ドアホン機能を終了させ（ステップＳ３５２）、図３５のステップＳ１３１に戻る。
【０３７１】
［監視制御装置３におけるセキュリティ動作；図４０］
上述のようにして、監視制御装置３は、ドアホン装置の制御装置部１００からの指示を受けてセキュリティモードをオンにするが、リモートコマンダ５０のセキュリティボタン５１を押すことによってもセキュリティモードをオンにすることができる。そして、監視制御装置３のセキュリティモードオン状態は、リモートコマンダ５０のオフボタン５２を操作すると、オフとすることができる。
【０３７２】
図４０は、リモートコマンダ５０を操作することにより、監視制御装置３のセキュリティモードのオン・オフを制御する動作を説明するためのフローチャートである。
【０３７３】
まず、ＣＰＵ２０１は、リモートコマンダ５０からの遠隔操作信号を監視して、リモートコマンダ５０で操作入力がなされたか否か判別する（ステップＳ３６１）。そして、操作入力がなされたと判別したときには、ＣＰＵ２０１は、操作されたのはセキュリティボタン５１であるか否か判別する（ステップＳ３６２）。
【０３７４】
ステップＳ３６２での判別の結果、セキュリティボタン５１の操作であると判別したときには、ＣＰＵ２０１は、リモコン送信部３９から電源オンのリモコン信号をテレビ受像機７のリモコン受信部に送り、テレビ受像機７をオンにする（ステップＳ３６３）。
【０３７５】
そして、ＣＰＵ２０１は、ＲＯＭ２０３から読み出したデータに基づいて生成した画像情報を、テレビインターフェース２１７を通じてテレビ受像機７に送り、テレビ受像機７の画面にセキュリティモードオンの確認画面を表示する（ステップＳ３６４）。その後、ＣＰＵ２０１は、リモコン送信部３９からテレビ受像機７の電源をオフするリモコン信号を送出して、テレビ受像機７をオフさせる（ステップＳ３６５）。
【０３７６】
そして、ＣＰＵ２０１は、その所定時間、例えば５分経過後（ステップＳ３６６）、セキュリティモードをオンにして（ステップＳ３６７）、セキュリティ監視動作を実行する（ステップＳ３６８）。ステップＳ３６６における所定時間は、セキュリティボタン５１を操作した使用者が、セキュリティモードオンに設定した後、玄関ドアから退出するまでの時間を考慮した時間とされている。
【０３７７】
ステップＳ３６２において、リモートコマンダ５０で操作されたボタンがセキュリティボタン５１ではないと判別したときには、ＣＰＵ２０１は、操作されたのはオフボタン５２であるか否か判別する（ステップＳ３６９）。このステップＳ３６９でオフボタン５２ではないと判別したときには、ＣＰＵ２０１は、その他のボタンが押されたことによる処理を実行する（ステップＳ３７０）。
【０３７８】
ステップＳ３６９での判別の結果、オフボタン５２であると判別したときには、ＣＰＵ２０１は、リモコン送信部３９から電源オンのリモコン信号をテレビ受像機７のリモコン受信部に送り、テレビ受像機７をオンにする（ステップＳ３７１）。
【０３７９】
そして、ＣＰＵ２０１は、ＲＯＭ２０３から読み出したデータに基づいて生成した画像情報を、テレビインターフェース２１７を通じてテレビ受像機７に送り、テレビ受像機７の画面にセキュリティモードオフの確認画面を表示する（ステップＳ３７２）。その後、ＣＰＵ２０１は、リモコン送信部３９からテレビ受像機７の電源をオフするリモコン信号を送出して、テレビ受像機７をオフさせる（ステップＳ３７３）。
【０３８０】
そして、ＣＰＵ２０１は、セキュリティモードをオフにする処理を行なう（ステップＳ３７４）。以上で、図４０の処理ルーチンは終了となる。
【０３８１】
［セキュリティモードオンにおける監視動作］
図４１および図４２は、監視制御装置３において、セキュリティモードオンとされたときの処理動作である。これは、前述のリモートコマンダ５０でのセキュリティボタン５１の操作時に起動されるもので、このときのセキュリティレベルは、レベルＡの場合である。なお、ドアホン装置の制御装置部１００からのセキュリティモードオン指示があったときには、前述したように、在宅者の状況が参酌されてセキュリティレベルが決定され、その決定されたセキュリティレベルでセキュリティモードがオンとされるものである。
【０３８２】
図４１においては、先ず、ＣＰＵ２０１は、ビデオカメラ３１の撮影画像の取り込みを開始する（ステップＳ３８１）。このとき、マイクロホン３４で収音した音声も一緒に取り込みを行なう。前述したように、画像・音声メモリ２０８に設けられるセキュリティモード用の監視情報領域は、リングバッファ形式とされており、この例では、最新の３０秒分の画像・音声情報が常に画像・音声メモリ２０８に格納されるようにされている。監視カメラ１３からの撮影画像についても同様にされている。
【０３８３】
次に、ＣＰＵ２０１は、センサハブ２０７からの窓センサ６ａ、６ｂのセンサ出力と、玄関ドア１のドア開閉センサ２９のセンサ出力の監視を開始するように制御する（ステップＳ３８２）。さらに、ＣＰＵ２０１は、火災センサ４およびガスセンサ５のセンサ出力の監視を開始するように制御する（ステップＳ３８３）。監視カメラ１３は、火災センサ４やガスセンサ５のオン・オフに応じてオン・オフする。
【０３８４】
次に、ＣＰＵ２０１は、人感センサ３３のセンサ出力を監視して、侵入者がないかどうかチェックする（ステップＳ３８４）。侵入者なしと判別したときには、窓センサ６ａ，６ｂのセンサ出力や、ドア開閉センサ２９のセンサ出力から、異常を検知したか否か判別する（図４２のステップＳ４０１）。
【０３８５】
ステップＳ４０１で、異常を検知しないと判別したときには、ＣＰＵ２０１は、火災センサ４やガスセンサ５のセンサ出力から、異常を検知したか否か判別する（ステップＳ４０２）。ステップＳ４０２で、異常を検知しないと判別したときには、ステップＳ３８４に戻る。
【０３８６】
そして、ステップＳ３８４で、侵入者を人感センサ３３により検知したと判別したときには、ＣＰＵ２０１は、照明機構３２０を制御して、照明３２をオンにする（ステップＳ３８５）。そして、侵入者の検知時点の１０秒前から、検知時点の２０秒後までの３０秒分の画像・音声情報を、画像・音声メモリ２０８から読み出し、１回目の画像として、管理サーバ装置１０に転送する（ステップＳ３８６）。管理サーバ装置１０では、この転送されてきた画像・音声情報により、侵入者を認識して、適切な処置を取ることができる。
【０３８７】
次に、ＣＰＵ２０１は、リモコン送信部３９からテレビ受像機７に電源オンのリモコン信号を送り、テレビ受像機７をオンにする（ステップＳ３８７）。そして、ＣＰＵ２０１は、予め用意している威嚇画像および威嚇音声の情報をテレビ受像機７に送り、それら威嚇画像および威嚇音声を出力する（ステップＳ３８８）。この威嚇画像・音声により侵入した賊を威嚇して、退散させることが可能となる。
【０３８８】
次に、ＣＰＵ２０１は、監視制御装置３に予め登録されている連絡先、例えば警備会社、警察署の他、登録された家人の携帯電話に対して異常検知を連絡する（ステップＳ３８９）。
【０３８９】
そして、ＣＰＵ２０１は、その後、数秒間隔で、画像・音声メモリ２０８のリングバッファに格納されている３０秒分の画像・音声情報を繰り返し管理サーバ装置１０に転送する（ステップＳ３９０）。そして、ＣＰＵ２０１は、人感センサ３３が侵入者を検知しなくなったか否か判別し（ステップＳ３９１）、検知しなくなるまで、３０秒分の画像・音声情報を管理サーバ装置１０に転送する処理作業を継続する。
【０３９０】
そして、ＣＰＵ２０１は、人感センサ３３が侵入者を検知しなくなったと判別したときには、３０秒分の画像・音声情報の管理サーバ装置１０への転送を中止する（ステップＳ３９２）。そして、ステップＳ４０１に戻って、セキュリティ監視を続ける。
【０３９１】
また、ステップＳ４０１において、異常を検知したと判別したときには、ＣＰＵ２０１は、窓センサ６ａ，６ｂやドア開閉センサ２９の近傍に設置されている監視カメラ１３からの検知時点の１０秒前から、検知時点の２０秒後までの３０秒分画像を１回目として、管理サーバ装置１０に転送する（ステップＳ４０４）。
【０３９２】
そして、ＣＰＵ２０１は、リモコン送信部３９からテレビ受像機７に電源オンのリモコン信号を送り、テレビ受像機７をオンにする（ステップＳ４０５）。そして、ＣＰＵ２０１は、予め用意している威嚇画像および威嚇音声の情報をテレビ受像機７に送り、それら威嚇画像および威嚇音声を出力する（ステップＳ４０６）。この威嚇画像・音声により侵入した賊を威嚇して、退散させることが可能となる。
【０３９３】
次に、ＣＰＵ２０１は、監視制御装置３に予め登録されている連絡先、例えば警備会社、警察署の他、登録された家人の携帯電話に対して異常検知を連絡する（ステップＳ４０７）。
【０３９４】
そして、ＣＰＵ２０１は、その後、数秒間隔で、画像・音声メモリ２０８のリングバッファに格納されている３０秒分の画像・音声情報を繰り返し管理サーバ装置１０に転送する（ステップＳ４０８）。そして、ＣＰＵ２０１は、リモートコマンダ５０のオフボタン５２によるオフ指示を待ち（ステップＳ４０９）、オフ指示が有ったときには、セキュリティモードをオフとする。
【０３９５】
また、ステップＳ４０２で、火災センサ４またはガスセンサ５で異常が検知されたと判別したときには、ＣＰＵ２０１は、監視制御装置３に設定登録されている、例えば警備会社、消防署の他、登録された家人の携帯電話に対して異常検知を連絡する（ステップＳ４０３）。そして、ステップＳ４０９に進む。
【０３９６】
なお、画像・音声情報を監視制御装置３から受け取った管理サーバ装置１０は、Ｗｅｂページにそれらの画像・音声情報を載せる。そこで、監視制御装置３から連絡を受け取った携帯電話の持ち主は、管理サーバ装置１０の当該Ｗｅｂページにアクセスして、どのような異常が発生したかを知ることができ、適切な対応処置を講じることが可能になる。
【０３９７】
［監視制御装置３における制御装置部１００からの指示による連携；図４３］監視制御装置３のＣＰＵ２０１は、ドアホン装置の制御装置部１００から受け取った情報や指示に応じて、図４３に示すような連携動作を行なう。なお、この例は、セキュリティレベルの変更を、ＣＰＵ２０１が、制御装置部１００からの変更指示を受けて行なうのではなく、制御装置部１００からのＩＣカードとの通信に基づく情報を受け取った結果による在宅状況の変化をチェックして、必要に応じて行なうようにした場合である。
【０３９８】
すなわち、ＣＰＵ２０１は、制御装置部１００からセキュリティモードオンの指示を受け取ったか否か判別する（ステップＳ４１１）。受け取らないと判別したときには、ＣＰＵ２０１は、その他の処理を行なう（ステップＳ４１２）。
【０３９９】
ステップＳ４１１でセキュリティモードオンの指示を受信したと判別したときには、ＣＰＵ２０１は、家族情報メモリ２０５の記憶情報を参照して、在宅状況をチェックする（ステップＳ４１３）。そして、図１５に示したテーブルを参照して、在宅状況に応じたセキュリティレベルを認識し、セキュリティモードオンにすることが可能であるか否か判別する（ステップＳ４１４）。
【０４００】
ステップＳ４１４で、セキュリティモードオンにすることができないと判別したときには、ＣＰＵ２０１は、その旨を制御装置部１００に通知する（ステップＳ４１５）。その後、ステップＳ４１１に戻る。
【０４０１】
一方、ステップＳ４１４で、セキュリティモードオンにすることが可能であると判別したときには、セキュリティモードをオンにすることができる旨を制御装置部１００に通知し（ステップＳ４１６）、所定時間経過するのを待つ（ステップＳ４１７）。
【０４０２】
所定時間経過したことを確認したら、ＣＰＵ２０１は、在宅状況に応じたセキュリティレベルでセキュリティモードをオンにする（ステップＳ４１８）。そして、セキュリティ監視動作を開始する（ステップＳ４１９）。以上で、この図４３の処理ルーチンを終了する。
【０４０３】
［監視制御装置３におけるドアホン関連制御；図４４および図４５］
監視制御装置３は、ドアホン装置の制御装置部１００からの情報を受けて、以下に説明するような制御を行なう。
【０４０４】
すなわち、監視制御装置３のＣＰＵ２０１は、通常は待機状態にあり（ステップＳ４２１）、この待機状態において、制御装置部１００からの情報を受信したか否か常に監視している（ステップＳ４２２）。
【０４０５】
そして、制御装置部１００からの情報を受信したと判別したときには、ＣＰＵ２０１は、受信した情報が帰宅者情報または外出者情報か、あるいは、訪問者情報であるかを判別する（ステップＳ４２３）。そして、受信した情報が帰宅者情報または外出者情報であると判別したときには、ＣＰＵ２０１は、受信した情報に含まれる個人識別情報に基づいて、帰宅者または外出者を特定し、家族情報メモリ２０５において、特定した帰宅者または外出者についての履歴を更新する（ステップＳ４２４）。
【０４０６】
そして、ＣＰＵ２０１は、そのときに監視制御装置３においてはセキュリティモードがオンであるか否か判別し（ステップＳ４２５）、セキュリティモードがオンでなければ、ステップＳ４２１の待機状態に戻る。
【０４０７】
また、セキュリティモードがオンの状態であると判別したときには、ＣＰＵ２０１は、帰宅者または外出者による在宅状況の変更をチェックし（ステップＳ４２６）、セキュリティレベルの変更が必要か否かを、図１５のテーブルを参照して判別する（ステップＳ４２７）。そして、セキュリティレベルの変更が必要ではないと判別したときには、ＣＰＵ２０１は、ステップＳ４２１の待機状態に戻る。
【０４０８】
また、ステップＳ４２７において、セキュリティレベルの変更が必要であると判別したときには、ＣＰＵ２０１は、セキュリティモードをオフに変更すべきなのかどうか判別する（ステップＳ４２８）。
【０４０９】
そして、セキュリティモードはオフではなく、他のセキュリティレベルに変更すべきであると判別したときには、ＣＰＵ２０１は、図１５のテーブルに従い、在宅状況に応じてセキュリティレベルを変更する（ステップＳ４２９）。そして、セキュリティレベルを変更した旨をドアホン装置の制御装置部１００に通知する（ステップＳ４３０）。その後、ステップＳ４２１の待機状態に戻る。
【０４１０】
また、ステップＳ４２８で、セキュリティモードをオフにする必要があると判別したときには、ＣＰＵ２０１は、セキュリティモードをオフにし（ステップＳ４３１）、セキュリティモードをオフにした旨をドアホン装置の制御装置部１００に通知する（ステップＳ４３２）。その後、ステップＳ４２１の待機状態に戻る。
【０４１１】
また、ステップＳ４２３で、制御装置部１００から受信した情報は、訪問者情報であると判別したときには、ＣＰＵ２０１は、受信した訪問者情報は、登録された業者の担当者を示すものであるか否か判別する（図４５のステップＳ４４１）。
【０４１２】
このステップＳ４４１で、訪問者情報は登録された業者の担当者以外の訪問者を示すものであることを判別したときには、ＣＰＵ２０１は、スピーカ３５により登録業者担当者以外の訪問者を知らせる呼出音を放音する（ステップＳ４５１）。そして、業者情報メモリ２１３の対応する業者情報について、訪問履歴の書き込みを行なう（ステップＳ４５２）。訪問履歴は、訪問履歴メモリを別途用意して記憶するようにしてもよい。
【０４１３】
次に、ＣＰＵ２０１は、制御装置部１００から送られてくる訪問者のカメラ画像情報を受信して、それを図４６（Ａ）に示すように、訪問者の画像７１をテレビ受像機７の画面に表示する（ステップＳ４５３）。このとき、テレビ受像機７の画面には、訪問履歴としてメモリに書き込まれる訪問日および時刻が併せて表示される。
【０４１４】
そして、ＣＰＵ２０１は、屋外ユニット２Ａのマイクロホン２４ｅｘで収音されて制御装置部１００から送られてくる訪問者の音声は、ドアホン装置通信インターフェース２０６を通じて受け取って、スピーカ３５から放音させるようにすると共に、監視制御装置３のマイクロホン３４で収音した在宅者の音声は、ドアホン装置通信インターフェース２０６を通じて制御装置部１００に送出するようにして、訪問者と在宅者の間で通話を行なうことが可能なようにする（ステップＳ４５５）。
【０４１５】
このとき、在宅者は、テレビ受像機７に表示された画像を見て、訪問者に答えるかどうか決めることができる。そして、訪問者に答えた場合には、監視制御装置３と制御装置部１００との間で音声信号の授受がなされ、音声信号の授受がなくなったときには、ドアホン機能が終了される。すなわち、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ４５６）。このステップＳ４５６において、訪問者と在宅者との間での音声通話が終了したと判別したときには、ドアホン機能を終了させ（ステップＳ４５７）、この処理ルーチンを終了する。
【０４１６】
また、ステップＳ４４１で、訪問者情報は登録された業者の担当者を示すものであると判別したときには、ＣＰＵ２０１は、スピーカ３５により登録業者担当者の訪問を知らせる呼出音を放音する（ステップＳ４４２）。
【０４１７】
この呼出音は、ステップＳ４５１での登録業者担当者以外の訪問者を知らせる呼出音とは区別可能な異なる呼出音である。呼出音を異ならせる方法としては、呼出音がチャイム音であれば、音色を変える、リズムを変える、音と音とのつながりの周期を変えるなどの方法を用いることができる。また、例えば携帯電話の着信音のようにメロディーを、それぞれの呼出音として用いることにより、異なる呼出音とすることもできる。
【０４１８】
そして、業者情報メモリ２１３の対応する業者情報について、訪問日および訪問時刻とを含む訪問履歴の書き込みを行なう（ステップＳ４４３）。訪問履歴は、訪問履歴メモリを別途用意して記憶するようにしてもよい。
【０４１９】
次に、ＣＰＵ２０１は、そのときに、セキュリティモードがオンになっているかどうか判別する（ステップＳ４４４）。セキュリティモードがオンになっていないと判別したときには、ＣＰＵ２０１は、制御装置部１００から送られてくる訪問者のカメラ画像情報を受信して、その訪問者の画像７２を図４６（Ｂ）に示すように、テレビ受像機７の画面の、例えば右半分の領域に表示すると共に、業者情報メモリ２１３に格納されている当該訪問業者の担当者の顔写真画像を読み出して、図４６（Ｂ）に示すように、テレビ受像機７の画面の、例えば左半分の領域に当該顔写真画像７３を表示する（ステップＳ４５４）。
【０４２０】
訪問者の画像７２には、図示のように、ＩＣカード４０から受信した業者情報に含まれる業者名が表示されると共に、訪問日および訪問時刻の情報が表示される。業者情報メモリ２１３から読み出された業者担当者の顔写真画像７３には、メモリ２１３に記憶されている業者情報に含まれる業者名が表示される。
【０４２１】
在宅者は、この図４６（Ｂ）の画面を見ることにより、ＩＣカード４０をかざした訪問者が、確かに登録業者の担当者であることを確認することができる。したがって、業者用のＩＣカード４０が盗難にあったりしたり、紛失してしまったときにも、当該ＩＣカードの悪意の使用を排除することができる。
【０４２２】
その後、ＣＰＵ２０１は、屋外ユニット２Ａのマイクロホン２４ｅｘで収音されて制御装置部１００から送られてくる訪問者の音声は、ドアホン装置通信インターフェース２０６を通じて受け取って、スピーカ３５から放音させるようにすると共に、監視制御装置３のマイクロホン３４で収音した在宅者の音声は、ドアホン装置通信インターフェース２０６を通じて制御装置部１００に送出するようにして、訪問者と在宅者の間で通話を行なうことが可能なようにする（ステップＳ４５５）。
【０４２３】
そして、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ４５６）。このステップＳ４５６において、訪問者と在宅者との間での音声通話が終了したと判別したときには、ドアホン機能を終了させ（ステップＳ４５７）、この処理ルーチンを終了する。
【０４２４】
また、ステップＳ４４４で、セキュリティモードがオンであると判別したときには、この実施形態では、予め設定されている通知先、例えば携帯電話に対して通信インターフェース２０９を通じて発呼が行なわれる（ステップＳ４４５）。
【０４２５】
すなわち、この実施形態においては、セキュリティモードがオンのときには、家族全員が不在あるいは子供のみが在宅しているだけであるので、予め設定されている通知連絡先を呼び出して、例えば外出している通知連絡先の家人が当該訪問してきた業者担当者に応答できるようにしている。通知連絡先の設定は、例えばリモートコマンダ５０を用いたメニューから選択して行なうことができ、設定された通知連絡先の情報は、通知連絡設定メモリ２２２に記憶される。通知連絡先としては、例えば家人の携帯電話の電話番号等が設定される。
【０４２６】
そして、ＣＰＵ２０１は、このステップＳ４５５での発呼に応じて通知連絡先での応答を待ち（ステップＳ４４６）、通知連絡先の応答を確認したときには、通知連絡先と監視制御装置３との間で、通信路を形成する（ステップＳ４４７）。
【０４２７】
そして、ＣＰＵ２０１は、屋外ユニット２Ａのマイクロホン２４ｅｘで収音されて制御装置部１００から送られてくる訪問者の音声は通信インターフェース２０６を通じて受け取って、通信インターフェース２０９を通じて通知連絡先に送出すると共に、通信インターフェース２０９を通じて受け取った通知連絡先からの音声は、ドアホン装置通信インターフェース２０６を通じて制御装置部１００に送出するようにして、訪問者と通知連絡先（外出先）の家人の間で通話を行なうことが可能なようにする（ステップＳ４４８）。
【０４２８】
そして、ＣＰＵ１０１は、訪問者と通知連絡先（外出先）の家人との間での音声通話が終了したかどうかを前記通話における無音状態（訪問者および通知連絡先（外出先）の家人の両方の音声無しの状態）が予め定めた所定時間継続したかどうかにより判別する（ステップＳ４４９）。このステップＳ４５６において、訪問者と通知連絡先（外出先）の家人との間での音声通話が終了したと判別したときには、ドアホン機能を終了させ（ステップＳ４５０）、この処理ルーチンを終了する。
【０４２９】
以上のようにして、この実施形態のドアホン装置によれば、予め登録された業者の担当者が訪問してきたか、その他の訪問者であるかをドアホンの呼出音の違いにより在宅者に通知することができる。
【０４３０】
そして、この実施形態では、訪問者が登録された業者用のＩＣカードを所有する者である場合には、予め登録されている登録されている業者の担当者の顔写真と、訪問者の画像とを、図４６（Ｂ）に示すように、表示画面において確認することができるので、業者用のＩＣカード４０が盗難にあったりしたり、紛失してしまったときにも、当該ＩＣカードの悪意の使用を排除することができる。
【０４３１】
なお、登録された業者の担当者の訪問の場合にも、図４６（Ａ）に示すように、屋外ユニット２Ａのカメラ２６にて撮影された訪問者の画像をテレビ受像機７の画面に表示するようにしても、もちろんよい。その場合にも、屋外ユニット２Ａからの業者情報中の業者名、あるいは、業者情報メモリ２１３を制御装置部１００からの業者識別情報により検索して読み出した業者情報中の業者名などは、表示画面に表示されるので、在宅者は、どの業者担当者が訪問してきたかを予め認識することができる。
【０４３２】
なお、訪問者の画像７１または７２には、業者名などの文字情報ではなく、業者を特定することが可能な記号や社標等、例えば郵便配達業者であれば郵便のマーク、著名業者の会社のマークなどを表示するようにしてもよい。
【０４３３】
また、上述の実施形態においては、セキュリティモードがオンのときに、登録された業者担当者が訪問してきたときには、予め設定された通知連絡先とドアホン装置との間で通信路を形成し、当該訪問者と通知先との間で、あたかも直接的に通話を行なわせるようにすることができる。したがって、外出している家人は、あたかも在宅しているように応対することができる。また、子供のみが在宅している場合などのセキュリティモードが低レベルの場合であっても、セキュリティモードがオンであるときには、設定された通知先に訪問者の到来が通知されて、当該通知先と訪問者との間で通話が可能となるので、非常に便利である。
【０４３４】
また、この実施形態によれば、非接触の電子鍵装置を用いて、玄関ドアの施錠、開錠を行なうことができるので、鍵穴がなく、いわゆるピッキング対策の防犯効果がある。
【０４３５】
また、ドアホン装置における玄関ドアのドアロック制御モードを、オートロックモードと、逐次ロックモードとで使い分けることができるので、使用者が、自分の使い勝ってに合わせて、いずれのモードにするかを選択することができて、非常に便利である。
【０４３６】
また、内側電子鍵リード／ライト部２１ｉｎを設けて、この内側電子鍵リード／ライト部２１ｉｎによっても、ドアのロック状態を電子鍵装置により制御することができるので、窓などから侵入した不審者が玄関ドアから退出するのを妨げることができる。
【０４３７】
また、内側リード／ライト部２１ｉｎと、外側リード／ライト部２１ｅｘとを設けることにより、これらと電子鍵装置との通信により、家族の入退出の管理をすることが容易である。
【０４３８】
そのため、ドアホン装置と、監視制御装置３とを組み合わせることにより、効率的なセキュリティ管理をすることができるようになる。そして、セキュリティモードをドアロック時に設定できるようにしているので、従来は、家の中で設定して、所定時間後に、家の外に出なければならないなどのあわただしさを解消することができる。
【０４３９】
また、窓の閉め忘れがあったときには、ドアの開閉時に確認されるので、窓の閉め忘れを防止することができる。
【０４４０】
また、家人の年齢、性別などにより、セキュリティモードのレベルを可変することができるようにしたので、在宅者が弱者である場合にも効果的なセキュリティレベルを設定することができる。また、ドアロックの開錠、施錠に連携して、在宅状況の変化を把握することにより、セキュリティレベルの変更をすることができるというメリットもある。
【０４４１】
［ドアホン装置の他の実施形態］
上述の実施形態では、登録された業者担当者と、その他の訪問者とで、呼出音を異ならせるようにしたが、この実施形態においては、業者情報には、業種情報が含まれているので、業者用のＩＣカードが屋外ユニット２Ａのリード／ライト部２１ｅｘにかざされて、登録された業者担当者の訪問であると判別される場合において、監視制御装置３では、その訪問してきた業者担当者の業種情報に応じて呼出音を異ならせるようにすることもできる。このようにした場合には、在宅者は、呼出音を聴取するだけで、いずれの業種の業者の訪問であるかを認識することができるようになる。
【０４４２】
その場合において、業種情報は、ＩＣカード４０から制御装置部１００を通じて取得したものを用いてもよいし、制御装置部１００からは業者識別情報を取得して、その取得した業者識別情報に基づき業者情報メモリ２１３から読み出した業種情報を用いてもよい。
【０４４３】
また、ドアホンの呼出音は、登録された業者毎に、さらに、この実施形態では、業者情報は担当者毎の情報であるので、呼出音は、業者担当者毎に異ならせるようにすることもできる。例えば、携帯電話の着信音と同様に、インターネットから呼出音をダウンロードして、呼出音を割り当てるようにすることも可能である。そして、ドアホンの呼出音は、登録業者とそれ以外の訪問者の場合のほか、業者毎、担当者毎、業種毎に使用者が設定して異ならせることもできる。
【０４４４】
また、ドアホンの呼出音は、登録業者の場合にのみ鳴らし、その他の訪問者の場合には鳴らさないようにすることもできる。これは、例えば、在宅中の家人が、できるだけ訪問者により邪魔されたくないような状況がある場合において、登録された業者など、特に必要な訪問者にのみ応対できるようにする場合に便利である。
【０４４５】
また、予め、訪問が予定されている特定の登録業者のみの訪問だけを許可するようにしたい場合には、当該業者を予め設定しておき、その登録業者の訪問時にのみドアホンの呼出音を送出するようにすることができれば便利である。
【０４４６】
また、上述の実施形態の場合には、セキュリティモードがオンのときには、すべての登録業者の訪問時に、通知先に通知を行なうようにしたが、登録業者の内の、例えば訪問が予定されている登録業者担当者のみの訪問について、通知先への通知を行なうようにすることができれば便利である。
【０４４７】
また、セキュリティモードのオン・オフに関係なく、特定の業者の訪問に対して、外部にいる家人が応答することができれば便利である。例えば、急ぎの用事ができて、外出しなければならない特定の家人宛ての訪問者が予定されているときには、当該訪問者が訪問してきたときに、当該家人に連絡がゆき、当該家人が応答することができれば非常に便利である。
【０４４８】
以下に説明する実施形態は、予め、監視制御装置３において、使用者が設定を行なうことにより、ドアホン呼出音の送出制御や、通知先に通知する業者の選定制御などができるように考慮した場合である。
【０４４９】
図４７および図４８は、この実施形態の場合における監視制御装置３への各種設定入力のための処理のフローチャートである。
【０４５０】
先ず、監視制御装置３のＣＰＵ２０１は、リモコン受信部３８の受信信号を監視して、リモートコマンダ５０でボタン操作されたか否か判別する（ステップＳ４６１）。このステップＳ４６１で、ボタン操作されないと判別されたときには、その他の処理を行なう（ステップＳ４６２）。
【０４５１】
ステップＳ４６１で、リモートコマンダ５０でボタン操作がされたと判別したときには、ＣＰＵ２０１は、リモートコマンダ５０で操作されたボタンは、メニューボタン５５であるか否か判別する（ステップＳ４６３）。メニューボタン５５ではないと判別したときには、ＣＰＵ２０１は、操作されたボタンに対応する処理を実行する（ステップＳ４６４）。
【０４５２】
また、ステップＳ４６３で、操作されたボタンがメニューボタン５５であると判別したときには、ＣＰＵ２０１は、テレビ受像機７に電源が投入されていないときには、テレビ受像機７の電源をオンにして（ステップＳ４６５）、メニューの一覧をテレビ受像機７の画面に、前述の伝言記録再生の場合と同様にして表示するようにする（ステップＳ４６６）。
【０４５３】
このメニューの一覧表示に対しては、操作者は、行ないたい設定メニュー項目の選択をリモートコマンダ５０のカーソルキーを用いて行なう。ＣＰＵ２０１は、リモコン受信部３８の受信信号を監視してメニュー項目の選択操作がなされたか否か判別し（ステップＳ４６７）、メニュー項目の選択操作がなされたと判別したときには、例えば反転表示して示す選択中項目を、選択操作に応じて変更する（ステップＳ４６８）。そして、設定項目の決定操作がなされたか否か判別する（ステップＳ４６９）。
【０４５４】
また、ステップＳ４６７で、メニュー項目の選択操作がなされないと判別したときには、ＣＰＵ２０１は、即座にステップＳ４６９に進んで設定項目の決定操作がなされたか否か判別する。そして、ステップＳ４６９で、設定項目の決定操作がなされないと判別したときには、ステップＳ４６７に戻る。
【０４５５】
また、ステップＳ４６９で、設定項目の決定操作がなされたと判別したときには、ＣＰＵ２０１は、選択された設定項目は呼出音の制御設定であるか否か判別し（図４８のステップＳ４７１）、そうではなかったときには選択された設定項目は、通知に関するの設定であるか否か判別する（ステップＳ４７６）。そして、ステップＳ４７６で、通知に関する設定でもないと判別したときには、その他の設定項目についての処理ルーチンを実行する（ステップＳ４７７）。
【０４５６】
ステップＳ４７１において、選択された項目は呼出音の制御設定であると判別したときには、ＣＰＵ２０１は、そのための設定用画面をテレビ受像機７の画面に表示する（ステップＳ４７２）。このステップＳ４７２における設定用画面においては、次のような設定が可能である。
【０４５７】
（１）登録業者以外の訪問者のときには、呼出音は停止するかどうか。この場合の設定は、「する（ＹＥＳ）」または「しない（ＮＯ）」である。
【０４５８】
（２）呼出音を鳴らす登録業者を設定するかどうか。この場合の設定は、「する（ＹＥＳ）」または「しない（ＮＯ）」である。そして、「する（ＹＥＳ）」を選択したときには、業者情報メモリ２１３から読み出された業者のリストが表示され、そのリストの中から、ユーザは、呼出音を鳴らす業者を設定する。この場合には、設定された業者担当者が、そのＩＣカードを屋内ユニット２Ａの外側リード／ライト部２１ｅｘにかざしたときにのみ、ドアホンの呼出音が鳴り、その他の訪問者のときには、ドアホンの呼出音は鳴らない。
【０４５９】
（３）呼出音を鳴らさない登録業者を設定するかどうか。この場合の設定は、「する（ＹＥＳ）」または「しない（ＮＯ）」である。そして、「する（ＹＥＳ）」を選択したときには、業者情報メモリ２１３から読み出された業者のリストが表示され、そのリストの中から、ユーザは、呼出音を鳴らさない業者を設定する。この場合には、設定された業者担当者が、そのＩＣカードを屋内ユニット２Ａの外側リード／ライト部２１ｅｘにかざしたときにのみ、ドアホンの呼出音が停止されて鳴らず、その他の訪問者のときには、ドアホンの呼出音が鳴る。
【０４６０】
ＣＰＵ２０１は、このステップＳ４７２での設定が終了したと判別すると（ステップＳ４７３）、設定された事項を、図１２の通知連絡設定メモリ２２２に記憶する（ステップＳ４７４）。そして、テレビ受像機７の電源をオフとして（ステップＳ４７５）、この設定の処理ルーチンを終了する。
【０４６１】
また、ステップＳ４７６で、選択された項目は外部通知であると判別したときには、ＣＰＵ２０１は、訪問者が登録業者であったときに特に外部通知する登録業者の設定を行なうのか、あるいは、セキュリティオン時に外部通知しない登録業者の設定を行なうのか、のいずれの設定を行なうかの問い合わせのメッセージをテレビ受像機７の画面に表示する（ステップＳ４７８）。
【０４６２】
そして、次に、ＣＰＵ２０１は、訪問者が登録業者であったときに特に外部通知する登録業者の設定を行なう選択入力があったか否か判別し（ステップＳ４７９）、当該選択入力があったと判別したときには、ＣＰＵ２０１は、その設定用画面をテレビ受像機７の画面に表示する（ステップＳ４８０）。この設定用画面においては、次の設定が可能となる。
【０４６３】
（４）外部通知を設定した登録業者への通知は、セキュリティオン・オフに関係なくか、あるいはセキュリティオンのときのみか。セキュリティオン・オフに関係なく通知する場合には、「ＹＥＳ」が選択され、セキュリティオン時のみの場合には、「ＮＯ」が選択される。
【０４６４】
（５）ユーザが外部通知する登録業者の設定入力をする。すなわち、業者情報メモリ２１３から登録業者のリストが読み出されて、テレビ受像機７の画面に表示され、そのリストの中から、外部通知する登録業者がユーザによって設定される。
【０４６５】
（６）ユーザが通知先の設定入力をする。すなわち、通知先の携帯電話番号等の入力欄がテレビ受像機７の画面に表示され、ユーザによって、通知先の電話番号が、当該入力欄に記入される。
【０４６６】
ここで、（４）で「ＹＥＳ」が選択された場合には、（５）で設定された登録業者担当者が訪問してきたと判別したときには、ＣＰＵ２０１は、セキュリティオン・オフに関係なく、（６）で設定された通知先に発呼を行ない、当該訪問をその槌先に連絡する。また、（４）で「ＮＯ」が選択された場合には、（５）で設定された登録業者担当者が訪問してきたと判別したときには、ＣＰＵ２０１は、セキュリティオン時にのみ、（６）で設定された通知先に発呼を行ない、当該訪問をその通知連絡先に連絡する。
【０４６７】
ＣＰＵ２０１は、このステップＳ４８０での設定が終了したと判別すると（ステップＳ４７３）、設定された事項を、図１２の通知連絡設定メモリ２２２に記憶する（ステップＳ４７４）。そして、テレビ受像機７の電源をオフとして（ステップＳ４７５）、この設定の処理ルーチンを終了する。
【０４６８】
また、ステップＳ４７９で、外部通知する業者の設定の選択入力ではなく、セキュリティオン時に外部通知しない業者の設定の選択入力であると判別したときには、ＣＰＵ２０１は、その設定用画面をテレビ受像機７の画面に表示する（ステップＳ４８１）。この設定用画面においては、次の設定が可能となる。
【０４６９】
（７）ユーザが、セキュリティオン時に外部通知しない登録業者の設定入力をする。すなわち、業者情報メモリ２１３から登録業者のリストが読み出されて、テレビ受像機７の画面に表示され、そのリストの中から、外部通知しない登録業者がユーザによって設定される。
【０４７０】
（８）ユーザが通知先の設定入力をする。すなわち、通知先の携帯電話番号等の入力欄がテレビ受像機７の画面に表示され、ユーザによって、通知先の電話番号が、当該入力欄に記入される。
【０４７１】
ＣＰＵ２０１は、このステップＳ４８１での設定が終了したと判別すると（ステップＳ４７３）、設定された事項を、図１２の通知連絡設定メモリ２２２に記憶する（ステップＳ４７４）。そして、テレビ受像機７の電源をオフとして（ステップＳ４７５）、この設定の処理ルーチンを終了する。
【０４７２】
次に、この実施形態の場合における監視制御装置３でのドアホンドアホン関連制御について説明する。この実施形態の場合においても、図４４に示した動作は、全く前述と同様に行なわれる。この実施形態の場合には、図４５に示した動作に代わって、図４９および図５０に示す動作が行なわれる。
【０４７３】
すなわち、この実施形態においては、図４４のステップＳ４２３で、制御装置部１００から受信した情報は、訪問者情報であると判別したときには、ＣＰＵ２０１は、通知連絡設定メモリ２２２を検索して、呼出音の制御設定があるかどうか判別する（図４９のステップＳ４９１）。呼出音の制御設定がされていると判別したときには、ＣＰＵ２０１は、登録業者以外は、ドアホンの呼出音は鳴らさない設定がなされているか否か判別する（ステップＳ４９２）。
【０４７４】
そして、ステップＳ４９２で登録業者以外はドアホンの呼出音は鳴らさない設定がなされていると判別したときには、ＣＰＵ２０１は、受信した訪問者情報は、登録された業者の担当者を示すものであるか否か判別する（ステップＳ４９３）。登録業者の担当者ではないと判別したときには、登録業者以外呼出音を鳴らさない設定がなされていることから、呼出音は停止し（ステップＳ４９４）、この処理ルーチンを終了する。
【０４７５】
ステップＳ４９３で、訪問者情報は登録された業者の担当者を示すものであると判別したときには、ＣＰＵ２０１は、スピーカ３５により登録業者担当者の訪問を知らせる呼出音を放音する（ステップＳ４９５）。
【０４７６】
そして、業者情報メモリ２１３の対応する業者情報について、訪問履歴の書き込みを行なう（ステップＳ４９６）。訪問履歴は、訪問履歴メモリを別途用意して記憶するようにしてもよい。
【０４７７】
次に、ＣＰＵ２０１は、通知連絡設定メモリ２２２を検索して、セキュリティモードのオン・オフに関係なく外部通知する設定があるが否か判別する（ステップＳ４９７）。設定があると判別したときにはＣＰＵ２０１は、当該訪問者は外部通知すべき該当者であるか否か判別する（ステップＳ４９８）。
【０４７８】
そして、ステップＳ４９７で、セキュリティモードのオン・オフに関係なく外部通知する設定がないと判別したとき、また、ステップＳ４９８で、当該訪問者は外部通知すべき該当者でないと判別したときには、ＣＰＵ２０１は、セキュリティモードがオンになっているかどうか判別する（図５０のステップＳ５１１）。
【０４７９】
セキュリティモードがオンになっていないと判別したときには、ＣＰＵ２０１は、制御装置部１００から送られてくる訪問者のカメラ画像情報を受信して、その訪問者の画像７２を図４６（Ｂ）に示すように、テレビ受像機７の画面の、例えば右半分の領域に表示すると共に、業者情報メモリ２１３に格納されている当該訪問業者の担当者の顔写真画像を読み出して、図４６（Ｂ）に示すように、テレビ受像機７の画面の、例えば左半分の領域に当該顔写真画像７３を表示する（ステップＳ５２０）。
【０４８０】
在宅者は、この図４６（Ｂ）の画面を見ることにより、ＩＣカード４０をかざした訪問者が、確かに登録業者の担当者であることを確認することができる。したがって、業者用のＩＣカード４０が盗難にあったりしたり、紛失してしまったときにも、当該ＩＣカードの悪意の使用を排除することができる。
【０４８１】
その後、ＣＰＵ２０１は、屋外ユニット２Ａのマイクロホン２４ｅｘで収音されて制御装置部１００から送られてくる訪問者の音声は、ドアホン装置通信インターフェース２０６を通じて受け取って、スピーカ３５から放音させるようにすると共に、監視制御装置３のマイクロホン３４で収音した在宅者の音声は、ドアホン装置通信インターフェース２０６を通じて制御装置部１００に送出するようにして、訪問者と在宅者の間で通話を行なうことが可能なようにする（ステップＳ５２１）。
【０４８２】
そして、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ５２２）。このステップＳ５２２において、訪問者と在宅者との間での音声通話が終了したと判別したときには、ドアホン機能を終了させ（ステップＳ５２３）、この処理ルーチンを終了する。
【０４８３】
また、ステップＳ５１１で、セキュリティモードがオンであると判別したときには、この実施形態では、ＣＰＵ２０１は、通知連絡設定メモリ２２２を検索して、外部通知の制御設定があるか否か判別する（ステップＳ５１２）。外部通知の制御設定がないと判別したときには、ステップＳ５２０に進む。
【０４８４】
また、ステップＳ５１２で、外部通知の制御設定があると判別したときには、訪問者は設定された外部通知対象者であるか否か判別する（ステップＳ５１３）。設定された外部通知対象者ではないと判別したときにも、ステップＳ５２０に進む。
【０４８５】
そして、前述したように、ステップＳ５２０においては、ＣＰＵ２０１は、制御装置部１００から送られてくる訪問者のカメラ画像情報を受信して、その訪問者の画像７２を図４６（Ｂ）に示すように、テレビ受像機７の画面の、例えば右半分の領域に表示すると共に、業者情報メモリ２１３に格納されている当該訪問業者の担当者の顔写真画像を読み出して、図４６（Ｂ）に示すように、テレビ受像機７の画面の、例えば左半分の領域に当該顔写真画像７３を表示する。
【０４８６】
その後、ＣＰＵ２０１は、屋外ユニット２Ａのマイクロホン２４ｅｘで収音されて制御装置部１００から送られてくる訪問者の音声は、ドアホン装置通信インターフェース２０６を通じて受け取って、スピーカ３５から放音させるようにすると共に、監視制御装置３のマイクロホン３４で収音した在宅者の音声は、ドアホン装置通信インターフェース２０６を通じて制御装置部１００に送出するようにして、訪問者と在宅者の間で通話を行なうことが可能なようにする（ステップＳ５２１）。
【０４８７】
そして、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ５２２）。このステップＳ５２２において、訪問者と在宅者との間での音声通話が終了したと判別したときには、ドアホン機能を終了させ（ステップＳ５２３）、この処理ルーチンを終了する。
【０４８８】
また、ステップＳ５１３で訪問者は、外部通知対象者であると判別したときには、予め設定されている通知先、例えば携帯電話に対して通信インターフェース２０９を通じて発呼が行なわれる（ステップＳ５１４）。
【０４８９】
そして、ＣＰＵ２０１は、このステップＳ５１４での発呼に応じて通知先での応答を待ち（ステップＳ５１５）、通知先の応答を確認したときには、通知先と監視制御装置３との間で、通信路を形成する（ステップＳ５１６）。
【０４９０】
そして、ＣＰＵ２０１は、屋外ユニット２Ａのマイクロホン２４ｅｘで収音されて制御装置部１００から送られてくる訪問者の音声は通信インターフェース２０６を通じて受け取って、通信インターフェース２０９を通じて通知先に送出すると共に、通信インターフェース２０９を通じて受け取った通知先からの音声は、ドアホン装置通信インターフェース２０６を通じて制御装置部１００に送出するようにして、訪問者と通知先（外出先）の家人の間で通話を行なうことが可能なようにする（ステップＳ５１７）。
【０４９１】
そして、ＣＰＵ１０１は、訪問者と通知先の家人との間での音声通話が終了したかどうかを前記通話における無音状態（訪問者および通知先の家人の両方の音声無しの状態）が予め定めた所定時間継続したかどうかにより判別する（ステップＳ５１８）。このステップＳ５１８において、訪問者と通知先の家人との間での音声通話が終了したと判別したときには、ドアホン機能を終了させ（ステップＳ５１９）、この処理ルーチンを終了する。
【０４９２】
また、ステップＳ４９８で、訪問してきた登録業者担当者が外部通知対象であると判別したときには、図５０のステップＳ５１４に進み、予め設定されている通知先、例えば携帯電話に対して通信インターフェース２０９を通じて発呼が行なわれる。
【０４９３】
そして、ＣＰＵ２０１は、このステップＳ５１４での発呼に応じて通知先での応答を待ち（ステップＳ５１５）、通知先の応答を確認したときには、通知先と監視制御装置３との間で、通信路を形成する（ステップＳ５１６）。
【０４９４】
そして、ＣＰＵ２０１は、屋外ユニット２Ａのマイクロホン２４ｅｘで収音されて制御装置部１００から送られてくる訪問者の音声は通信インターフェース２０６を通じて受け取って、通信インターフェース２０９を通じて通知先に送出すると共に、通信インターフェース２０９を通じて受け取った通知先からの音声は、ドアホン装置通信インターフェース２０６を通じて制御装置部１００に送出するようにして、訪問者と通知先の家人の間で通話を行なうことが可能なようにする（ステップＳ５１７）。
【０４９５】
そして、ＣＰＵ１０１は、訪問者と通知先の家人との間での音声通話が終了したかどうかを前記通話における無音状態（訪問者および通知先の家人の両方の音声無しの状態）が予め定めた所定時間継続したかどうかにより判別する（ステップＳ５１８）。このステップＳ５１８において、訪問者と通知先の家人との間での音声通話が終了したと判別したときには、ドアホン機能を終了させ（ステップＳ５１９）、この処理ルーチンを終了する。
【０４９６】
さらに、また、ステップＳ４９１で呼出音の制御設定がされていないと判別したとき、また、ステップＳ４９２で登録業者以外はドアホンの呼出音は鳴らさない設定がなされていないと判別したときには、ＣＰＵ２０１は、受信した訪問者情報は、登録された業者の担当者を示すものであるか否か判別する（ステップＳ４９９）。
【０４９７】
このステップＳ４９９で、訪問者情報は登録された業者の担当者以外の訪問者を示すものであることを判別したときには、ＣＰＵ２０１は、スピーカ３５により登録業者担当者以外の訪問者を知らせる呼出音を放音する（ステップＳ５００）。そして、業者情報メモリ２１３の対応する業者情報について、訪問履歴の書き込みを行なう（ステップＳ５０１）。訪問履歴は、訪問履歴メモリを別途用意して記憶するようにしてもよい。
【０４９８】
次に、ＣＰＵ２０１は、制御装置部１００から送られてくる訪問者のカメラ画像情報を受信して、それを図４６（Ａ）に示すように、訪問者の画像７１をテレビ受像機７の画面に表示する（ステップＳ５０２）。このとき、テレビ受像機７の画面には、訪問日および時刻が併せて表示される。
【０４９９】
そして、ＣＰＵ２０１は、屋外ユニット２Ａのマイクロホン２４ｅｘで収音されて制御装置部１００から送られてくる訪問者の音声は、ドアホン装置通信インターフェース２０６を通じて受け取って、スピーカ３５から放音させるようにすると共に、監視制御装置３のマイクロホン３４で収音した在宅者の音声は、ドアホン装置通信インターフェース２０６を通じて制御装置部１００に送出するようにして、訪問者と在宅者の間で通話を行なうことが可能なようにする（図５０のステップＳ５２１）。
【０５００】
このとき、在宅者は、テレビ受像機７に表示された画像を見て、訪問者に答えるかどうか決めることができる。そして、訪問者に答えた場合には、監視制御装置３と制御装置部１００との間で音声信号の授受がなされ、音声信号の授受がなくなったときには、ドアホン機能が終了される。すなわち、ＣＰＵ１０１は、訪問者と在宅者との間での音声通話が終了したかどうかを前記通話における無音状態（訪問者および在宅者の両方の音声無しの状態）が予め定めた所定時間継続したかどうかにより判別する（ステップＳ５２２）。このステップＳ５２２において、訪問者と在宅者との間での音声通話が終了したと判別したときには、ドアホン機能を終了させ（ステップＳ５２３）、この処理ルーチンを終了する。
【０５０１】
以上のようにして、この実施形態によれば、ドアホンの呼出音を鳴らす業者や、鳴らさない業者の設定をユーザが設定できるようにしたことにより、応答の必要な業者のみに応答したり、応答したくない業者については、煩わしい応答を省略したりすることができるようになり、便利である。
【０５０２】
また、この実施形態では、外部通知する業者担当者の設定ができるので、セキュリティモードがオンではない場合においても、家族のうちの例えば母親が特に応対したい場合に、その母親が外出する場合でも、当該業者担当者に対して外出先から応答できるようになり便利である。
【０５０３】
さらに、セキュリティモードがオンのときであっても、外部通知が必要な業者のみ、あるいは外部通知が不要な業者を設定することができるので、非常に便利になる。
【０５０４】
また、在宅していても、監視制御装置３やテレビ受像機７が設置されていない部屋にいる在宅者が所有する携帯電話に、業者の訪問を通知連絡するようにすることもできるので、非常に便利である。
【０５０５】
なお、上述の説明では、通知連絡先に訪問を通知する機能について「外部通知」と記述したが、通知する家人は外出している必要はなく、例えば在宅している場合にも、当該家人に直接的に訪問者の訪問が知らされるので、上述のように外部通知するようにすることは便利である。
【０５０６】
［電子鍵装置および業者情報通信装置の他の構成例］
以下に説明する電子鍵装置および業者情報通信装置の例は、人の生体情報を用いることにより、所有者本人しか使用できないように構成した場合の例である。
前述したように、この実施形態においては、電子鍵装置や業者情報通信装置としては、ＩＣカードの他、携帯電話端末やＰＤＡ端末なども用いることができる。
しかし、電子鍵装置や業者情報通信装置は、生体情報の取得部と、制御用ＩＣチップと、通信手段とを備える点では共通している。電子鍵装置がＩＣカードである場合の構成例を次に示す。
【０５０７】
＜第１の例＞
この第１の例の電子鍵装置および業者情報通信装置は、生体情報として、指紋を用いるＩＣカードの場合の例である。図５１（Ａ）は、この例のＩＣカード４０Ｆの表面を示し、この表面には、所有者の氏名と、ＩＤ番号が表示されていると共に、指紋読取部４３の指紋読取窓４３Ｗが形成されている。
【０５０８】
また、図５１（Ｂ）は、ＩＣカード４０Ｆの内部構成例を示しており、ＩＣカード４０Ｆ内には、指紋読取部４３と、リード／ライト部と通信を行なうための電磁誘導アンテナ４４と、制御用ＩＣ４５と、情報送受信回路部４６が内蔵されている。
【０５０９】
指紋読取部４３は、指紋読取窓４３Ｗに置かれた指の指紋を読み取り、その読み取った指紋の情報を制御用ＩＣ４５に送る。制御用ＩＣ４５は、予め登録されて記憶しているＩＣカード４０Ｆの所有者の指紋情報と、読み取った指紋情報とを比較し、一致しているかどうか判別する。
【０５１０】
そして、一致していると判別すると、予め制御用ＩＣ４５内のメモリに記憶されている電子鍵情報を読み出して、情報送受信回路部４６および電磁誘導アンテナ４４を通じて、外部に送出する。記憶している指紋情報と、読み取った指紋情報とを比較し、一致していないと判別したときには、電子鍵情報の外部への送出は禁止する。
【０５１１】
図５２は、この第１の例の場合のＩＣカード４０Ｆの内部ブロック構成を示すものである。ＣＰＵ４０１に対してシステムバス４０２を介してプログラムやデータが記録されているＲＯＭ４０３と、ワークエリア用ＲＡＭ４０４と、電子鍵情報や業者識別情報となる識別情報が記憶されている識別情報等メモリ４０５と、通信履歴メモリ４０６と、送受信インターフェース４０７と、指紋登録メモリ４１０と、指紋読取部インターフェース４１１と、指紋照合部４１２とが接続されている。
【０５１２】
識別情報等メモリ４０５には、前述したＩＣ製造番号からなる識別情報が記憶されている。なお、この識別情報等メモリ４０５には、前述の例と同様に、個人プロファイル情報や業者情報を記憶することもできる。
【０５１３】
通信履歴メモリ４０６には、ＩＣカード４０Ｆの所有者が行ったリード／ライト部との通信の時刻や履歴（内側と外側のどちらのリード／ライト部と通信したか情報を含む）や、ＩＣカード４０Ｆの所有者の外出、帰宅の履歴などを書き込むことが可能とされている。送受信インターフェース４０７には、電磁誘導アンテナ４４に接続されている情報送受信回路部４６が接続されている。
【０５１４】
指紋登録メモリ４１０には、当該ＩＣカード４０Ｆの所有者の指紋の情報が予め登録されて記憶されている。家族用のＩＣカードの場合には、家族構成員それぞれの者の指紋であり、業者用ＩＣカードの場合には、業者の担当者の指紋である。これらの指紋は、管理サーバ装置１０に電子鍵情報を登録する際、あるいは業者登録する際に、管理会社に提出される。管理会社は、提出された指紋の情報を指紋登録メモリ４１０に格納して、ＩＣカード４０Ｆを発行する。
【０５１５】
指紋読取部インターフェース４１１は、指紋読取部４３で読み取った指紋の情報を取り込むためのものである。指紋照合部４１２は、指紋読取部インターフェース４１１を通じて取得した指紋の情報と、指紋登録メモリ４１０から読み出した前記所有者の指紋の情報とを比較し、一致しているか否かを判定して、その判定結果をシステムバス４０２に送出する。指紋照合部４１２は、ハードウエアの構成ではなく、ＣＰＵ４０１によるソフトウエアによる構成とすることもできる。
【０５１６】
ＣＰＵ４０１は、前述したように、指紋照合部４１２での判定結果に基づき、指紋一致、つまり、指紋照合がＯＫであったときには、識別情報等メモリ４０５から読み出した識別情報からなる電子鍵情報や業者識別情報（あるいは業者情報）を、送受信インターフェース４０７、情報送受信回路４６および電磁誘導アンテナ４４を通じて送出し、指紋照合部４１２での判定結果が指紋不一致、つまり、指紋照合がＮＧであったときには、電子鍵情報や業者識別情報（あるいは業者情報）の送出を禁止する。
【０５１７】
また、ＣＰＵ４０１は、電磁誘導アンテナ４４にて受信した情報を、情報送受信回路部４６および送受信インターフェース４０７を通じて取り込み、通信履歴メモリ４０６に書き込んだりする処理も行なう。
【０５１８】
図５３は、このときのＣＰＵ４０１での処理動作を説明するためのフローチャートである。
【０５１９】
ＣＰＵ４０１は、指紋読取部インターフェース４１１を通じた指紋読取部４３からの指紋情報の受信を待ち（ステップＳ５３１）、指紋情報を受信したと判別したときには、指紋登録メモリ４１０に登録されている所有者の指紋情報を読み出し、指紋照合部４１２において指紋照合を行なわせる（ステップＳ５３２）。
【０５２０】
そして、ＣＰＵ４０１は、指紋照合部４１２からの指紋照合の判定結果が指紋一致であるか否か判別し（ステップＳ５３３）、指紋不一致で照合がＮＧであったときには、処理をそのまま終了して、電子鍵情報の送出は行なわない。
【０５２１】
また、ＣＰＵ４０１は、指紋一致で照合がＯＫであったときには、識別情報等メモリ４０５から識別情等報を読み出して、情報送受信回路部４６および電磁誘導アンテナ４４を通じて送出する（ステップＳ５３４）。
【０５２２】
そして、ＣＰＵ４０１は、相手方のリード／ライト部と通信を行なったか否か判別し（ステップＳ５３５）、電磁誘導アンテナ４４、情報送受信回路部４６および送受信インターフェース４０７を通じて相手方から所定の情報を受け取ったときには、相手方との通信を行なったとして、通信履歴を通信履歴メモリ４０６に書き込み（ステップＳ５３６）、その後、この処理ルーチンを終了する。
【０５２３】
ステップＳ５３５で、相手方のリード／ライト部からの情報を受信せず、通信を行っていないと判別したときには、ＣＰＵ４０１は、識別情報等を送出してから予め定めた所定時間、経過したか否か判別し（ステップＳ５３７）、所定時間経過していないと判別したときには、ステップＳ５３４に戻り、識別情報等を再度送って相手方からの情報を待つ。そして、ステップＳ５３７で、所定時間経過したと判別したときには、この処理ルーチンをそのまま終了する。
【０５２４】
以上のように、この例の電子鍵装置および業者情報通信装置の例としてのＩＣカード４０Ｆによれば、予め登録してある所有者の指紋と、使用者の指紋とを照合して、照合がＯＫである場合にのみ電子鍵情報や業者識別情報を含む業者情報等の送出を行なうので、予め登録された使用者しか、当該ＩＣカード４０Ｆを使用できず、もしも、当該ＩＣカード４０Ｆを紛失したとしても、他の使用者の使用を阻止することができる。
【０５２５】
＜第２の例＞
この第２の例の電子鍵装置および業者情報通信装置は、生体情報として、虹彩を用いるＩＣカード４０Ｉの場合の例である。図５４（Ａ）は、この例のＩＣカード４０Ｉの表面を示し、この表面には、所有者の氏名と、ＩＤ番号が表示されていると共に、使用者の虹彩を読み取るための手段として、この例では、ＣＣＤ（Ｃｈａｒｇｅ  Ｃｏｕｐｌｅｄ  Ｄｅｖｉｃｅ）カメラ４７が設けられている。
【０５２６】
また、図５４（Ｂ）は、ＩＣカード４０Ｉの内部構成例を示しており、ＩＣカード４０Ｉ内には、第１の例のＩＣカード４０Ｆと同様に、電磁誘導アンテナ４４と、制御用ＩＣ４５と、情報送受信回路部４６とが内蔵されていると共に、ＣＣＤカメラ４７からの撮像信号を処理して制御用ＩＣ４５に供給するための撮像信号処理回路部４８が内蔵されている。
【０５２７】
使用者は、ＣＣＤカメラ４７により自分の目（虹彩）を撮影させる。ＣＣＤカメラ４７は、撮影した使用者の虹彩情報を撮像信号処理回路部４８を通じて取り込み、その取り込んだ虹彩の情報を制御用ＩＣ４５に送る。制御用ＩＣ４５は、予め登録されて記憶されているＩＣカード４０Ｉの所有者の虹彩情報と、取り込んだ虹彩情報とを比較し、一致しているかどうか判別する。
【０５２８】
そして、一致していると判別すると、予め制御用ＩＣ４５内のメモリに記憶されている識別情報等を読み出して、情報送受信回路部４６および電磁誘導アンテナ４４を通じて、外部に送出する。記憶している虹彩情報と、取り込んだ虹彩情報とを比較し、一致していないと判別したときには、識別情報等の外部への送出は禁止する。
【０５２９】
図５５は、第２の例の場合のＩＣカード４０Ｉの内部ブロック構成を示すものである。この第２の例においては、図５の第１の例の指紋登録メモリ４１０と、指紋読取部インターフェース４１１と、指紋照合部４１２とに代わって、虹彩情報登録メモリ４２０と、撮像信号インターフェース４２１と、虹彩照合部４２２とが設けられる。撮像信号インターフェース４２１は、ＣＣＤカメラ４７に接続されている。その他の構成は、第１の例の図５２と同様である。
【０５３０】
虹彩情報登録メモリ４２０には、当該ＩＣカード４０Ｉの所有者の虹彩の情報が予め登録されて記憶されている。この虹彩情報の登録は、前述した指紋情報の登録の場合と同様にして、管理サーバ装置１０を運用する管理会社においてなされ、管理会社が当該ＩＣカード４０Ｉを前述したようにして発行する。
【０５３１】
撮像信号インターフェース４２１は、撮像信号処理回路部４８からの虹彩情報を取り込むためのものである。虹彩照合部４２２は、撮像信号インターフェース４２１を通じて取り込んだ虹彩情報と、虹彩情報登録メモリ４２０から読み出した前記所有者の虹彩情報とを比較し、一致しているか否かを判定して、その判定結果をシステムバス４０２に送出する。虹彩照合部４２２は、ハードウエアの構成ではなく、ＣＰＵ４０１によるソフトウエアによる構成とすることもできる。
【０５３２】
ＣＰＵ４０１は、虹彩照合部４２２での判定結果に基づき、虹彩一致、つまり、虹彩照合がＯＫであったときには、識別情報等メモリ４０５から読み出した識別情報等を、送受信インターフェース４０７、情報送受信回路部４６および電磁誘導アンテナ４４を通じて送出し、虹彩照合部４２２での判定結果が虹彩不一致、つまり、虹彩照合がＮＧであったときには、識別情報等の送出を禁止する。
【０５３３】
図５６は、このときのＣＰＵ４０１での処理動作を説明するためのフローチャートである。
【０５３４】
ＣＰＵ４０１は、撮像信号インターフェース４２１を通じた撮像信号処理回路部４８からの虹彩情報の受信を待ち（ステップＳ５４１）、虹彩情報を受信したと判別したときには、虹彩情報登録メモリ４２０に登録されている所有者の虹彩情報を読み出し、虹彩照合部４２２において虹彩照合を行なわせる（ステップＳ５４２）。
【０５３５】
そして、ＣＰＵ４０１は、虹彩照合部４２２からの虹彩照合の判定結果が虹彩一致であるか否か判別し（ステップＳ５４３）、虹彩不一致で照合がＮＧであったときには、処理をそのまま終了して、識別情報等の送出は行なわない。
【０５３６】
また、ＣＰＵ４０１は、虹彩一致で照合がＯＫであったときには、識別情報等メモリ４０５から識別情報等を読み出して、情報送受信回路部４６および電磁誘導アンテナ４４を通じて送出する（ステップＳ５４４）。
【０５３７】
そして、ＣＰＵ４０１は、相手方のリード／ライト部と通信を行なったか否か判別し（ステップＳ５４５）、電磁誘導アンテナ４４、情報送受信回路部４６および送受信インターフェース４０７を通じて相手方から所定の情報を受け取ったときには、相手方との通信を行なったとして、通信履歴を通信履歴メモリ４０６に書き込み（ステップＳ５４６）、その後、この処理ルーチンを終了する。
【０５３８】
ステップＳ５４５で、相手方のリード／ライト部からの情報を受信せず、通信を行っていないと判別したときには、ＣＰＵ４０１は、識別情報等を送出してから予め定めた所定時間、経過したか否か判別し（ステップＳ５４７）、所定時間経過していないと判別したときには、ステップＳ５４４に戻り、識別情報等を再度送って相手方からの情報を待つ。そして、ステップＳ５４７で、所定時間経過したと判別したときには、この処理ルーチンをそのまま終了する。
【０５３９】
以上のように、この第２の例の電子鍵装置としてのＩＣカード４０Ｉによれば、予め登録してある所有者の虹彩と、使用者の虹彩とを照合して、照合がＯＫである場合にのみ電子鍵情報や業者識別情報を含む業者情報等の送出を行なうので、予め登録された使用者しか、当該ＩＣカード４０Ｉを使用できず、もしも、当該ＩＣカード４０Ｉを紛失したとしても、他の使用者の使用を阻止することができる。
【０５４０】
［生体情報の他の例］
以上の例では、生体情報としては、指紋と、虹彩の場合について説明したが、生体情報としては、これに限られるものではない。例えば手の甲の静脈パターンを生体情報として用いることもできる。この場合には、虹彩情報に代えて、所有者の手の甲の静脈パターンを登録して記憶しておくとともに、ＣＣＤカメラ４７により、手の甲の静脈パターンを撮影して取り込むことにより、第２の例のＩＣカード４０Ｉの構成をそのまま用いることができる。
【０５４１】
なお、以上の例に限らず、個人識別が可能な生体情報であって、所定の手段により取得可能なものであれば、どのような生体情報も、利用することができることは勿論である。
【０５４２】
このＩＣカードの例によれば、予め登録された所有者の生体情報が確認されたときにのみ、識別情報等を送出するように制御することができるので、当該ＩＣカードを紛失したとしても、ＩＣカードの生体情報記憶部に登録された生体情報と一致しない悪意の拾得者の使用を阻止することができるので、セキュリティ上の安全性が非常に高い。
【０５４３】
［その他の実施形態］
なお、上述の図４５の実施形態では、訪問者が登録業者である場合にのみ、セキュリティモードがオンの時に通知連絡者に登録業者の訪問を通知連絡するようにしたが、セキュリティモードがオンのとき、また、家族が不在の時には、すべての訪問者の訪問を通知連絡先に通知させるようにすることもできる。
【０５４４】
また、訪問者が管理サーバ装置１０に登録された業者以外のときであって、セキュリティモードがオンの場合、あるいは、家族が不在の場合には、訪問者のカメラ撮影画像をドアホン装置の制御装置部１００から監視制御装置３に送って、その訪問者の画像情報を画像・音声メモリ２０８に記憶させておき、後で、当該画像を再生することができるようにすることにより、留守中に誰が訪問してきたかを確認することが可能になる。このとき、音声メッセージを合わせて残してもらうことを可能にして、その音声メッセージを併せて画像・音声メモリ２０８に記憶させるようにしてもよい。
【０５４５】
また、以上の実施形態では、登録業者の担当者の顔写真の情報は、監視制御装置の業者情報メモリ２１３に記憶しておき、当該登録業者の担当者が訪問してきたときに読み出して、屋外ユニット２Ａのカメラ２６で撮影した訪問者の画像と比較可能に表示するようにしたが、業者情報通信装置の例としてのＩＣカードに担当者の顔写真情報も記憶しておき、制御装置部１００は、ＩＣカードから当該顔写真情報を受信して、カメラ２６の撮影画像と共に、監視制御装置に転送し、テレビ受像機７の画面に図４６（Ｂ）に示すように、並列的に表示するようにしてもよい。
【０５４６】
また、以上の実施形態では、ドアホン装置とセキュリティシステムの監視制御装置３とを含む構成としたが、ドアホン機能とドアの施錠および開錠機能とを目的とするドアホンシステムとして考えた場合には、セキュリティ用の監視制御装置３は不要であって、監視制御装置３が分担していたドアホン装置の一部機能のみを室内ユニットとして設けるようにしてもよい。その場合には、当該室内ユニットは、電話回線を通じて携帯電話端末にメールや電話をかける機能を備えるものである。
【０５４７】
また、上述の実施形態では、業者情報は担当者単位に登録し、ＩＣカードも担当者単位に発行するようにしたが、業者単位に登録し、ＩＣカードも業者単位で発行するようにしてもよい。
【０５４８】
また、上述の実施形態では、電子鍵情報をＩＣチップの製造番号とし、これと個人情報とを対応させることにより、電子鍵情報を家族のそれぞれを識別するための情報としても用いるようにしたが、電子鍵情報とは別に、予め個人識別情報を定めて電子鍵装置４０や、ドアホン装置の制御装置部１００、監視制御装置３などに登録しておき、電子鍵装置４０と、リード／ライト部との通信の際に電子鍵情報と共に、個人識別情報をやり取りするようにしてもよい。その場合には、電子鍵情報のほかに、各個人ごとに識別情報が設定され、それが電子鍵装置のメモリに記憶されると共に、ドアホン装置の制御装置部１００や監視制御装置３のメモリの個人プロファイル情報に含められて記憶される。
【０５４９】
そのように個人識別情報を電子鍵情報と別個とする場合には、一つのドアホン装置に一つの電子鍵情報として、当該家に住む家族構成員の全員に共通の一つの電子鍵情報を用いるようにして、各人が、その共通鍵情報を格納する電子鍵装置をそれぞれ持つようにすることもできる。
【０５５０】
なお、電子鍵情報や業者情報の初期登録情報は、管理サーバ装置１０からドアホン装置の制御装置部１００は監視制御装置３の家族情報メモリや業者情報メモリに転送して、登録するのではなく、住戸に設置する前に、予め、ドアホン装置に登録して記憶しておくようにしても勿論よい。その場合にも、電子鍵情報の変更や、バックアップ鍵登録、紛失抹消の登録、業者情報追加登録、業者情報の削除などは、上述のように、管理サーバ装置１０から、そのつど、アクセスして、監視制御装置３や制御装置部１００の家族情報メモリや業者情報メモリに転送して、書き換えを行なわすようにするのは、前述と同様である。
【０５５１】
また、ＩＣチップのメモリには、予め一元管理された識別情報が記憶されているように説明したが、後から、一元管理されている識別情報が書き込まれるようにされてもよいことは言うまでもない。
【０５５２】
また、上述の実施形態では、監視制御装置３で玄関ドア１からの入退出を管理するようにしたが、制御装置部１００で管理するようにすることもできる。
【０５５３】
また、上述の実施形態では、電子鍵装置を、外側リード／ライト部２１ｅｘに対して、ドアの施錠後、所定時間以内にかざした場合に、セキュリティモードをオンにするようにしたが、ドアホン装置の制御装置部１００または監視制御装置３で玄関ドア１からの入退出を管理している場合には、ドアホン装置の制御装置部１００または監視制御装置３は、在宅者が無くなったら、自動的にセキュリティレベルＡでセキュリティモードをオンにするようにすることもできる。
【０５５４】
その場合に、ドアホン装置の制御装置部１００で、在宅者無しを検出したときに、監視制御装置３にセキュリティモードオンを要求しても良いし、監視制御装置３が、自装置で、在宅者無しを検出したときに、セキュリティモードオンとするようにしても良い。
【０５５５】
なお、この例では、在宅者が玄関ドア１を開錠し、玄関ドア１を開けたときには、それまでにセキュリティモードがオンになっていても、一旦、セキュリティモードは、オフとされるものとしたが、セキュリティモードがオンになっているときに外出者があった場合には、外出者を電子鍵装置との通信により取得される識別情報により認識して、監視制御装置３が、帰宅者があった場合と全く同様にして、在宅状況の変化に対応して自動的にセキュリティレベルを変更するようにすることもできる。
【０５５６】
なお、以上の実施形態の説明では、鍵情報としての識別情報の認証は、ドアホン装置の制御装置部１００で行なうようにしたが、ドアホン装置の制御装置部１００は、監視制御装置３に、あるいは監視制御装置３を介して管理サーバ装置１０に鍵情報を送り、監視制御装置３あるいは管理サーバ装置１０で、認証作業を行ない、その認証結果を、ドアホン装置の制御装置部１００に返す（管理サーバ装置１０の場合には監視制御装置３を介して返す）ようにしても良い。その場合には、監視制御装置３からドアホン装置の制御装置部１００への鍵情報の転送や抹消指示を送る必要はない。
【０５５７】
また、開錠者、施錠者の識別情報も監視制御装置３ではなく、管理サーバ装置１０に送り、管理サーバ装置１０により、セキュリティ管理をするようにしてもよい。
【０５５８】
また、以上の説明では、外出者か帰宅者かは、ドアホン装置の制御装置部１００で判別するようにしたが、監視制御装置３においても、制御装置部１００でのドアロック制御モードの設定情報を備えているので、制御装置部１００は、ＩＣカード４０が、内側リード／ライト部２１ｉｎまたは外側リード／ライト部２１ｅｘにかざされて通信が両者の間で行なわれ、識別情報についての認証がとれたときには、その識別情報と、内側リード／ライト部２１ｉｎまたは外側リード／ライト部２１ｅｘのいずれと通信したかの情報と、開錠か施錠かの情報とを、監視制御装置３に送り、監視制御装置３が、外出か帰宅かを判別するようにすることもできる。
【０５５９】
なお、電子鍵装置や業者情報通信装置は、上述もしたように、ＩＣカードに限られるものではなく、ＩＣカードと同様のＩＣチップや、通信手段、さらには、上述の他の例の場合には、生体情報の取得手段などを備えるものであればどのようなものでもよく、例えば携帯電話端末やＰＤＡ（携帯情報端末）などを用いることができるものである。
【０５６０】
また、電子鍵装置や業者情報通信装置は、上述の実施形態のような非接触形式で電子鍵情報の通信を行なうのものに限られるものではなく、接触形式で電子鍵情報の通信を行なうものであっても勿論よい。
【０５６１】
【発明の効果】
以上説明したように、この発明によるドアホン装置によれば、予め登録された業者が訪問してきた場合と、その他の者が訪問してきた場合とで、呼出音を異ならせる、または呼出音を鳴らす、鳴らさないというように、呼出音の制御を行なうことができるので、在宅の応答者は、応答する前に、誰が訪問してきたかを容易に認識することができるようになる。
【図面の簡単な説明】
【図１】この発明によるドアホン装置の実施形態が適用された通信システムの概要を説明するための図である。
【図２】この発明のドアホン装置の実施の形態で用いる識別情報の概要を説明するための図である。
【図３】この発明の実施形態で用いる識別情報の一例を示す図である。
【図４】この発明の実施形態で用いる電子鍵装置および業者情報通信装置の一実施形態を示す図である。
【図５】この発明の実施形態で用いる電子鍵装置および業者情報通信装置の一実施形態の構成例を示すブロック図である。
【図６】この発明のドアホン装置の実施形態の構成例を説明するための図である。
【図７】この発明のドアホン装置の実施形態の構成例を説明するための図である。
【図８】この発明のドアホン装置の実施形態の構成例を説明するための図である。
【図９】この発明のドアホン装置の実施形態におけるドアロック制御機構部分の構成例を説明するための図である。
【図１０】実施形態のドアホン装置の要部のブロック構成例を説明するための図である。
【図１１】実施形態のドアホン装置の一部を構成すると共に、セキュリティシステムに用いる監視制御装置の例を示す図である。
【図１２】図１１の監視制御装置の構成例を示すブロック図である。
【図１３】個人プロファイル情報の一例を示す図である。
【図１４】業者情報の一例を示す図である。
【図１５】セキュリティモードの内容を説明するための図である。
【図１６】セキュリティモードの内容を説明するための図である。
【図１７】管理サーバ装置の構成例を示すブロック図である。
【図１８】電子鍵情報および業者情報の登録方法の一例を説明するための図である。
【図１９】管理会社への業者登録のための手順の例を示す図である。
【図２０】管理会社への業者情報の登録処理を説明するためのフローチャートの一部である。
【図２１】管理会社への業者情報の登録処理を説明するためのフローチャートの一部である。
【図２２】管理サーバ装置からドアホン装置への個人プロファイル情報および業者情報を初期登録するための手順を説明するためのフローチャートである。
【図２３】管理サーバ装置からの情報のドアホン装置における登録処理を説明するためのフローチャートの一部である。
【図２４】管理サーバ装置からの情報のドアホン装置における登録処理を説明するためのフローチャートの一部である。
【図２５】ドアロック制御モードの設定動作を説明するためのフローチャートである。
【図２６】ドアロック制御モードの設定動作を説明するためのフローチャートである。
【図２７】ドアロック制御モードの一つの例であるオートロックモードでのドアロック制御動作を説明するためのフローチャートの一部である。
【図２８】ドアロック制御モードの一つの例である逐次ロックモードでのドアロック制御動作を説明するためのフローチャートの一部である。
【図２９】ドアロック制御モードの一つの例であるオートロックモードでのドアロック制御動作を説明するためのフローチャートの一部である。
【図３０】ドアロック制御モードの一つの例であるオートロックモードでのドアロック制御動作を説明するためのフローチャートの一部である。
【図３１】ドアロック制御モードの一つの例であるオートロックモードでのドアロック制御動作を説明するためのフローチャートの一部である。
【図３２】ドアロック制御モードの一つの例であるオートロックモードでのドアロック制御動作を説明するためのフローチャートの一部である。
【図３３】ドアロック制御モードの一つの例であるオートロックモードでのドアロック制御動作を説明するためのフローチャートの一部である。
【図３４】ドアロック制御モードの一つの例であるオートロックモードでのドアロック制御動作を説明するためのフローチャートの一部である。
【図３５】ドアロック制御モードの一つの例である逐次ロックモードでのドアロック制御動作を説明するためのフローチャートの一部である。
【図３６】この発明における実施形態において、帰宅予定あるいは外出予定の設定処理を説明するためのフローチャートの一部を示す図である。
【図３７】この発明における実施形態において、帰宅予定あるいは外出予定の設定処理を説明するためのフローチャートの一部を示す図である。
【図３８】この発明における実施形態において、帰宅予定者あるいは外出予定者に関する通知連絡処理を説明するためのフローチャートの一部を示す図である。
【図３９】ドアロック制御モードの一つの例である逐次ロックモードでのドアロック制御動作を説明するためのフローチャートの一部である。
【図４０】監視制御装置のリモートコマンダからの制御によりセキュリティモードのオン・オフを設定する処理動作を説明するためのフローチャートである。
【図４１】監視制御装置におけるセキュリティモードオン時の動作を説明するためのフローチャートの一部である。
【図４２】監視制御装置におけるセキュリティモードオン時の動作を説明するためのフローチャートの一部である。
【図４３】監視制御装置におけるドアロック装置との連携動作を説明するための図である。
【図４４】監視制御装置におけるドアホン制御動作処理を説明するためのフローチャートの一部である。
【図４５】監視制御装置におけるドアホン制御動作処理を説明するためのフローチャートの一部である。
【図４６】訪問者が到来したときのテレビ受像機の表示例を説明するための図である。
【図４７】監視制御装置におけるドアホンの呼出音制御および外部通知制御に関する設定動作を説明するためのフローチャートの一部である。
【図４８】監視制御装置におけるドアホンの呼出音制御および外部通知制御に関する設定動作を説明するためのフローチャートの一部である。
【図４９】監視制御装置におけるドアホン制御動作処理の他の例を説明するためのフローチャートの一部である。
【図５０】監視制御装置におけるドアホン制御動作処理の他の例を説明するためのフローチャートの一部である。
【図５１】この発明による電子鍵装置および業者情報通信装置の他の実施形態を示す図である。
【図５２】この発明による電子鍵装置および業者情報通信装置の他の実施形態の構成例を示すブロック図である。
【図５３】この発明による電子鍵装置および業者情報通信装置の他の実施形態の動作を説明するためのフローチャートである。
【図５４】この発明による電子鍵装置および業者情報通信装置のさらに他の実施形態を示す図である。
【図５５】この発明による電子鍵装置および業者情報通信装置のさらに他の実施形態の構成例を示すブロック図である。
【図５６】この発明による電子鍵装置および業者情報通信装置のさらに他の実施形態の動作を説明するためのフローチャートである。
【符号の説明】
１…玄関ドア、２Ａ…ドアホン装置の屋外ユニット、２Ｂ…ドアホン制御ユニット、３…監視制御装置、４…火災センサ、５…ガスセンサ、６ａ，６ｂ…窓センサ、７…テレビ受像機、８…電話回線、１０…管理サーバ装置、１００…ドアホン装置の制御装置部、２１ｉｎ…内側リード／ライト部、２１ｅｘ…外側リード／ライト部、４０、４０Ｆ、４０Ｉ…電子鍵装置および業者情報通信装置の例としてのＩＣカード
【図１】
2004172680.tif 000003
【図２】
2004172680.tif 000004
【図３】
2004172680.tif 000005
【図４】
2004172680.tif 000006
【図５】
2004172680.tif 000007
【図６】
2004172680.tif 000008
【図７】
2004172680.tif 000009
【図８】
2004172680.tif 000010
【図９】
2004172680.tif 000011
【図１０】
2004172680.tif 000012
【図１１】
2004172680.tif 000013
【図１２】
2004172680.tif 000014
【図１３】
2004172680.tif 000015
【図１４】
2004172680.tif 000016
【図１５】
2004172680.tif 000017
【図１６】
2004172680.tif 000018
【図１７】
2004172680.tif 000019
【図１８】
2004172680.tif 000020
【図１９】
2004172680.tif 000021
【図２０】
2004172680.tif 000022
【図２１】
2004172680.tif 000023
【図２２】
2004172680.tif 000024
【図２３】
2004172680.tif 000025
【図２４】
2004172680.tif 000026
【図２５】
2004172680.tif 000027
【図２６】
2004172680.tif 000028
【図２７】
2004172680.tif 000029
【図２８】
2004172680.tif 000030
【図２９】
2004172680.tif 000031
【図３０】
2004172680.tif 000032
【図３１】
2004172680.tif 000033
【図３２】
2004172680.tif 000034
【図３３】
2004172680.tif 000035
【図３４】
2004172680.tif 000036
【図３５】
2004172680.tif 000037
【図３６】
2004172680.tif 000038
【図３７】
2004172680.tif 000039
【図３８】
2004172680.tif 000040
【図３９】
2004172680.tif 000041
【図４０】
2004172680.tif 000042
【図４１】
2004172680.tif 000043
【図４２】
2004172680.tif 000044
【図４３】
2004172680.tif 000045
【図４４】
2004172680.tif 000046
【図４５】
2004172680.tif 000047
【図４６】
2004172680.tif 000048
【図４７】
2004172680.tif 000049
【図４８】
2004172680.tif 000050
【図４９】
2004172680.tif 000051
【図５０】
2004172680.tif 000052
【図５１】
2004172680.tif 000053
【図５２】
2004172680.tif 000054
【図５３】
2004172680.tif 000055
【図５４】
2004172680.tif 000056
【図５５】
2004172680.tif 000057
【図５６】
2004172680.tif 000058